(57)【要約】【課題】上りリンクの信号の送信を効率的に制御することを可能にする。【解決手段】PUSCHのみの送信に対するパワーヘッドルームとして第一のタイプのレポート、PUSCHとPUCCHの同時送信に対するパワーヘッドルームとして第二のタイプのレポートを生成するパワーヘッドルーム生成部と、PUSCHとPUCCHの同時送信が構成されていない場合はPUSCHの送信電力制御に用いた第一のパスロスの変化量がdl-PathlossChangeの値より大きい場合にパワーヘッドルームの報告処理を始動すると判断し、PUSCHとPUCCHの同時送信が構成されている場合は第一のパスロスの変化量、またはPUCCHの送信電力制御に用いた第二のパスロスの変化量がdl-PathlossChangeの値より大きい場合にパワーヘッドルームの報告処理を始動すると判断するパワーヘッドルーム制御部とを有する。【選択図】図４
2013118617.tif 000002
【特許請求の範囲】
【請求項１】
少なくとも１つの基地局装置と通信を行なう移動局装置であって、
あるセルにおいて前記基地局装置から信号を受信する第一の受信処理部と、
前記第一の受信処理部で受信された第一の参照信号と第二の参照信号とに基づき、複数のパスロスの計算を行なうパスロス計算部と、
前記パスロス計算部で計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定する送信電力設定部と、
前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成するパワーヘッドルーム生成部と、
前記パワーヘッドルーム生成部で生成された前記パワーヘッドルームの送信を制御するパワーヘッドルーム制御部と、を有し、
前記パワーヘッドルーム制御部は、自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする移動局装置。
【請求項２】
前記第一の参照信号は、ＣＲＳ（Cell specific Reference Signal）またはＣＳＩ−ＲＳ（Channel State Information Reference Signal）の何れかであり、
前記第二の参照信号は、前記第一の参照信号とは異なる信号であって、ＣＲＳまたはＣＳＩ−ＲＳの何れかであることを特徴とする請求項１に記載の移動局装置。
【請求項３】
前記第一の参照信号と前記第二の参照信号は、それぞれ異なる構成のＣＳＩ−ＲＳ（Channel State Information Reference Signal）であることを特徴とする請求項１に記載の移動局装置。
【請求項４】
複数の移動局装置および前記複数の移動局装置と通信を行なう少なくとも１つの基地局装置から構成される通信システムであって、
前記基地局装置は、
前記移動局装置に信号を送信する送信処理部と、
前記移動局装置から信号を受信する第二の受信処理部と、を有し、
前記移動局装置は、
あるセルにおいて前記基地局装置から信号を受信する第一の受信処理部と、
前記第一の受信処理部で受信された第一の参照信号と第二の参照信号とに基づき、複数のパスロスの計算を行なうパスロス計算部と、
前記パスロス計算部で計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定する送信電力設定部と、
前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成するパワーヘッドルーム生成部と、
前記パワーヘッドルーム生成部で生成された前記パワーヘッドルームの送信を制御するパワーヘッドルーム制御部と、を有し、
前記パワーヘッドルーム制御部は、自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする通信システム。
【請求項５】
少なくとも１つの基地局装置と通信を行なう移動局装置に用いられる通信方法であって、
あるセルにおいて前記基地局装置から信号を受信するステップと、
前記受信された第一の参照信号と第二の参照信号とに基づき、複数のパスロスの計算を行なうステップと、
前記計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定するステップと、
前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成するステップと、
前記生成された前記パワーヘッドルームの送信を制御するステップと、を有し、
自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする通信方法。 
【請求項６】
少なくとも１つの基地局装置と通信を行なう移動局装置に実装され、前記移動局装置に複数の機能を発揮させる集積回路であって、
あるセルにおいて前記基地局装置から信号を受信する機能と、
前記受信された第一の参照信号と第二の参照信号とに基づき、複数のパスロスの計算を行なう機能と、
前記計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定する機能と、
前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成する機能と、
前記生成された前記パワーヘッドルームの送信を制御する機能と、を前記移動局装置に発揮させ、
自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする集積回路。
【発明の詳細な説明】
【技術分野】
【０００１】
本発明は、複数の移動局装置と基地局装置から構成される通信システムにおいて、効率的な上りリンクの信号の送信を実現することができる移動局装置、通信システム、通信方法および集積回路に関する。
【背景技術】
【０００２】
セルラー移動通信の無線アクセス方式および無線ネットワークの進化（以下、「Long Term Evolution (LTE)」、または、「Evolved Universal Terrestrial Radio Access (EUTRA)」と呼称する）が、第三世代パートナーシッププロジェクト（3rd Generation Partnership Project: 3GPP）において仕様化されている。ＬＴＥでは、基地局装置から移動局装置への無線通信（下りリンク; DLと呼称する）の通信方式として、マルチキャリア送信である直交周波数分割多重（Orthogonal Frequency Division Multiplexing: OFDM）方式が用いられる。また、ＬＴＥでは、移動局装置から基地局装置への無線通信（上りリンク; ULと呼称する）の通信方式として、シングルキャリア送信であるＳＣ−ＦＤＭＡ（Single-Carrier Frequency Division Multiple Access）方式が用いられる。ＬＴＥでは、ＳＣ−ＦＤＭＡ方式としてＤＦＴ−Ｓｐｒｅａｄ  ＯＦＤＭ（Discrete Fourier Transform-Spread OFDM）方式が用いられる。
【０００３】
３ＧＰＰでは、ＬＴＥよりもさらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と呼称する）が検討されている。ＬＴＥ−Ａでは、ＬＴＥとの後方互換性(backward compatibility)を実現することが求められている。ＬＴＥ−Ａに対応した基地局装置が、ＬＴＥ−Ａに対応した移動局装置およびＬＴＥに対応した移動局装置の両方の移動局装置と同時に通信を行なうこと、およびＬＴＥ−Ａに対応した移動局装置が、ＬＴＥ−Ａに対応した基地局装置およびＬＴＥに対応した基地局装置と通信を行なうことを実現することがＬＴＥ−Ａに対して要求される。
【０００４】
その要求を実現するためにＬＴＥ−ＡではＬＴＥと同一のチャネル構造を少なくともサポートすることが検討されている。チャネルとは、信号の送信に用いられる媒体を意味する。物理層で用いられるチャネルは物理チャネル、媒体アクセス制御（Medium Access Control: MAC）層で用いられるチャネルは論理チャネルと呼称する。物理チャネルの種類としては、下りリンクのデータおよび制御情報の送受信に用いられる物理下りリンク共用チャネル（Physical Downlink Shared CHannel: PDSCH）、下りリンクの制御情報の送受信に用いられる物理下りリンク制御チャネル（Physical Downlink Control CHannel: PDCCH）、上りリンクのデータおよび制御情報の送受信に用いられる物理上りリンク共用チャネル（Physical Uplink Shared CHannel: PUSCH）、制御情報の送受信に用いられる物理上りリンク制御チャネル（Physical Uplink Control CHannel: PUCCH）、下りリンクの同期確立のために用いられる同期チャネル（Synchronization CHannel: SCH）、上りリンクの同期確立のために用いられる物理ランダムアクセスチャネル（Physical Random Access CHannel: PRACH）、下りリンクのシステム情報の送信に用いられる物理報知チャネル（Physical Broadcast CHannel: PBCH）等がある。移動局装置、または基地局装置は、制御情報、データなどから生成した信号を各物理チャネルに配置して、送信する。物理下りリンク共用チャネル、または物理上りリンク共用チャネルで送信されるデータは、トランスポートブロックと呼称する。
【０００５】
物理上りリンク制御チャネルに配置される制御情報は、上りリンク制御情報（Uplink Control Information: UCI）と呼称する。上りリンク制御情報は、受信された物理下りリンク共用チャネルに配置されたデータに対する肯定応答（Acknowledgement: ACK）または否定応答（Negative Acknowledgement: NACK）を示す制御情報（受信確認応答; ACK/NACK）、または上りリンクのリソースの割り当ての要求を示す制御情報（Scheduling Request: SR）、または下りリンクの受信品質（チャネル品質とも呼称する）を示す制御情報（Channel Quality Indicator: CQI）である。
【０００６】
＜協調通信＞
ＬＴＥ−Ａでは、セル端領域の移動局装置に対する干渉を軽減または抑圧するために、または受信信号電力を増大させるために、隣接セル間で互いに協調して通信を行なうセル間協調通信（Cooperative Multipoint: CoMP通信）が検討されている。なお、例えば、基地局装置が任意の１つの周波数帯域を用いて通信する形態のことを「セル（Cell）」と呼称する。例えば、セル間協調通信として、複数のセルで異なる重み付け信号処理（プリコーディング処理）が信号に適用され、複数の基地局装置がその信号を協調して同一の移動局装置に送信する方法（Joint Processing、Joint Transmissionとも呼称する）などが検討されている。この方法では、移動局装置の信号電力対干渉雑音電力比を向上することができ、移動局装置における受信特性を改善することができる。例えば、セル間協調通信として、複数のセルで協調して移動局装置に対してスケジューリングを行なう方法（Coordinated Scheduling: CS）が検討されている。この方法では、移動局装置の信号電力対干渉雑音電力比を向上することができる。例えば、セル間協調通信として、複数のセルで協調してビームフォーミングを適用して移動局装置に信号を送信する方法（Coordinated beamforming:CB）が検討されている。この方法では、移動局装置の信号電力対干渉雑音電力比を向上することができる。例えば、セル間協調通信として、一方のセルでのみ所定のリソースを用いて信号を送信し、一方のセルでは所定のリソースで信号を送信しない方法（Blanking, Muting）が検討されている。この方法では、移動局装置の信号電力対干渉雑音電力比を向上することができる。
【０００７】
なお、協調通信に用いられる複数のセルに関して、異なるセルは異なる基地局装置により構成されてもよいし、異なるセルは同じ基地局装置に管理される異なるＲＲＨ（Remote Radio Head、基地局装置より小型の屋外型の無線部、Remote Radio Unit: RRUとも呼称する）により構成されてもよいし、異なるセルは基地局装置とその基地局装置に管理されるＲＲＨにより構成されてもよいし、異なるセルは基地局装置とその基地局装置とは異なる基地局装置に管理されるＲＲＨにより構成されてもよい。
【０００８】
カバレッジの広い基地局装置は、一般的にマクロ基地局装置と呼称する。カバレッジの狭い基地局装置は、一般的にピコ基地局装置、またはフェムト基地局装置と呼称する。ＲＲＨは、一般的に、マクロ基地局装置よりもカバレッジが狭いエリアでの運用が検討されている。マクロ基地局装置と、ＲＲＨにより構成され、マクロ基地局装置によりサポートされるカバレッジがＲＲＨによりサポートされるカバレッジの一部または全部を含んで構成される通信システムのような展開は、ヘテロジーニアスネットワーク展開と呼称する。そのようなヘテロジーニアスネットワーク展開の通信システムにおいて、マクロ基地局装置とＲＲＨが、お互いに重複したカバレッジ内に位置する移動局装置に対して、協調して信号を送信する方法が検討されている。ここで、ＲＲＨは、マクロ基地局装置により管理され、送受信が制御されている。なお、マクロ基地局装置とＲＲＨは、光ファイバ等の有線回線や、リレー技術を用いた無線回線により接続されている。このように、マクロ基地局装置とＲＲＨがそれぞれ一部または全部が同一の無線リソースを用いて協調通信を実行することで、マクロ基地局装置が構築するカバレッジのエリア内の総合的な周波数利用効率（伝送容量）が向上できる。
【０００９】
移動局装置は、マクロ基地局装置またはＲＲＨの付近に位置している場合、マクロ基地局装置またはＲＲＨとシングルセル通信することができる。つまり、ある移動局装置は、協調通信を用いずに、マクロ基地局装置またはＲＲＨと通信を行ない、信号の送受信を行なう。例えば、マクロ基地局装置は、自装置に距離的に近い移動局装置からの上りリンクの信号を受信する。例えば、ＲＲＨは、自装置に距離的に近い移動局装置からの上りリンクの信号を受信する。さらに、移動局装置は、ＲＲＨが構築するカバレッジの端付近（セルエッジ）に位置する場合、マクロ基地局装置からの同一チャネル干渉に対する対策が必要になる。マクロ基地局装置とＲＲＨとのマルチセル通信（協調通信）として、隣接基地局間で互いに協調するＣｏＭＰ方式を用いることにより、セルエッジ領域の移動局装置に対する干渉を軽減または抑圧する方法が検討されている。
【００１０】
また、移動局装置は、下りリンクでは、協調通信を用いて、マクロ基地局装置とＲＲＨの双方から送信された信号を受信し、上りリンクでは、マクロ基地局装置、またはＲＲＨの何れかに対して適した形で信号を送信することが検討されている。例えば、移動局装置は、マクロ基地局装置で信号が受信されるのに適した送信電力で上りリンクの信号を送信する。例えば、移動局装置は、ＲＲＨで信号が受信されるのに適した送信電力で上りリンクの信号を送信する。これにより、上りリンクの不必要な干渉を低減し、周波数利用効率を向上できる。
【００１１】
移動局装置が複数種類の参照信号のそれぞれからパスロスを推定して、マクロ基地局装置、またはＲＲＨで信号が受信されるのに適した送信電力のパラメータ設定を行なうことが検討されている（非特許文献1）。例えば、移動局装置は、マクロ基地局装置から送信された参照信号から、マクロ基地局装置で信号が受信されるのに適した送信電力のパラメータの計算を行なう。例えば、移動局装置は、ＲＲＨから送信された参照信号から、ＲＲＨで信号が受信されるのに適した送信電力のパラメータの計算を行なう。例えば、移動局装置は、マクロ基地局装置とＲＲＨの双方から協調して送信された参照信号から、マクロ基地局装置、またはＲＲＨで信号が受信されるのに準最適な送信電力のパラメータの計算を行なう。具体的には、移動局装置は、受信した参照信号の受信品質に基づき、パスロスの推定を行なう。
【００１２】
また、移動局装置が装置能力として用いることが可能な最大の送信電力値（可能最大送信電力値）に対してどの程度の余裕を持って上りリンクの信号の送信を行なっているかを基地局装置が認識するために、移動局装置は、パワーヘッドルーム（Power Headroom; PH）と呼ばれる、可能最大送信電力値から上りリンクの信号の送信に用いられる送信電力値を減算した値を、基地局装置に通知する。
【００１３】
パワーヘッドルームでは、−２３ｄＢ〜４０ｄＢの範囲内の値が示され、１ｄＢ単位で表現される。正の値を示すパワーヘッドルームは、移動局装置の送信電力に余裕があることを示す。負の値を示すパワーヘッドルームは、移動局装置が可能最大送信電力値を超える送信電力値を基地局装置から要求されているが、移動局装置は可能最大送信電力値で送信している状態を示している。基地局装置は、パワーヘッドルームの情報を用いて、移動局装置の上りリンクの信号に割り当てるリソースの周波数帯域幅や、上りリンクの信号の変調方式等を調整、決定する。
【００１４】
移動局装置は、基地局装置から通知された２つのタイマー（periodicPHR-TimerとprohibitPHR-Timer）と、１つの値ｄｌ−ＰａｔｈｌｏｓｓＣｈａｎｇｅ（dB単位で表現される）と、を用いてパワーヘッドルームの送信を制御する。移動局装置は、以下に記載の事象の何れかが発生した場合に、パワーヘッドルームの送信を行なうことを決定する。第一の事象は、「ｐｒｏｈｉｂｉｔＰＨＲ−Ｔｉｍｅｒが終了しており、前回パワーヘッドルームを送信した時に計算に用いたパスロスの値からｄｌ−ＰａｔｈｌｏｓｓＣｈａｎｇｅ [dB]以上、パスロスの値が変化した場合」である。第二の事象は、「ｐｅｒｉｏｄｉｃＰＨＲ−Ｔｉｍｅｒが終了した場合」である。第三の事象は、「パワーヘッドルームの送信機能に関することが設定または再設定された場合」である。このように、パワーヘッドルームの送信を判断して、パワーヘッドルームを基地局装置に報告する処理のことを、パワーヘッドルームレポーティングと呼称する。
【００１５】
移動局装置は、パワーヘッドルームの送信を行なうと決定し、上りリンクの信号の送信に用いるリソースが基地局装置より割り当てられたら、上りリンクの信号にパワーヘッドルームに関する情報を含めて基地局装置に送信する。移動局装置は、パワーヘッドルームに関する情報を送信したら、計測中のｐｅｒｉｏｄｉｃＰＨＲ−Ｔｉｍｅｒ、ｐｒｏｈｉｂｉｔＰＨＲ−Ｔｉｍｅｒを一旦リセットし、再スタートさせる。
【先行技術文献】
【非特許文献】
【００１６】
【非特許文献１】3GPP TSG RAN1 #66、Athens、Greece、22-26、August、2011、R1-112523“UL PC for Networks with Geographically Distributed RRHs”
【発明の概要】
【発明が解決しようとする課題】
【００１７】
しかしながら、パワーヘッドルームに関する従来の技術では、１種類の参照信号から１種類のパスロスが推定され、推定された１種類のパスロスが上りリンクの信号の送信電力に用いられる場合しか想定されていなかった。例えば、複数種類の参照信号の中から１つの種類の参照信号に基づき推定されたパスロスを用いたパワーヘッドルームの送信をどのように制御するかは先行文献には開示されていない。例えば、複数種類の参照信号から複数種類のパスロスが推定され、それぞれのパスロスから計算された送信電力を用いた上りリンクの信号の送信が移動局装置において行なわれる場合に、パワーヘッドルームに関する情報の送信をどのように制御するかは先行文献には開示されていない。
【００１８】
パワーヘッドルームに関する情報が適切に基地局装置に伝えられなければ、移動局装置に対して上りリンクの信号のリソース割り当て、変調方式の決定等を効率的に行なうことができず、上りリンクのスケジューリングの精度が劣化するという問題があった。例えば、信号の受信先（複数の受信先を含む）が切り替えられ得る通信システムでは、各受信先に適したパスロスが上りリンクの信号の送信電力の決定に用いられ、各受信先に対する上りリンクのスケジューリングが効率的に行なわれることが周波数利用効率を向上させる観点から求められる。
【００１９】
本発明は上記の点に鑑みてなされたものであり、複数の移動局装置と基地局装置から構成される通信システムにおいて、効率的な上りリンクの信号の送信を実現することができる移動局装置、通信システム、通信方法および集積回路を提供することを目的とする。
【課題を解決するための手段】
【００２０】
（１）上記の目的を達成するために、本発明は、以下のような手段を講じた。すなわち、本発明の移動局装置は、少なくとも１つの基地局装置と通信を行なう移動局装置であって、あるセルにおいて前記基地局装置から信号を受信する第一の受信処理部と、前記第一の受信処理部で受信された第一の参照信号と第二の参照信号とに基づき、複数のパスロスの計算を行なうパスロス計算部と、前記パスロス計算部で計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定する送信電力設定部と、前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成するパワーヘッドルーム生成部と、前記パワーヘッドルーム生成部で生成された前記パワーヘッドルームの送信を制御するパワーヘッドルーム制御部と、を有し、前記パワーヘッドルーム制御部は、自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする。
【００２１】
（２）また、本発明の移動局装置において、前記第一の参照信号は、ＣＲＳ（Cell specific Reference Signal）またはＣＳＩ−ＲＳ（Channel State Information Reference Signal）の何れかであり、前記第二の参照信号は、前記第一の参照信号とは異なる信号であって、ＣＲＳまたはＣＳＩ−ＲＳの何れかであることを特徴とする。
【００２２】
（３）また、本発明の移動局装置において、前記第一の参照信号と前記第二の参照信号は、それぞれ異なる構成のＣＳＩ−ＲＳ（Channel State Information Reference Signal）であることを特徴とする。
【００２３】
（４）また、本発明の通信システムは、複数の移動局装置および前記複数の移動局装置と通信を行なう少なくとも１つの基地局装置から構成される通信システムであって、前記基地局装置は、前記移動局装置に信号を送信する送信処理部と、前記移動局装置から信号を受信する第二の受信処理部と、を有し、前記移動局装置は、あるセルにおいて前記基地局装置から信号を受信する第一の受信処理部と、前記第一の受信処理部で受信された第一の参照信号と第二の参照信号とに基づき、複数のパスロスの計算を行なうパスロス計算部と、前記パスロス計算部で計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定する送信電力設定部と、前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成するパワーヘッドルーム生成部と、前記パワーヘッドルーム生成部で生成された前記パワーヘッドルームの送信を制御するパワーヘッドルーム制御部と、を有し、前記パワーヘッドルーム制御部は、自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする。
【００２４】
（５）また、本発明の通信方法は、少なくとも１つの基地局装置と通信を行なう移動局装置に用いられる通信方法であって、あるセルにおいて前記基地局装置から信号を受信するステップと、前記受信された第一の参照信号と第二の参照信号とに基づき、複数のパスロスの計算を行なうステップと、前記計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定するステップと、前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成するステップと、前記生成された前記パワーヘッドルームの送信を制御するステップと、を有し、自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする。
【００２５】
（６）また、本発明の集積回路は、少なくとも１つの基地局装置と通信を行なう移動局装置に実装され、前記移動局装置に複数の機能を発揮させる集積回路であって、あるセルにおいて前記基地局装置から信号を受信する機能と、前記受信された第一の参照信号と第二の参照信号とに基づき、複数のパスロスの計算を行なう機能と、前記計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定する機能と、前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成する機能と、前記生成された前記パワーヘッドルームの送信を制御する機能と、を前記移動局装置に発揮させ、自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする。
【００２６】
本明細書では、移動局装置の送信電力に関連する情報が基地局装置に通知される場合における移動局装置、通信システム、通信方法および集積回路の改良という点において本発明を開示するが、本発明が適用可能な通信方式は、ＬＴＥまたはＬＴＥ−ＡのようにＬＴＥと上位互換性のある通信方式に限定されるものではない。例えば、本発明はＵＭＴＳ（Universal Mobile Telecommunications System）にも適用することができる。
【発明の効果】
【００２７】
この発明によれば、基地局装置は移動局装置に対して上りリンクの信号の送信を効率的に制御することができる。
【図面の簡単な説明】
【００２８】
【図１】本発明の実施形態に係る基地局装置３の構成を示す概略ブロック図である。
【図２】本発明の実施形態に係る基地局装置３の送信処理部１０７の構成を示す概略ブロック図である。
【図３】本発明の実施形態に係る基地局装置３の受信処理部１０１の構成を示す概略ブロック図である。
【図４】本発明の実施形態に係る移動局装置５の構成を示す概略ブロック図である。
【図５】本発明の実施形態に係る移動局装置５の受信処理部４０１の構成を示す概略ブロック図である。
【図６】本発明の実施形態に係る移動局装置５の送信処理部４０７の構成を示す概略ブロック図である。
【図７】本発明の実施形態に係る移動局装置５のパワーヘッドルームの報告処理の始動（トリガー）を判断する処理の一例を示すフローチャートである。
【図８】本発明の実施形態に係る通信システムの全体像についての概略を説明する図である。
【図９】本発明の実施形態に係る基地局装置３から移動局装置５への下りリンクの時間フレームの概略構成を示す図である。
【図１０】本発明の実施形態に係る通信システム１の下りリンクサブフレーム内の下りリンク参照信号（CRS、UE-specific RS）の配置の一例を示す図である。
【図１１】本発明の実施形態に係る通信システム１の下りリンクサブフレーム内の下りリンク参照信号（CSI-RS）の配置の一例を示す図である。
【図１２】本発明の実施形態に係る移動局装置５から基地局装置３への上りリンクの時間フレームの概略構成を示す図である。
【発明を実施するための形態】
【００２９】
本明細書で述べられる技術は、符号分割多重アクセス（CDMA）システム、時分割多重アクセス（TDMA）システム、周波数分割多重アクセス（FDMA）システム、直交ＦＤＭＡ（OFDMA）システム、シングルキャリアＦＤＭＡ（SC-FDMA）システム、およびその他のシステム等の、種々の無線通信システムにおいて使用され得る。用語「システム」および「ネットワーク」は、しばしば同義的に使用され得る。ＣＤＭＡシステムは、ユニバーサル地上波無線アクセス（UTRA）やｃｄｍａ２０００（登録商標）等のような無線技術（規格）を実装し得る。ＵＴＲＡは、広帯域ＣＤＭＡ（WCDMA）およびＣＤＭＡのその他の改良型を含む。ｃｄｍａ２０００は、ＩＳ−２０００、ＩＳ−９５、およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（GSM（登録商標））のような無線技術を実装し得る。ＯＦＤＭＡシステムは、Ｅｖｏｌｖｅｄ  ＵＴＲＡ（E-UTRA）、Ｕｌｔｒａ  Ｍｏｂｉｌｅ  Ｂｒｏａｄｂａｎｄ（UMB）、ＩＥＥＥ８０２．１１（Wi-Fi）、ＩＥＥＥ８０２．１６（WiMAX）、ＩＥＥＥ８０２．２０、Ｆｌａｓｈ‐ＯＦＤＭ（登録商標）などのような無線技術を実装し得る。ＵＴＲＡおよびＥ−ＵＴＲＡは、汎用移動通信システム（UMTS）の一部である。３ＧＰＰ ＬＴＥ（Long Term Evolution）は、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。ＵＴＲＡ、Ｅ−ＵＴＲＡ、ＵＭＴＳ、ＬＴＥ、ＬＴＥ−ＡおよびＧＳＭ（登録商標）は、第３世代パートナーシッププロジェクト（3GPP）と名付けられた機関からのドキュメントで説明されている。ｃｄｍａ２０００およびＵＭＢは、第３世代パートナーシッププロジェクト２（3GPP2）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００３０】
（第１の実施形態）
以下、図面を参照しながら本発明の第１の実施形態について詳しく説明する。まず、図８〜図１２を用いて、本実施形態に係る通信システムの全体像、および無線フレームの構成などについて説明する。次に、図１〜図６を用いて、本実施形態に係る通信システムの構成について説明する。次に、図７を用いて、本実施形態に係る通信システムの動作処理について説明する。
【００３１】
＜通信システムの全体像＞
図８は、本発明の実施形態に係る通信システムの全体像についての概略を説明する図である。この図が示す通信システム１は、基地局装置（eNodeB、NodeB、BS: Base Station、AP: Access Point; アクセスポイント、マクロ基地局とも呼称する）３と、複数のＲＲＨ（Remote Radio Head、基地局装置より小型の屋外型の無線部を有する装置、Remote Radio Unit: RRUとも呼称する）（リモートアンテナ、分散アンテナとも呼称する）４Ａ、４Ｂ、４Ｃと、複数の移動局装置（UE: User Equipment、MS: Mobile Station、MT: Mobile Terminal、端末、端末装置、移動端末とも呼称する）５Ａ、５Ｂ、５Ｃとが通信を行なう。以下、本実施形態において、ＲＲＨ４Ａ、４Ｂ、４ＣをＲＲＨ４と呼び、移動局装置５Ａ、５Ｂ、５Ｃを移動局装置５と呼び、適宜説明を行なう。通信システム１では、基地局装置３とＲＲＨ４が協調して、移動局装置５と通信を行なう。図８では、基地局装置３とＲＲＨ４Ａとが移動局装置５Ａと協調通信を行ない、基地局装置３とＲＲＨ４Ｂとが移動局装置５Ｂと協調通信を行ない、基地局装置３とＲＲＨ４Ｃとが移動局装置５Ｃと協調通信を行なう。また、通信システム１では、複数のＲＲＨ４が協調して、移動局装置５と通信を行なう。例えば、ＲＲＨ４ＡとＲＲＨ４Ｂとが移動局装置５Ａ、または移動局装置５Ｂと協調通信を行ない、ＲＲＨ４ＢとＲＲＨ４Ｃとが移動局装置５Ｂ、または移動局装置５Ｃと協調通信を行ない、ＲＲＨ４ＣとＲＲＨ４Ａとが移動局装置５Ｃ、または移動局装置５Ａと協調通信を行なう。
【００３２】
なお、ＲＲＨは、基地局装置の特殊な形態とも言える。例えば、ＲＲＨは信号処理部のみを有し、他の基地局装置によってＲＲＨで用いられるパラメータの設定、スケジューリングの決定などが行なわれる基地局装置と言うことができる。よって、以降の説明では、基地局装置３という表現は、適宜ＲＲＨ４を含む。
【００３３】
＜協調通信＞
本発明の実施形態に係る通信システム１では、複数のセルを用いて協調して信号の送受信が行なわれる協調通信（Cooperative Multipoint: CoMP通信）が用いられ得る。なお、例えば、基地局装置が任意の１つの周波数帯域を用いて通信する形態のことを「セル（Cell）」と呼称する。例えば、協調通信として、複数のセル（基地局装置３とＲＲＨ４）で異なる重み付け信号処理（プリコーディング処理）が信号に適用され、基地局装置３とＲＲＨ４がその信号を協調して同一の移動局装置５に送信する。例えば、協調通信として、複数のセル（基地局装置3とRRH4）で協調して移動局装置５に対してスケジューリングを行なう（Coordinated Scheduling: CS）例えば、協調通信として、複数のセル（基地局装置3とRRH4）で協調してビームフォーミングを適用して移動局装置５に信号を送信する（Coordinated beamforming:CB）。例えば、協調通信として、一方のセル（基地局装置3、またはRRH4）でのみ所定のリソースを用いて信号を送信し、一方のセル（基地局装置3、またはRRH4）では所定のリソースで信号を送信しない（Blanking, Muting）。
【００３４】
なお、本発明の実施形態では説明を省略するが、協調通信に用いられる複数のセルに関して、異なるセルは異なる基地局装置３により構成されてもよいし、異なるセルは同じ基地局装置３に管理される異なるＲＲＨ４により構成されてもよいし、異なるセルは基地局装置３とその基地局装置とは異なる基地局装置３に管理されるＲＲＨ４により構成されてもよい。
【００３５】
なお、複数のセルは物理的には異なるセルとして用いられるが、論理的には同一のセルとして用いられてもよい。具体的には、共通のセル識別子（物理セルID：Physical cell ID）が各セルに用いられる構成でもよい。複数の送信装置（基地局装置３とＲＲＨ４）が同一の周波数帯域を用いて同一の受信装置に対して共通の信号を送信する構成を単一周波数ネットワーク（SFN; Single Frequency Network）と呼称する。
【００３６】
本発明の実施形態の通信システム１の展開は、ヘテロジーニアスネットワーク展開を想定する。通信システム１は、基地局装置３と、ＲＲＨ４により構成され、基地局装置３によりサポートされるカバレッジがＲＲＨ４によりサポートされるカバレッジの一部または全部を含んで構成される。ここで、カバレッジとは、要求を満たしつつ通信を実現することができるエリアのことを意味する。通信システム１では、基地局装置３とＲＲＨ４が、お互いに重複したカバレッジ内に位置する移動局装置５に対して、協調して信号を送信する。ここで、ＲＲＨ４は、基地局装置３により管理され、送受信が制御されている。なお、基地局装置３とＲＲＨ４は、光ファイバ等の有線回線や、リレー技術を用いた無線回線により接続されている。
【００３７】
移動局装置５は、基地局装置３またはＲＲＨ４の付近に位置している場合、基地局装置３またはＲＲＨ４とシングルセル通信を用いてもよい。つまり、ある移動局装置５は、協調通信を用いずに、基地局装置３またはＲＲＨ４と通信を行ない、信号の送受信を行なってもよい。例えば、基地局装置３は、自装置に距離的に近い移動局装置５からの上りリンクの信号を受信してもよい。例えば、ＲＲＨ４は、自装置に距離的に近い移動局装置５からの上りリンクの信号を受信してもよい。また、例えば、基地局装置３とＲＲＨ４の両方が、ＲＲＨ４が構築するカバレッジの端付近（セルエッジ）に位置する移動局装置５からの上りリンクの信号を受信してもよい。また、例えば、複数のＲＲＨ４が、それぞれのＲＲＨ４が構築するカバレッジの端付近（セルエッジ）に位置する移動局装置５からの上りリンクの信号を受信してもよい。
【００３８】
また、移動局装置５は、下りリンクでは、協調通信を用いて、基地局装置３とＲＲＨ４の双方から送信された信号を受信し、上りリンクでは、基地局装置３、またはＲＲＨ４の何れかに対して適した形で信号を送信してもよい。例えば、移動局装置５は、基地局装置３で信号が受信されるのに適した送信電力で上りリンクの信号を送信する。例えば、移動局装置５は、ＲＲＨ４で信号が受信されるのに適した送信電力で上りリンクの信号を送信する。
【００３９】
通信システム１では、基地局装置３、またはＲＲＨ４から移動局装置５への通信方向である下りリンク（DL: Downlinkとも呼称する）が、下りリンクパイロットチャネル、物理下りリンク制御チャネル（PDCCH: Physical Downlink Control CHannelとも呼称する）、および物理下りリンク共用チャネル（PDSCH: Physical Downlink Shared CHannelとも呼称する）を含んで構成される。ＰＤＳＣＨは、協調通信が適用されたり、適用されなかったりする。
【００４０】
また、通信システム１では、移動局装置５から基地局装置３、またはＲＲＨ４への通信方向である上りリンク（UL: Uplinkとも呼称する）が、物理上りリンク共用チャネル（PUSCH: Physical Uplink Shared CHannelとも呼称する）、上りリンクパイロットチャネル（上りリンク参照信号; UL RS: Uplink Reference Signal、SRS: Sounding Reference Signal、DM RS: Demodulation Reference Signal）、および物理上りリンク制御チャネル（PUCCH: Physical Uplink Control CHannelとも呼称する）を含んで構成される。チャネルとは、信号の送信に用いられる媒体を意味する。物理層で用いられるチャネルは物理チャネル、媒体アクセス制御（Medium Access Control: MAC）層で用いられるチャネルは論理チャネルと呼称する。
【００４１】
また、本発明は、移動局装置５が上りリンクにおいて、基地局装置３で受信されるのに適した送信電力で信号を送信することと、ＲＲＨ４で受信されるのに適した送信電力で信号を送信することとを制御される通信システムに適用可能であり、説明の簡略化のため、その他の動作については、適宜説明を省略するが、本発明がそのような動作に限定されるということを意味しているわけではないことに注意すべきである。例えば、本発明は、移動局装置５が上りリンクにおいて、ＲＲＨ４で受信されるのに最適な送信電力で信号を送信することと、基地局装置３で受信されるのに準最適な送信電力で信号を送信することとが制御される通信システムにも適用可能である。
【００４２】
また、本発明の実施形態は、本明細書に記載されるチャネルのみが用いられる通信システム１に限定されず、その他のチャネルが用いられる通信システムにも適用可能である。例えば、ＰＤＣＣＨとは異なる性質を持つ下りリンク制御チャネル（E-PDCCH: Enhanced-PDCCH）がＰＤＣＣＨとは独立して用いられてもよい。例えば、Ｅ−ＰＤＣＣＨには、プリコーディング処理が適用され得る。例えば、Ｅ−ＰＤＣＣＨは、Ｅ−ＰＤＣＣＨに用いられるプリコーディング処理と同様の処理が適用された参照信号に基づく、伝搬路補償などの復調処理が実行され得る。
【００４３】
ＰＤＳＣＨは、下りリンクのデータおよび制御情報の送受信に用いられる物理チャネルである。ＰＤＣＣＨは、下りリンクの制御情報の送受信に用いられる物理チャネルである。ＰＵＳＣＨは、上りリンクのデータおよび制御情報の送受信に用いられる物理チャネルである。ＰＵＣＣＨは、上りリンクの制御情報（上りリンク制御情報; Uplink Control Information: UCI）の送受信に用いられる物理チャネルである。ＵＣＩの種類としては、ＰＤＳＣＨの下りリンクのデータに対する肯定応答（Acknowledgement: ACK）、または否定応答（Negative Acknowledgement: NACK）を示す受信確認応答（ACK/NACK）と、リソースの割り当てを要求するか否かを示すスケジューリング要求（Scheduling request: SR）等が用いられる。その他の物理チャネルの種類としては、下りリンクの同期確立のために用いられる同期チャネル（Synchronization CHannel: SCH、同期信号; synchronization signal）、上りリンクの同期確立のために用いられる物理ランダムアクセスチャネル（Physical Random Access CHannel: PRACH）、下りリンクのシステム情報（SIB: System Information Blockとも呼称する）の送信に用いられる物理報知チャネル（Physical Broadcast CHannel: PBCH）等が用いられる。また、ＰＤＳＣＨは下りリンクのシステム情報の送信にも用いられる。
【００４４】
移動局装置５、基地局装置３、またはＲＲＨ４は、制御情報、データなどから生成した信号を各物理チャネルに配置して、送信する。ＰＤＳＣＨ、またはＰＵＳＣＨで送信されるデータは、トランスポートブロックと呼称する。また、基地局装置３、またはＲＲＨ４が管轄するエリアのことをセルと呼ぶ。
【００４５】
＜下りリンクの時間フレームの構成＞
図９は、本発明の実施形態に係る基地局装置３、またはＲＲＨ４から移動局装置５への下りリンクの時間フレームの概略構成を示す図である。この図において、横軸は時間領域、縦軸は周波数領域を表している。下りリンクの時間フレームは、リソースの割り当てなどの単位であり、下りリンクの予め決められた幅の周波数帯および時間帯からなるリソースブロック（RB）（物理リソースブロック; PRB: Physical Resource Blockとも呼称する）のペア（物理リソースブロックペア; PRB pairと呼称する）から構成される。１個の下りリンクのＰＲＢ  ｐａｉｒ（下りリンク物理リソースブロックペア; DL PRB pairと呼称する）は下りリンクの時間領域で連続する２個のＰＲＢ（下りリンク物理リソースブロック; DL PRBと呼称する）から構成される。
【００４６】
また、この図において、１個のＤＬ  ＰＲＢは、下りリンクの周波数領域において１２個のサブキャリア（下りリンクサブキャリアと呼称する）から構成され、時間領域において７個のＯＦＤＭ（直交周波数分割多重; Orthogonal Frequency Division Multiplexing）シンボルから構成される。下りリンクのシステム帯域（下りリンクシステム帯域と呼称する）は、基地局装置３、またはＲＲＨ４の下りリンクの通信帯域である。例えば、下りリンクのシステム帯域幅（下りリンクシステム帯域幅と呼称する）は、２０ＭＨｚの周波数帯域幅から構成される。
【００４７】
なお、下りリンクシステム帯域では下りリンクシステム帯域幅に応じて複数のＤＬ  ＰＲＢが配置される。例えば、２０ＭＨｚの周波数帯域幅の下りリンクシステム帯域は、１１０個のＤＬ  ＰＲＢから構成される。
【００４８】
また、この図が示す時間領域においては、７個のＯＦＤＭシンボルから構成されるスロット（下りリンクスロットと呼称する）、２個の下りリンクスロットから構成されるサブフレーム（下りリンクサブフレームと呼称する）がある。なお、１個の下りリンクサブキャリアと１個のＯＦＤＭシンボルから構成されるユニットをリソースエレメント（RE: Resource Element）（下りリンクリソースエレメント）と呼称する。各下りリンクサブフレームには少なくとも、情報データ（トランスポートブロック; Transport Blockとも呼称する）の送信に用いられるＰＤＳＣＨ、制御情報の送信に用いられるＰＤＣＣＨが配置される。この図においては、ＰＤＣＣＨは下りリンクサブフレームの１番目から３番目までのＯＦＤＭシンボルから構成され、ＰＤＳＣＨは下りリンクサブフレームの４番目から１４番目までのＯＦＤＭシンボルから構成される。なお、ＰＤＣＣＨを構成するＯＦＤＭシンボルの数と、ＰＤＳＣＨを構成するＯＦＤＭシンボルの数は、下りリンクサブフレーム毎に変更されてもよい。
【００４９】
この図において図示は省略するが、下りリンクの参照信号（Reference signal: RS）（下りリンク参照信号と呼称する）の送信に用いられる下りリンクパイロットチャネルが複数の下りリンクリソースエレメントに分散して配置される。ここで、下りリンク参照信号は、少なくとも異なるタイプの第一のタイプの参照信号と第二のタイプの参照信号と第三のタイプの参照信号から構成される。例えば、下りリンク参照信号は、ＰＤＳＣＨおよびＰＤＣＣＨの伝搬路変動の推定に用いられる。例えば、第一のタイプの参照信号は、ＰＤＳＣＨ、ＰＤＣＣＨの復調に用いられ、Ｃｅｌｌ  ｓｐｅｃｉｆｉｃ  ＲＳ：ＣＲＳとも呼称する。例えば、第二のタイプの参照信号は、伝搬路変動の推定のみに用いられ、Ｃｈａｎｎｅｌ  Ｓｔａｔｅ  Ｉｎｆｏｒｍａｔｉｏｎ  ＲＳ：ＣＳＩ−ＲＳとも呼称する。例えば、第三のタイプの参照信号は、協調通信が適用されるＰＤＳＣＨの復調に用いられ、ＵＥ  ｓｐｅｃｉｆｉｃ  ＲＳとも呼称する。下りリンク参照信号は、通信システム１において既知の信号である。なお、下りリンク参照信号を構成する下りリンクリソースエレメントの数は、基地局装置３、ＲＲＨ４において移動局装置５への通信に用いられる送信アンテナ（アンテナポート）の数に依存してもよい。以降の説明では、第一のタイプの参照信号としてＣＲＳ、第二のタイプの参照信号としてＣＳＩ−ＲＳ、第三のタイプの参照信号としてＵＥ  ｓｐｅｃｉｆｉｃ  ＲＳが用いられる場合について説明する。なお、ＵＥ  ｓｐｅｃｉｆｉｃ  ＲＳは、協調通信が適用されないＰＤＳＣＨの復調にも用いられ得る。
【００５０】
ＰＤＣＣＨは、ＰＤＳＣＨに対するＤＬ  ＰＲＢの割り当てを示す情報、ＰＵＳＣＨに対するＵＬ  ＰＲＢの割り当てを示す情報、移動局識別子（Radio Network Temporary Identifier: RNTIと呼称する）、変調方式、符号化率、再送パラメータ、空間多重数、プリコーディング行列、送信電力制御コマンド（TPC command）を示す情報などの制御情報から生成された信号が配置される。ＰＤＣＣＨに含まれる制御情報を下りリンク制御情報（Downlink Control Information: DCI）と呼称する。ＰＤＳＣＨに対するＤＬ  ＰＲＢの割り当てを示す情報を含むＤＣＩは下りリンクアサインメント（Downlink assignment: DL assignment、またDownlink grantとも呼称する）と呼称し、ＰＵＳＣＨに対するＵＬ  ＰＲＢの割り当てを示す情報を含むＤＣＩは上りリンクグラント（Uplink grant: UL grant）と呼称する。なお、下りリンクアサインメントは、ＰＵＣＣＨに対する送信電力制御コマンドを含む。なお、上りリンクアサインメントは、ＰＵＳＣＨに対する送信電力制御コマンドを含む。なお、１個のＰＤＣＣＨは、１個のＰＤＳＣＨのリソースの割り当てを示す情報、または１個のＰＵＳＣＨのリソースの割り当てを示す情報しか含まず、複数のＰＤＳＣＨのリソースの割り当てを示す情報、または複数のＰＵＳＣＨのリソースの割り当てを示す情報を含まない。
【００５１】
更に、ＰＤＣＣＨで送信される情報として、巡回冗長検査ＣＲＣ（Cyclic Redundancy Check）符号がある。ＰＤＣＣＨで送信される、ＤＣＩ、ＲＮＴＩ、ＣＲＣの関係について詳細に説明する。予め決められた生成多項式を用いてＤＣＩからＣＲＣ符号が生成される。生成されたＣＲＣ符号に対してＲＮＴＩを用いて排他的論理和（スクランブリングとも呼称する）の処理が行なわれる。ＤＣＩを示すビットと、ＣＲＣ符号に対してＲＮＴＩを用いて排他的論理和の処理が行なわれて生成されたビット（CRC masked by UE IDと呼称する）を変調した信号が、ＰＤＣＣＨで実際に送信される。
【００５２】
ＰＤＳＣＨのリソースは、時間領域において、そのＰＤＳＣＨのリソースの割り当てに用いられた下りリンクアサインメントを含むＰＤＣＣＨのリソースが配置された下りリンクサブフレームと同一の下りリンクサブフレームに配置される。
【００５３】
下りリンク参照信号の配置について説明する。図１０は、本発明の実施形態に係る通信システム１の下りリンクサブフレーム内の下りリンク参照信号の配置の一例を示す図である。説明の簡略化のため、図１０では、１個のＰＲＢ  ｐａｉｒ内の下りリンク参照信号の配置について説明するが、基本的に下りリンクシステム帯域内の全てのＰＲＢ  ｐａｉｒにおいて共通した配置方法が用いられる。
【００５４】
網掛けした下りリンクリソースエレメントのうち、Ｒ０〜Ｒ１は、それぞれアンテナポート０〜１のＣＲＳを示す。ここで、アンテナポートとは、信号処理で用いる論理的なアンテナを意味し、１個のアンテナポートは複数の物理的なアンテナから構成されてもよい。同一のアンテナポートを構成する複数の物理的なアンテナは、同一の信号を送信する。同一のアンテナポート内で、複数の物理的なアンテナを用いて、遅延ダイバーシチ、またはＣＤＤ（Cyclic Delay Diversity）を適用することはできるが、その他の信号処理を用いることはできない。ここで、図１０においては、ＣＲＳが２つのアンテナポートに対応する場合について示すが、本実施形態の通信システムは異なる数のアンテナポートに対応してもよく、例えば、１つのアンテナポートや４つのアンテナポートに対するＣＲＳが下りリンクのリソースにマッピングされてもよい。ＣＲＳは、下りリンクシステム帯域内の全てのＤＬ  ＰＲＢ内に配置される。
【００５５】
斜線部分の下りリンクリソースエレメントのうち、Ｄ１はＵＥ  ｓｐｅｃｉｆｉｃ  ＲＳを示す。複数のアンテナポートを用いてＵＥ  ｓｐｅｃｉｆｉｃ  ＲＳが送信される場合、各アンテナポートで異なる符号が用いられる。つまり、ＵＥ  ｓｐｅｃｉｆｉｃ  ＲＳにＣＤＭ（Code Division Multiplexing）が適用される。ここで、ＵＥ  ｓｐｅｃｉｆｉｃ  ＲＳは、そのＰＲＢ  ｐａｉｒにマッピングされる制御信号やデータ信号に用いられる信号処理のタイプ（アンテナポートの数）に応じて、ＣＤＭに用いられる符号の長さやマッピングされる下りリンクリソースエレメントの数が変えられてもよい。例えば、基地局装置３、ＲＲＨ４において、協調通信に用いられるアンテナポートの数が２本の場合、符号の長さが２である符号を用いて、同じ周波数領域（サブキャリア）で連続する時間領域（OFDMシンボル）の２個の下りリンクリソースエレメントを一単位（CDMの単位）としてＵＥ  ｓｐｅｃｉｆｉｃ  ＲＳが多重されて、配置される。言い換えると、この場合、ＵＥ  ｓｐｅｃｉｆｉｃ  ＲＳの多重にＣＤＭが適用される。例えば、基地局装置３、ＲＲＨ４において協調通信に用いられるアンテナポートの数が４本の場合、ＵＥ  ｓｐｅｃｉｆｉｃ  ＲＳがマッピングされる下りリンクリソースエレメントの数が２倍に変えられ、２本のアンテナポート毎に異なる下りリンクリソースエレメントにＵＥ  ｓｐｅｃｉｆｉｃ  ＲＳが多重されて、配置される。言い換えると、この場合、ＵＥ  ｓｐｅｃｉｆｉｃ  ＲＳの多重にＣＤＭとＦＤＭ（Frequency Division Multiplexing）が適用される。例えば、基地局装置３、ＲＲＨ４において協調通信に用いられるアンテナポートの数が８本の場合、ＵＥ  ｓｐｅｃｉｆｉｃ  ＲＳがマッピングされる下りリンクリソースエレメントの数が２倍に変えられ、符号の長さが４である符号を用いて、４個の下りリンクリソースエレメントを一単位としてＵＥ  ｓｐｅｃｉｆｉｃ  ＲＳが多重されて、配置される。言い換えると、この場合、ＵＥ  ｓｐｅｃｉｆｉｃ  ＲＳの多重に異なる符号長のＣＤＭが適用される。
【００５６】
また、ＵＥ  ｓｐｅｃｉｆｉｃ  ＲＳにおいて、各アンテナポートの符号に対してスクランブル符号がさらに重畳される。このスクランブル符号は、基地局装置３、ＲＲＨ４から通知されるセルＩＤおよびスクランブルＩＤに基づいて生成される。例えば、スクランブル符号は、基地局装置３、ＲＲＨ４から通知されるセルＩＤおよびスクランブルＩＤに基づいて生成される擬似ランダム系列から生成される。例えば、スクランブルＩＤは、０または１を示す値である。また、用いられるスクランブルＩＤおよびアンテナポートは、ジョイントコーディング（Joint coding）されて、それらを示す情報をインデックス化することもできる。ＵＥ  ｓｐｅｃｉｆｉｃ  ＲＳは、ＵＥ  ｓｐｅｃｉｆｉｃ  ＲＳを用いることが設定された移動局装置５に割り当てられたＰＤＳＣＨのＤＬ  ＰＲＢ内に配置される。
【００５７】
また、基地局装置３およびＲＲＨ４はそれぞれ、異なる下りリンクリソースエレメントにＣＲＳの信号を割り当てる場合もあるし、同じ下りリンクリソースエレメントにＣＲＳの信号を割り当てる場合もある。例えば、基地局装置３およびＲＲＨ４はそれぞれ、異なるリソースエレメントおよび、または異なる信号系列にＣＲＳの信号を割り当てる場合には、移動局装置５はＣＲＳを用いてそれぞれの受信電力（受信信号電力、受信品質）を個別に算出することができる。特に、基地局装置３およびＲＲＨ４から通知されるセルＩＤが異なる場合には前述のような設定が可能となる。別の例では、基地局装置３のみが一部の下りリンクリソースエレメントにＣＲＳの信号を割り当て、ＲＲＨ４は何れの下りリンクリソースエレメントにもＣＲＳの信号を割り当てない場合がある。この場合には、移動局装置５は、基地局装置３の受信電力をＣＲＳから算出することができる。特に、基地局装置３からのみセルＩＤが通知される場合には前述のような設定が可能となる。別の例では、基地局装置３およびＲＲＨ４が同じ下りリンクリソースエレメントにＣＲＳの信号を割り当て、同じ系列を基地局装置３およびＲＲＨ４から送信した場合には、移動局装置５はＣＲＳを用いて合成された受信電力を算出することができる。特に、基地局装置３およびＲＲＨ４から通知されるセルＩＤが同じ場合には前述のような設定が可能となる。
【００５８】
なお、本発明の実施形態の説明では、例えば、電力を算出することは電力の値を算出することを含み、電力を計算することは電力の値を計算することを含み、電力を測定することは電力の値を測定することを含み、電力を報告することは電力の値を報告することを含む。このように、電力という表現は、適宜電力の値という意味も含まれる。
【００５９】
図１１は、８アンテナポート用のＣＳＩ−ＲＳ（伝送路状況測定用参照信号）がマッピングされたＤＬ  ＰＲＢ  ｐａｉｒを示す図である。図１１は、基地局装置３およびＲＲＨ４において用いられるアンテナポート数（CSIポート数）が８の場合のＣＳＩ−ＲＳがマッピングされる場合を示している。なお、図１１において、ＣＲＳ、ＵＥ  ｓｐｅｃｉｆｉｃ  ＲＳ、ＰＤＣＣＨ、ＰＤＳＣＨ等の記載は、説明の簡略化のため、省略している。
【００６０】
ＣＳＩ−ＲＳは、それぞれのＣＤＭグループにおいて、２チップの直交符号（Walsh符号）が用いられ、それぞれの直交符号にＣＳＩポート（CSI-RSのポート（アンテナポート、リソースグリッド））が割り当てられ、２ＣＳＩポート毎に符号分割多重される。さらに、それぞれのＣＤＭグループが周波数分割多重される。４つのＣＤＭグループを用いて、ＣＳＩポート１〜８（アンテナポート15〜22）の８アンテナポートのＣＳＩ−ＲＳがマッピングされる。例えば、ＣＳＩ−ＲＳのＣＤＭグループＣ１では、ＣＳＩポート１および２（アンテナポート15および16）のＣＳＩ−ＲＳが符号分割多重され、マッピングされる。ＣＳＩ−ＲＳのＣＤＭグループＣ２では、ＣＳＩポート３および４（アンテナポート17および18）のＣＳＩ−ＲＳが符号分割多重され、マッピングされる。ＣＳＩ−ＲＳのＣＤＭグループＣ３では、ＣＳＩポート５および６（アンテナポート19および20）のＣＳＩ−ＲＳが符号分割多重され、マッピングされる。ＣＳＩ−ＲＳのＣＤＭグループＣ４では、ＣＳＩポート７および８（アンテナポート21および22）のＣＳＩ−ＲＳが符号分割多重され、マッピングされる。
【００６１】
基地局装置３およびＲＲＨ４のアンテナポート数が８の場合、基地局装置３およびＲＲＨ４はＰＤＳＣＨに適用するレイヤー数（ランク数、空間多重数）を最大８とすることができる。また、基地局装置３およびＲＲＨ４は、アンテナポート数が１、２または４の場合のＣＳＩ−ＲＳを送信することができる。基地局装置３およびＲＲＨ４は、１アンテナポート用または２アンテナポート用のＣＳＩ−ＲＳを、図１１で示すＣＳＩ−ＲＳのＣＤＭグループＣ１を用いて、送信することができる。基地局装置３およびＲＲＨ４は、４アンテナポート用のＣＳＩ−ＲＳを、図１１で示すＣＳＩ−ＲＳのＣＤＭグループＣ１、Ｃ２を用いて、送信することができる。
【００６２】
また、基地局装置３およびＲＲＨ４はそれぞれ、異なる下りリンクリソースエレメントにＣＳＩ−ＲＳの信号を割り当てる場合もあるし、同じ下りリンクリソースエレメントにＣＳＩ−ＲＳの信号を割り当てる場合もある。例えば、基地局装置３およびＲＲＨ４はそれぞれ、異なる下りリンクリソースエレメントおよび、または異なる信号系列をＣＳＩ−ＲＳに割り当てる場合には、移動局装置５はＣＳＩ−ＲＳを用いて、基地局装置３およびＲＲＨ４のそれぞれの受信電力（受信信号電力、受信品質）およびそれぞれの伝搬路状態を個別に算出することができる。移動局装置５においては、基地局装置３から送信されるＣＳＩ−ＲＳ、ＲＲＨ４から送信されるＣＳＩ−ＲＳは、それぞれ異なるアンテナポートに対応するＣＳＩ−ＲＳと認識される。この場合、移動局装置５においては、基地局装置３より、各アンテナポートに対応するＣＳＩ−ＲＳの受信電力をそれぞれ個別に測定、算出することのみが指示され、各ＣＳＩ−ＲＳが実際には基地局装置３より送信されるのか、ＲＲＨ４より送信されるのかは明確に認識されなくても良い。別の例では、基地局装置およびＲＲＨ４が同じ下りリンクリソースエレメントをＣＳＩ−ＲＳに割り当て、同じ系列を基地局装置３およびＲＲＨ４から送信した場合には、移動局装置５はＣＳＩ−ＲＳを用いて合成された受信電力を算出することができる。また、異なるＲＲＨ４はそれぞれ、異なる下りリンクリソースエレメントにＣＳＩ−ＲＳの信号を割り当てる場合もある。例えば、異なるＲＲＨ４のそれぞれが異なる下りリンクリソースエレメントおよび、または異なる信号系列をＣＳＩ−ＲＳに割り当てる場合には、移動局装置５はＣＳＩ−ＲＳを用いて、異なるＲＲＨ４のそれぞれの受信電力（受信信号電力、受信品質）およびそれぞれの伝搬路状態を個別に算出することができる。
【００６３】
ＣＳＩ−ＲＳの構成（CSI-RS-Config-r10）は、基地局装置３、ＲＲＨ４から移動局装置５に通知される。ＣＳＩ−ＲＳの構成としては、ＣＳＩ−ＲＳに設定されるアンテナポートの数を示す情報（antennaPortsCount-r10）、ＣＳＩ−ＲＳが配置される下りリンクサブフレームを示す情報（subframeConfig-r10）、ＣＳＩ−ＲＳが配置される周波数領域を示す情報（ResourceConfig-r10）が少なくとも含まれる。アンテナポートの数は、例えば、１，２，４，８の値の何れかが用いられる。ＣＳＩ−ＲＳが配置される周波数領域を示す情報として、アンテナポート１５（CSIポート1）に対応するＣＳＩ−ＲＳが配置されるリソースエレメントの中で、先頭のリソースエレメントの位置を示すインデックスが用いられる。アンテナポート１５に対応するＣＳＩ−ＲＳの位置が決まれば、他のアンテナポートに対応するＣＳＩ−ＲＳは予め決められたルールに基づき一意に決まる。ＣＳＩ−ＲＳが配置される下りリンクサブフレームを示す情報として、ＣＳＩ−ＲＳが配置される下りリンクサブフレームの位置と周期がインデックスにより示される。例えば、ｓｕｂｆｒａｍｅＣｏｎｆｉｇ−ｒ１０のインデックスが５であれば、１０サブフレーム毎にＣＳＩ−ＲＳが配置されることを示し、１０サブフレームを単位とする無線フレーム中ではサブフレーム０（無線フレーム内のサブフレームの番号）にＣＳＩ−ＲＳが配置されることを示す。また、別の例では、例えばｓｕｂｆｒａｍｅＣｏｎｆｉｇ−ｒ１０のインデックスが１であれば、５サブフレーム毎にＣＳＩ−ＲＳが配置されることを示し、１０サブフレームを単位とする無線フレーム中ではサブフレーム１と６にＣＳＩ−ＲＳが配置されることを示す。
【００６４】
本発明の実施形態では、少なくとも特定のアンテナポートに対応するＣＳＩ−ＲＳをＲＲＨ４のみが送信する場合を主に想定する。ＣＳＩ−ＲＳの全てのアンテナポートに対応するＣＳＩ−ＲＳをＲＲＨ４のみが送信する場合を含む。一部のアンテナポートに対応するＣＳＩ−ＲＳをＲＲＨ４のみが送信する場合、その他のアンテナポートに対応するＣＳＩ−ＲＳは、基地局装置３のみから送信されてもよく、基地局装置３とＲＲＨ４の両方から送信（SFN送信）されてもよい。ＣＲＳは、基地局装置３のみから送信されてもよく、基地局装置３とＲＲＨ４の両方から送信（SFN送信）されてもよい。
【００６５】
詳細は後述するが、移動局装置５は、ＲＲＨ４のみが送信する特定のアンテナポートのＣＳＩ−ＲＳを受信して、ＲＲＨ４に対するパスロスを測定し、測定したパスロスを上りリンクの信号の送信電力の設定に用いる。これにより、信号の受信先がＲＲＨ４である場合に適した送信電力を設定することができる。また、移動局装置５は、基地局装置３のみが送信するＲＳ（CRS、またはCSI-RS）を受信して、基地局装置３に対するパスロスを測定し、測定したパスロスを上りリンクの信号の送信電力の設定に用いるようにしてもよい。これにより、信号の受信先が基地局装置３である場合に適した送信電力を設定することができる。また、移動局装置５は、基地局装置３とＲＲＨ４の両方が送信するＲＳ（CRS、またはCSI-RS）を受信して、両信号が合成された信号からパスロスを測定し、測定したパスロスを上りリンクの信号の送信電力の設定に用いるようにしてもよい。これにより、信号の受信先が基地局装置３、またはＲＲＨ４である場合に、ある程度適した送信電力を設定することができる。このように、信号の受信先に適した送信電力を設定するようにすることにより、信号の要求品質を満足しつつ、他の信号に与える干渉を抑え、通信システムの効率を向上させることができる。
【００６６】
本発明の実施形態は、上述のように、移動局装置５が、異なる種類の下りリンクの参照信号から複数のパスロスの測定を行ない、何れか１つのパスロスを用いて、または各パスロスを用いて上りリンクの信号の送信電力を制御する通信システムを主に想定する。例えば、移動局装置５が、ＣＲＳとＣＳＩ−ＲＳから複数のパスロスの測定を行ない、何れか１つのパスロスを用いて上りリンクの信号の送信電力を制御する通信システムを主に想定する。または、本発明の実施形態は、上述のように、移動局装置５が、同じ種類の下りリンクの参照信号ではあるが、異なる送信装置（基地局装置3、RRH4）から送信された下りリンクの参照信号に対して複数のパスロスの測定を行ない、何れか１つのパスロスを用いて、または各パスロスを用いて上りリンクの信号の送信電力を制御する通信システムを主に想定する。例えば、移動局装置５が、あるアンテナポートに対応するＣＳＩ−ＲＳと、そのアンテナポートとは異なるアンテナポートに対応するＣＳＩ−ＲＳから複数のパスロスの測定を行ない、何れか１つのパスロスを用いて上りリンクの信号の送信電力を制御する通信システムを主に想定する。
【００６７】
また、本発明の実施形態は、上りリンクの送信電力制御に適用されるパスロスに関して、物理チャネル毎に独立にパスロスが設定され得る通信システムを想定する。例えば、ＰＵＣＣＨの送信電力制御とＰＵＳＣＨの送信電力制御に対して、異なるパスロスが設定される。例えば、ＰＵＣＣＨの送信電力制御に対してＣＲＳから測定されたパスロスが設定され、ＰＵＳＣＨの送信電力制御に対してＣＳＩ−ＲＳから測定されたパスロスが設定される。例えば、ＰＵＣＣＨの送信電力制御に対してＣＳＩ−ＲＳから測定されたパスロスが設定され、ＰＵＳＣＨの送信電力制御に対してＣＲＳから測定されたパスロスが設定される。例えば、ＰＵＣＣＨの送信電力制御とＰＵＳＣＨの送信電力制御のそれぞれに対して、異なるアンテナポートに対応するＣＳＩ−ＲＳから測定されたパスロスが設定される。例えば、ＰＵＣＣＨの送信電力制御とＰＵＳＣＨの送信電力制御に対して、同じパスロスが設定される。例えば、ＰＵＣＣＨの送信電力制御とＰＵＳＣＨの送信電力制御に対して、同じＣＲＳから測定されたパスロスが設定される。例えば、ＰＵＣＣＨの送信電力制御とＰＵＳＣＨの送信電力制御に対して、同じＣＳＩ−ＲＳから測定されたパスロスが設定される。例えば、ＰＵＣＣＨの送信電力制御とＰＵＳＣＨの送信電力制御に対して、同じアンテナポートのＣＳＩ−ＲＳから測定されたパスロスが設定される。
【００６８】
なお、ＲＲＨ４のみが送信するＣＳＩ−ＲＳのアンテナポートに関する情報は、移動局装置５に通知される。通知された情報に基づき、移動局装置５はＲＲＨ４から送信される信号に対するパスロスの測定を行なうことができる。以降の説明では、説明の簡略化のため、基本的にＣＲＳは基地局装置３のみから送信され、ＣＳＩ−ＲＳはＲＲＨ４のみから送信される場合について説明する。よって、以降の説明では、ＣＲＳに基づいて測定されるパスロスは基地局装置３から送信される信号に対してのものであり、ＣＳＩ−ＲＳに基づいて測定されるパスロスはＲＲＨ４から送信される信号に対してのものであることを意味する。説明の簡略化のために、このような通信システムに対して本発明の実施形態を説明しているだけであり、以降の説明は本発明を限定するものではなく、ＣＲＳが基地局装置３とＲＲＨ４の両方から送信される通信システム、特定のアンテナポートのＣＳＩ−ＲＳのみがＲＲＨ４のみから送信される通信システムなどにも本発明を適用することができる。
【００６９】
なお、ＣＲＳの送信電力、ＣＳＩ−ＲＳの送信電力に関する情報がＲＲＣシグナリングを用いて、基地局装置３、ＲＲＨ４から移動局装置５に通知される。詳細は後述するが、移動局装置５は、通知された各種類の下りリンク参照信号の送信電力を用いて、各種類の下りリンク参照信号からパスロスを測定（計算）する。
【００７０】
なお、本発明の実施形態の説明では、送信電力という表現は適宜送信電力値の意味を含む。例えば、送信電力を設定するということは、送信電力の値を設定することを含む。例えば、送信電力を制御するということは、送信電力の値を制御することを含む。
【００７１】
＜上りリンクの時間フレームの構成＞
図１２は、本発明の実施形態に係る移動局装置５から基地局装置３、ＲＲＨ４への上りリンクの時間フレームの概略構成を示す図である。この図において、横軸は時間領域、縦軸は周波数領域を表している。上りリンクの時間フレームは、リソースの割り当てなどの単位であり、上りリンクの予め決められた幅の周波数帯および時間帯からなる物理リソースブロックのペア（上りリンク物理リソースブロックペア; UL PRB pairと呼称する）から構成される。１個のＵＬ  ＰＲＢ  ｐａｉｒは、上りリンクの時間領域で連続する２個の上りリンクのＰＲＢ（上りリンク物理リソースブロック; UL PRBと呼称する）から構成される。
【００７２】
また、この図において、１個のＵＬ  ＰＲＢは、上りリンクの周波数領域において１２個のサブキャリア（上りリンクサブキャリアと呼称する）から構成され、時間領域において７個のＳＣ−ＦＤＭＡ（Single-Carrier Frequency Division Multiple Access）シンボルから構成される。上りリンクのシステム帯域（上りリンクシステム帯域と呼称する）は、基地局装置３、ＲＲＨ４の上りリンクの通信帯域である。上りリンクのシステム帯域幅（上りリンクシステム帯域幅と呼称する）は、例えば、２０ＭＨｚの周波数帯域幅から構成される。
【００７３】
なお、上りリンクシステム帯域では上りリンクシステム帯域幅に応じて複数のＵＬ  ＰＲＢが配置される。例えば、２０ＭＨｚの周波数帯域幅の上りリンクシステム帯域は、１１０個のＵＬ  ＰＲＢから構成される。また、この図が示す時間領域においては、７個のＳＣ−ＦＤＭＡシンボルから構成されるスロット（上りリンクスロットと呼称する）、２個の上りリンクスロットから構成されるサブフレーム（上りリンクサブフレームと呼称する）がある。なお、１個の上りリンクサブキャリアと１個のＳＣ−ＦＤＭＡシンボルから構成されるユニットをリソースエレメント（上りリンクリソースエレメント）と呼称する。
【００７４】
各上りリンクサブフレームには、少なくとも情報データの送信に用いられるＰＵＳＣＨ、上りリンク制御情報（UCI: Uplink Control Information）の送信に用いられるＰＵＣＣＨ、ＰＵＳＣＨとＰＵＣＣＨの復調（伝搬路変動の推定）のためのＵＬ  ＲＳ（DM RS）が配置される。また、図示は省略するが、何れかの上りリンクサブフレームには、上りリンクの同期確立のために用いられるＰＲＡＣＨが配置される。また、図示は省略するが、何れかの上りリンクサブフレームには、チャネル品質、同期ずれの測定等に用いられるＵＬ  ＲＳ（SRS）が配置される。ＰＵＣＣＨは、ＰＤＳＣＨを用いて受信されたデータに対する肯定応答（ACK: Acknowledgement）または否定応答（NACK: Negative Acknowledgement）を示すＵＣＩ（ACK/NACK）、上りリンクのリソースの割り当てを要求するか否かを少なくとも示すＵＣＩ（SR: Scheduling Request; スケジューリング要求）、下りリンクの受信品質（チャネル品質とも呼称する）を示すＵＣＩ（CQI: Channel Quality Indicator; チャネル品質指標）を送信するために用いられる。
【００７５】
なお、移動局装置５が上りリンクのリソースの割り当てを要求することを基地局装置３に示す場合に、移動局装置５はＳＲの送信用のＰＵＣＣＨで信号を送信する。基地局装置３は、ＳＲの送信用のＰＵＣＣＨのリソースで信号を検出したという結果から移動局装置５が上りリンクのリソースの割り当てを要求していることを認識する。移動局装置５が上りリンクのリソースの割り当てを要求しないことを基地局装置３に示す場合に、移動局装置５は予め割り当てられたＳＲの送信用のＰＵＣＣＨのリソースで何も信号を送信しない。基地局装置３は、ＳＲの送信用のＰＵＣＣＨのリソースで信号を検出しなかったという結果から移動局装置５が上りリンクのリソースの割り当てを要求していないことを認識する。
【００７６】
また、ＰＵＣＣＨは、ＡＣＫ／ＮＡＣＫからなるＵＣＩが送信される場合と、ＳＲからなるＵＣＩが送信される場合と、ＣＱＩからなるＵＣＩが送信される場合とで異なる種類の信号構成が用いられる。ＡＣＫ／ＮＡＣＫの送信に用いられるＰＵＣＣＨをＰＵＣＣＨ  ｆｏｒｍａｔ  １ａ、またはＰＵＣＣＨ  ｆｏｒｍａｔ  １ｂと呼称する。ＰＵＣＣＨ  ｆｏｒｍａｔ  １ａでは、ＡＣＫ／ＮＡＣＫに関する情報を変調する変調方式としてＢＰＳＫ（二位相偏移変調; Binary Phase Shift Keying）が用いられる。ＰＵＣＣＨ  ｆｏｒｍａｔ  １ａでは、1ビットの情報が変調信号から示される。ＰＵＣＣＨ  ｆｏｒｍａｔ  １ｂでは、ＡＣＫ／ＮＡＣＫに関する情報を変調する変調方式としてＱＰＳＫ（四位相偏移変調; Quadrature Phase Shift Keying）が用いられる。ＰＵＣＣＨ  ｆｏｒｍａｔ  １ｂでは、２ビットの情報が変調信号から示される。ＳＲの送信に用いられるＰＵＣＣＨをＰＵＣＣＨ  ｆｏｒｍａｔ  １と呼称する。ＣＱＩの送信に用いられるＰＵＣＣＨをＰＵＣＣＨ  ｆｏｒｍａｔ  ２と呼称する。ＣＱＩとＡＣＫ／ＮＡＣＫの同時送信に用いられるＰＵＣＣＨをＰＵＣＣＨ  ｆｏｒｍａｔ  ２ａ、またはＰＵＣＣＨ  ｆｏｒｍａｔ  ２ｂと呼称する。ＰＵＣＣＨ  ｆｏｒｍａｔ  ２ｂでは、上りリンクパイロットチャネルの参照信号（ＤＭ  ＲＳ）にＡＣＫ／ＮＡＣＫの情報から生成された変調信号が乗算される。ＰＵＣＣＨ  ｆｏｒｍａｔ  ２ａでは、ＡＣＫ／ＮＡＣＫに関する１ビットの情報とＣＱＩの情報が送信される。ＰＵＣＣＨ  ｆｏｒｍａｔ  ２ｂでは、ＡＣＫ／ＮＡＣＫに関する２ビットの情報とＣＱＩの情報が送信される。
【００７７】
なお、１個のＰＵＳＣＨは１個以上のＵＬ  ＰＲＢから構成され、１個のＰＵＣＣＨは上りリンクシステム帯域内において周波数領域に対称関係にあり、異なる上りリンクスロットに位置する２個のＵＬ  ＰＲＢから構成され、１個のＰＲＡＣＨは６個のＵＬ  ＰＲＢ  ｐａｉｒから構成される。例えば、図１２において、上りリンクサブフレーム内において、１番目の上りリンクスロットの最も周波数が低いＵＬ  ＰＲＢと、２番目の上りリンクスロットの最も周波数が高いＵＬ  ＰＲＢと、により、ＰＵＣＣＨに用いられるＵＬ  ＰＲＢ  ｐａｉｒの１個が構成される。なお、移動局装置５は、ＰＵＳＣＨとＰＵＣＣＨの同時送信を行なわないように設定されている場合、同一上りリンクサブフレームでＰＵＣＣＨのリソースとＰＵＳＣＨのリソースが割り当てられた場合は、ＰＵＳＣＨのリソースのみを用いて信号を送信する。なお、移動局装置５は、ＰＵＳＣＨとＰＵＣＣＨの同時送信を行なうように設定されている場合、同一上りリンクサブフレームでＰＵＣＣＨのリソースとＰＵＳＣＨのリソースが割り当てられた場合は、基本的にＰＵＣＣＨのリソースとＰＵＳＣＨのリソースの両方を用いて信号を送信することができる。
【００７８】
ＵＬ  ＲＳは、上りリンクパイロットチャネルに用いられる信号である。ＵＬ  ＲＳは、ＰＵＳＣＨおよびＰＵＣＣＨの伝搬路変動の推定に用いられる復調参照信号（DM RS: Demodulation Reference Signal）と、基地局装置３、ＲＲＨ４のＰＵＳＣＨの周波数スケジューリングおよび適応変調のためのチャネル品質の測定、基地局装置３、ＲＲＨ４と移動局装置５間の同期ずれの測定に用いられるサウンディング参照信号（SRS: Sounding Reference Signal）とから構成される。ＤＭ  ＲＳは、ＰＵＳＣＨと同じＵＬ  ＰＲＢ内に配置される場合と、ＰＵＣＣＨと同じＵＬ  ＰＲＢ内に配置される場合とで、異なるＳＣ−ＦＤＭＡシンボルに配置される。ＤＭ  ＲＳは、ＰＵＳＣＨおよびＰＵＣＣＨの伝搬路変動の推定に用いられる、通信システム１において既知の信号である。
【００７９】
ＤＭ  ＲＳは、ＰＵＳＣＨと同じＵＬ  ＰＲＢ内に配置される場合、上りリンクスロット内の４番目のＳＣ−ＦＤＭＡシンボルに配置される。ＤＭ  ＲＳは、ＡＣＫ／ＮＡＣＫを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＳＲを含むＰＵＣＣＨと同じＵＬ  ＰＲＢ内に配置される場合、上りリンクスロット内の３番目と４番目と５番目のＳＣ−ＦＤＭＡシンボルに配置される。ＤＭ  ＲＳは、ＣＱＩを含むＰＵＣＣＨと同じＵＬ  ＰＲＢ内に配置される場合、上りリンクスロット内の２番目と６番目のＳＣ−ＦＤＭＡシンボルに配置される。
【００８０】
ＳＲＳは、基地局装置３が決定したＵＬ  ＰＲＢ内に配置され、上りリンクサブフレーム内の１４番目のＳＣ−ＦＤＭＡシンボル（上りリンクサブフレームの2番目の上りリンクスロットの7番目のSC-FDMAシンボル）に配置される。ＳＲＳは、セル内において基地局装置３が決定した周期の上りリンクサブフレーム（調査参照信号サブフレーム; SRS subframeと呼称する）のみに配置され得る。ＳＲＳ  ｓｕｂｆｒａｍｅに対して、基地局装置３は移動局装置５毎にＳＲＳを送信する周期、ＳＲＳに割り当てるＵＬ  ＰＲＢを割り当てる。
【００８１】
図１２では、ＰＵＣＣＨが上りリンクシステム帯域の周波数領域で最も端のＵＬ  ＰＲＢに配置された場合を示しているが、上りリンクシステム帯域の端から２番目、３番目などのＵＬ  ＰＲＢがＰＵＣＣＨに用いられてもよい。
【００８２】
なお、ＰＵＣＣＨにおいて周波数領域での符号多重、時間領域での符号多重が用いられる。周波数領域での符号多重は、サブキャリア単位で符号系列の各符号が上りリンク制御情報から変調された変調信号に乗算されることにより処理される。時間領域での符号多重は、ＳＣ−ＦＤＭＡシンボル単位で符号系列の各符号が上りリンク制御情報から変調された変調信号に乗算されることにより処理される。複数のＰＵＣＣＨが同一のＵＬ  ＰＲＢに配置され、各ＰＵＣＣＨは異なる符号が割り当てられ、割り当てられた符号により周波数領域、または時間領域において符号多重が実現される。ＡＣＫ／ＮＡＣＫを送信するために用いられるＰＵＣＣＨ（PUCCH format 1a、またはPUCCH format 1bと呼称する）においては、周波数領域および時間領域での符号多重が用いられる。ＳＲを送信するために用いられるＰＵＣＣＨ（PUCCH format 1と呼称する）においては、周波数領域および時間領域での符号多重が用いられる。ＣＱＩを送信するために用いられるＰＵＣＣＨ（PUCCH format 2、またはPUCCH format 2a、またはPUCCH format 2bと呼称する）においては、周波数領域での符号多重が用いられる。なお、説明の簡略化のため、ＰＵＣＣＨの符号多重に係る内容の説明は適宜省略する。
【００８３】
ＰＵＳＣＨのリソースは、時間領域において、そのＰＵＳＣＨのリソースの割り当てに用いられた上りリンクグラントを含むＰＤＣＣＨのリソースが配置された下りリンクサブフレームから所定の数（例えば、4）後の上りリンクサブフレームに配置される。
【００８４】
＜ＣＳＩ−ＲＳに基づくパスロスの測定の追加＞
移動局装置５は、ＣＲＳに基づきパスロスを計算（測定）する。また、移動局装置５は、追加として、ＣＳＩ−ＲＳに基づきパスロスを計算（測定）する。移動局装置５は、計算したパスロスに基づき上りリンクの送信電力の計算を行ない、計算した値の上りリンクの送信電力で上りリンクの信号の送信を行なう。基地局装置３は、移動局装置５に対して下りリンク参照信号の測定に関するパラメータ（コンフィグレーション）を設定する。なお、初期状態（デフォルト状態）では、移動局装置５はＣＲＳに基づきパスロスを計算し、計算したパスロスを用いて上りリンクの送信電力値を計算する。なお、初期状態では、移動局装置５は、アンテナポート０のＣＲＳ、またはアンテナポート０と１のＣＲＳに基づき、パスロスの計算を行なう。
【００８５】
基地局装置３は、必要と判断した場合（例えば、移動局装置5がRRH4に距離的に近いと判断した場合）、追加でＣＳＩ−ＲＳに基づきパスロスを計算し、上りリンクの送信電力に用いることができるように、移動局装置５に対して設定を行なう。具体的には、基地局装置３は、移動局装置５のパスロスリファレンスの追加変更（再設定、再構成）を行なう。例えば、この変更は、ＲＲＣシグナリングを用いて行なわれる。パスロスリファレンスとは、パスロスの計算に用いる測定対象を意味し、ＣＲＳ、またはＣＳＩ−ＲＳである。ここで、基地局装置３は、移動局装置５がパスロスの計算に用いるＣＳＩ−ＲＳのアンテナポートを指定することができ、移動局装置５は基地局装置３より指定されたアンテナポートのＣＳＩ−ＲＳに基づきパスロスの計算を行なう。なお、ここでは、移動局装置５が基地局装置３より指定されるアンテナポートは、１つのアンテナポートであってもよく、複数のアンテナポートであってもよく、全てのアンテナポートであってもよい。基地局装置３は、ＣＲＳに基づき測定されたパスロスを用いて計算した送信電力で上りリンクの信号を送信するように、移動局装置５を制御する。基地局装置３は、ＣＳＩ−ＲＳに基づき測定されたパスロスを用いて計算した送信電力で上りリンクの信号を送信するように、移動局装置５を制御する。また、基地局装置３は、必要と判断した場合、ＣＳＩ−ＲＳに基づくパスロスの測定をやめるように、移動局装置５に対して設定を行なう。この動作は、移動局装置５がＣＳＩ−ＲＳに基づきパスロスを計算している状態に対して行なわれ得る。
【００８６】
基地局装置３は、移動局装置５に対して、上りリンクの送信電力制御に適用されるパスロスに関して、物理チャネル毎に独立にパスロスリファレンスを設定することができる。例えば、基地局装置３は、移動局装置５に対して、ＰＵＣＣＨの送信電力制御とＰＵＳＣＨの送信電力制御に対して、異なるパスロスリファレンスを設定する。例えば、基地局装置３は、移動局装置５に対して、ＰＵＣＣＨの送信電力制御に対してパスロスリファレンスとしてＣＲＳを設定し、ＰＵＳＣＨの送信電力制御に対してパスロスリファレンスとしてＣＳＩ−ＲＳを設定する。例えば、基地局装置３は、移動局装置５に対して、ＰＵＣＣＨの送信電力制御に対してパスロスリファレンスとしてＣＳＩ−ＲＳを設定し、ＰＵＳＣＨの送信電力制御に対してパスロスリファレンスとしてＣＲＳを設定する。例えば、基地局装置３は、移動局装置５に対して、ＰＵＣＣＨの送信電力制御とＰＵＳＣＨの送信電力制御のそれぞれに対して、パスロスリファレンスとして異なるアンテナポートに対応するＣＳＩ−ＲＳを設定する。例えば、基地局装置３は、移動局装置５に対して、ＰＵＣＣＨの送信電力制御とＰＵＳＣＨの送信電力制御に対して、同じパスロスリファレンスを設定する。例えば、基地局装置３は、移動局装置５に対して、ＰＵＣＣＨの送信電力制御とＰＵＳＣＨの送信電力制御に対して、パスロスリファレンスとして同じＣＲＳを設定する。例えば、基地局装置３は、移動局装置５に対して、ＰＵＣＣＨの送信電力制御とＰＵＳＣＨの送信電力制御に対して、パスロスリファレンスとして同じＣＳＩ−ＲＳを設定する。例えば、基地局装置３は、移動局装置５に対して、ＰＵＣＣＨの送信電力制御とＰＵＳＣＨの送信電力制御に対して、パスロスリファレンスとして同じアンテナポートのＣＳＩ−ＲＳを設定する。
【００８７】
なお、パスロスの計算には、下りリンクの参照信号の送信電力の値が必要となるため、ＣＲＳの送信電力値に関する情報、ＣＳＩ−ＲＳの送信電力値に関する情報が、基地局装置３から移動局装置５に通知される。
【００８８】
＜パワーヘッドルームレポーティング＞
パワーヘッドルームレポーティング（Power Headroom Reporting）は、名目上の移動局最大送信電力（nominal UE maximum transmit power）と、ＰＵＳＣＨに対する推定送信電力との差に関する情報（パワーヘッドルーム；Power Headroom）を基地局装置３、ＲＲＨ４に提供するための手順である。処理階層としてＲＲＣ（Radio Resource Control）がパワーヘッドルームレポーティングを制御し、制御のために２つのタイマー（periodicPHR-Timer、prohibitPHR-Timer）を構成し、あるパラメータ（dl-PathlossChange）をシグナリングする。パワーヘッドルームの送信を判断する一連の処理のことを、パワーヘッドルームの送信処理と呼称する。各パスロスリファレンスに対して、パワーヘッドルームの送信処理が実行（制御）される。
【００８９】
ｄｌ−ＰａｔｈｌｏｓｓＣｈａｎｇｅは、パスロスの値が変化した際にパワーヘッドルームの送信を行なうためのパラメータである。最後にパワーヘッドルームを送信した時点で測定されたパスロスと、現時点で測定されたパスロスとの変化量が、ｄｌ−ＰａｔｈｌｏｓｓＣｈａｎｇｅとの閾値判断に用いられる。ｄｌ−ＰａｔｈｌｏｓｓＣｈａｎｇｅを用いた閾値判断が行なわれ、測定されたパスロスの変化量がｄｌ−ＰａｔｈｌｏｓｓＣｈａｎｇｅの値を超えたら、パワーヘッドルームの報告処理が始動（駆動）（トリガー）される。ｄｌ−ＰａｔｈｌｏｓｓＣｈａｎｇｅの値は、ｄＢで表現され、例えば、１ｄＢ、３ｄＢ、６ｄＢ、無限（Infinity）の何れかの値が用いられる。
【００９０】
ｐｅｒｉｏｄｉｃＰＨＲ−Ｔｉｍｅｒは、ある程度定期的にパワーヘッドルームの送信を行なうために用いられるタイマーである。ｐｅｒｉｏｄｉｃＰＨＲ−Ｔｉｍｅｒが終了したら、パワーヘッドルームの報告処理が始動される。パワーヘッドルームの送信が行なわれると、計測中のｐｅｒｉｏｄｉｃＰＨＲ−Ｔｉｍｅｒは一旦リセット、リスタートされる。ｐｅｒｉｏｄｉｃＰＨＲ−Ｔｉｍｅｒの値は、単位としてサブフレーム数で表現され、例えば、１０サブフレーム、２０サブフレーム、５０サブフレーム、１００サブフレーム、２００サブフレーム、５００サブフレーム、１０００サブフレーム、無限（Infinity）の何れかの値が用いられる。
【００９１】
ｐｒｏｈｉｂｉｔＰＨＲ−Ｔｉｍｅｒは、必要以上に頻繁にパワーヘッドルームの送信を行なうことを防ぐために用いられるタイマーである。ｐｒｏｈｉｂｉｔＰＨＲ−Ｔｉｍｅｒが終了せず、計測中の間は、測定されたパスロスの変化量がｄｌ−ＰａｔｈｌｏｓｓＣｈａｎｇｅの値を超えたとしても、パワーヘッドルームの報告処理は始動されない。ｐｒｏｈｉｂｉｔＰＨＲ−Ｔｉｍｅｒが終了したら、ｄｌ−ＰａｔｈｌｏｓｓＣｈａｎｇｅにより、パワーヘッドルームの報告処理が始動され得る。パワーヘッドルームの送信が行なわれると、計測中のｐｒｏｈｉｂｉｔＰＨＲ−Ｔｉｍｅｒは一旦リセット、リスタートされる。ｐｒｏｈｉｂｉｔＰＨＲ−Ｔｉｍｅｒの値は、単位としてサブフレーム数で表現され、例えば、０サブフレーム、１０サブフレーム、２０サブフレーム、５０サブフレーム、１００サブフレーム、２００サブフレーム、５００サブフレーム、１０００サブフレームの何れかの値が用いられる。
【００９２】
ｐｅｒｉｏｄｉｃＰＨＲ−Ｔｉｍｅｒ、ｐｒｏｈｉｂｉｔＰＨＲ−Ｔｉｍｅｒ、ｄｌ−ＰａｔｈｌｏｓｓＣｈａｎｇｅのパラメータが、ｐｈｒ−ＣｏｎｆｉｇというＲＲＣシグナリングの構造体を用いて、基地局装置３、ＲＲＨ４から移動局装置５に通知される。ｐｈｒ−Ｃｏｎｆｉｇが初期設定（configuration of power headroom reporting functionality）されたら、または再設定（reconfiguration of power headroom reporting functionality）されたら、パワーヘッドルームの報告処理が始動され得る。
【００９３】
パワーヘッドルームは、第一のタイプのレポートと第二のタイプのレポートから構成される。第一のタイプのレポートは、ある上りリンクサブフレームでＰＵＳＣＨの送信のみを想定して、パワーヘッドルームが計算される。第二のタイプのレポートは、ある上りリンクサブフレームでＰＵＳＣＨとＰＵＣＣＨの同時送信を想定して、パワーヘッドルームが計算される。
【００９４】
第一のタイプのレポートの値は、移動局装置５に予め構成された送信電力値と、所望のＰＵＳＣＨの送信電力値との差分である。所望のＰＵＳＣＨの送信電力値は、送信電力制御に用いられるパラメータを用いて、予め決められた式（アルゴリズム）を用いて計算される。例えば、所望のＰＵＳＣＨの送信電力値は、要求される品質を満たすために設定される。実際に送信されるＰＵＳＣＨの送信電力値は、移動局装置５に予め構成された送信電力値と、所望のＰＵＳＣＨの送信電力値とを比較して小さい値が用いられる。移動局装置５に予め構成された送信電力値は、基地局装置３、ＲＲＨ４が予め移動局装置５に対して設定した送信電力値、または移動局装置５の装置能力としての許容送信電力の上限値である。例えば、装置能力はパワーアンプのクラスと対応する。パワーヘッドルーム（第一のタイプのレポート、第二のタイプのレポート）の値は、［４０；−２３］ｄＢの範囲内で、１ｄＢステップで表現される。
【００９５】
第二のタイプのレポートの値は、移動局装置５に予め構成された送信電力値と、所望のＰＵＳＣＨの送信電力値と所望のＰＵＣＣＨの送信電力値との差分である。所望のＰＵＣＣＨの送信電力値は、送信電力制御に用いられるパラメータを用いて、予め決められた式（アルゴリズム）を用いて計算される。例えば、所望のＰＵＣＣＨの送信電力値は、要求される品質を満たすために設定される。実際に同時送信されるＰＵＳＣＨとＰＵＣＣＨの送信電力値は、移動局装置５に予め構成された送信電力値と、所望のＰＵＳＣＨの送信電力値と所望のＰＵＣＣＨの送信電力値との合計値を比較して小さい値が用いられる。
【００９６】
移動局装置５は、ＰＵＳＣＨの送信電力制御に対して用いるパスロスが基地局装置３、ＲＲＨ４より設定された（構成された、変更された、再設定された、再構成された、再変更された）場合、パワーヘッドルームの報告処理を始動すると判断し、パワーヘッドルームの送信待機状態となってもよい。送信待機状態とは、パワーヘッドルームの送信がトリガーされた状態とも言える。送信待機状態の移動局装置５は、再送を除く、新規送信のためのＰＵＳＣＨのリソースが基地局装置３、ＲＲＨ４より割り当てられたら、リソースが割り当てられたＰＵＳＣＨ、またはＰＵＳＣＨとＰＵＣＣＨを用いてパワーヘッドルームの情報を含む信号を送信する。第一の実施形態で、ＰＵＳＣＨの送信電力制御に対して用いるパスロスは、ＣＲＳに基づき計算されたパスロス、またはＣＳＩ−ＲＳに基づき計算されたパスロスである。
【００９７】
パワーヘッドルームとして第一のタイプのレポートの値の計算は、基本的に、パワーヘッドルームの送信に用いるＰＵＳＣＨに設定される送信電力値に基づいて行なわれる。正確には、パワーヘッドルームとして第一のタイプのレポートの計算に用いられるのは、上述の所望のＰＵＳＣＨの送信電力値である。上述の所望のＰＵＳＣＨの送信電力値が移動局装置５に予め構成された送信電力値より小さい場合は、パワーヘッドルームの送信に用いられるＰＵＳＣＨの送信電力値は所望のＰＵＳＣＨの送信電力値となる。上述の所望のＰＵＳＣＨの送信電力値が移動局装置５に予め構成された送信電力値より大きい場合は、パワーヘッドルームの送信に用いられるＰＵＳＣＨの送信電力値は移動局装置５に予め構成された送信電力値となる。なお、パスロスの測定に用いる対象を、パスロスリファレンス（Pathloss reference）と呼称する。上りリンクの送信電力値の計算に用いるパスロスは、設定されたパスロスリファレンスから計算される。つまり、パワーヘッドルームの値の計算は、設定されたパスロスリファレンスから計算されるパスロスに基づいて行なわれる。
【００９８】
パワーヘッドルームとして第二のタイプのレポートの値の計算は、基本的に、パワーヘッドルームの送信に用いるＰＵＳＣＨに設定される送信電力値と、ＰＵＳＣＨと同時に送信されるＰＵＣＣＨに設定される送信電力値とに基づいて行なわれる。正確には、パワーヘッドルームとして第二のタイプのレポートの計算に用いられるのは、上述の所望のＰＵＳＣＨの送信電力値と後述の所望のＰＵＣＣＨの送信電力値である。上述の所望のＰＵＳＣＨの送信電力値と後述の所望のＰＵＣＣＨの送信電力値の合計値が移動局装置５に予め構成された送信電力値より小さい場合は、パワーヘッドルームの送信に用いられるＰＵＳＣＨの送信電力値は所望のＰＵＳＣＨの送信電力値となり、ＰＵＳＣＨと同時に送信されるＰＵＣＣＨの送信電力値は所望のＰＵＣＣＨの送信電力値となる。上述の所望のＰＵＳＣＨの送信電力値と後述の所望のＰＵＣＣＨの送信電力値の合計値が移動局装置５に予め構成された送信電力値より大きい場合は、パワーヘッドルームの送信に用いられるＰＵＳＣＨの送信電力値は移動局装置５に予め構成された送信電力値から所望のＰＵＣＣＨの送信電力値を減算した値となり、ＰＵＳＣＨと同時に送信されるＰＵＣＣＨの送信電力値は所望のＰＵＣＣＨの送信電力値となる。
【００９９】
例えば、移動局装置５は、ＰＵＳＣＨの送信電力制御に対して用いるパスロスのパスロスリファレンスがＣＲＳからＣＳＩ−ＲＳに切り替えられた場合、パワーヘッドルームの送信待機状態となってもよい。例えば、移動局装置５は、ＰＵＳＣＨの送信電力制御に対して用いるパスロスのパスロスリファレンスがＣＳＩ−ＲＳからＣＲＳに切り替えられた場合、パワーヘッドルームの送信待機状態となってもよい。なお、ＰＵＳＣＨの送信電力制御に対するパスロスリファレンスが再設定され、パワーヘッドルームの送信待機状態となった場合、送信されるパワーヘッドルームは第一のタイプのレポート、または第二のタイプのレポートの何れかである。ＰＵＳＣＨの送信電力制御に対するパスロスリファレンスが再設定され、パワーヘッドルームの送信待機状態となった場合、移動局装置５において、ＰＵＣＣＨとＰＵＳＣＨの同時送信が構成されていない場合はパワーヘッドルームとして第一のタイプのレポートが送信され、ＰＵＣＣＨとＰＵＳＣＨの同時送信が構成されている場合はパワーヘッドルームとして第二のタイプのレポートが送信される。
【０１００】
一方、移動局装置５は、ＰＵＣＣＨの送信電力制御に対して用いるパスロスが基地局装置３、ＲＲＨ４より設定された（構成された、変更された、再設定された、再構成された、再変更された）場合、ＰＵＳＣＨとＰＵＣＣＨの同時送信が構成されている場合はパワーヘッドルームの報告処理を始動すると判断してパワーヘッドルームの送信待機状態となってもよく、ＰＵＳＣＨとＰＵＣＣＨの同時送信が構成されていない場合はパワーヘッドルームの報告処理を始動すると判断せず、パワーヘッドルームの送信待機状態とならなくてもよい。
【０１０１】
例えば、移動局装置５は、ＰＵＣＣＨの送信電力制御に対して用いるパスロスのパスロスリファレンスがＣＲＳからＣＳＩ−ＲＳに切り替えられた場合、ＰＵＳＣＨとＰＵＣＣＨの同時送信が構成されている場合はパワーヘッドルームの送信待機状態となってもよく、ＰＵＳＣＨとＰＵＣＣＨの同時送信が構成されていない場合はパワーヘッドルームの送信待機状態とならなくてもよい。例えば、移動局装置５は、ＰＵＳＣＨの送信電力制御に対して用いるパスロスのパスロスリファレンスがＣＳＩ−ＲＳからＣＲＳに切り替えられた場合、ＰＵＳＣＨとＰＵＣＣＨの同時送信が構成されている場合はパワーヘッドルームの送信待機状態となってもよく、ＰＵＳＣＨとＰＵＣＣＨの同時送信が構成されていない場合はパワーヘッドルームの送信待機状態とならなくてもよい。なお、ＰＵＣＣＨの送信電力制御に対するパスロスリファレンスが再設定され、パワーヘッドルームの送信待機状態となった場合、送信されるパワーヘッドルームは第二のタイプのレポートである。ＰＵＣＣＨの送信電力制御に対するパスロスリファレンスが再設定され、パワーヘッドルームの送信待機状態となった場合、移動局装置５において、ＰＵＣＣＨとＰＵＳＣＨの同時送信が構成されていない場合はパワーヘッドルームとして第一のタイプのレポートは送信されず、ＰＵＣＣＨとＰＵＳＣＨの同時送信が構成されている場合はパワーヘッドルームとして第二のタイプのレポートが送信される。
【０１０２】
移動局装置５は、ＰＵＣＣＨのパスロスリファレンスが再設定された場合、ＰＵＣＣＨとＰＵＳＣＨの同時送信が構成されているか否かに応じて、パワーヘッドルームの報告処理を駆動するか否かを判断してもよい。移動局装置５は、ＰＵＣＣＨのパスロスリファレンスが再設定された場合、ＰＵＣＣＨとＰＵＳＣＨの同時送信が構成されている場合はパワーヘッドルームの報告処理を駆動する判断してもよく、ＰＵＣＣＨとＰＵＳＣＨの同時送信が構成されている場合はパワーヘッドルームの報告処理を駆動する判断しなくてもよい。
【０１０３】
パワーヘッドルームの送信待機状態となっている移動局装置５は、新規送信のためのＰＵＳＣＨのリソースが割り当てられたら、リソースが割り当てられたＰＵＳＣＨを用いて送信待機状態となっているパワーヘッドルームの情報を含む信号を送信する。
【０１０４】
第１の実施形態のパワーヘッドルームレポーティングの詳細について説明する。移動局装置５は、パワーヘッドルームレポーティングに関連するパラメータが複数設定される。例えば、ＰＵＳＣＨに対する送信電力の設定に用いられたパスロス（第一のパスロス）と、ＰＵＣＣＨに対する送信電力の設定に用いられたパスロス（第二のパスロス）とに対して、ｄｌ−ＰａｔｈｌｏｓｓＣｈａｎｇｅが複数設定される。移動局装置５は、第一のパスロス、第二のパスロスに対してｄｌ−ＰａｔｈｌｏｓｓＣｈａｎｇｅを用いて、全体のパワーヘッドルームの報告処理のトリガーを判断する。移動局装置５は、自移動局装置にＰＵＣＣＨとＰＵＳＣＨの同時送信が構成されていない場合は第一のパスロスに対してｄｌ−ＰａｔｈｌｏｓｓＣｈａｎｇｅを用いて、全体のパワーヘッドルームの報告処理のトリガーを判断する。移動局装置５は、自移動局装置にＰＵＣＣＨとＰＵＳＣＨの同時送信が構成されている場合は第一のパスロスと第二のパスロスとのそれぞれに対してｄｌ−ＰａｔｈｌｏｓｓＣｈａｎｇｅを用いて、全体のパワーヘッドルームの報告処理のトリガーを判断する。移動局装置５は、自移動局装置にＰＵＣＣＨとＰＵＳＣＨの同時送信が構成されていない場合は第一のパスロスの変化量がｄｌ−ＰａｔｈｌｏｓｓＣｈａｎｇｅの値より大きくなった場合にパワーヘッドルームの報告処理を始動すると判断する。移動局装置５は、自移動局装置にＰＵＣＣＨとＰＵＳＣＨの同時送信が構成されている場合は第一のパスロスの変化量、または第二のパスロスの変化量がｄｌ−ＰａｔｈｌｏｓｓＣｈａｎｇｅの値より大きくなった場合にパワーヘッドルームの報告処理を始動すると判断する。なお、第一のパスロスに対して用いるｄｌ−ＰａｔｈｌｏｓｓＣｈａｎｇｅと、第二のパスロスに対して用いるｄｌ−ＰａｔｈｌｏｓｓＣｈａｎｇｅは、それぞれに対して同じ値が設定されてもよいし、それぞれに対して異なる値が設定されてもよい。なお、パスロスの変化量は、対応するパスロスを用いたパワーヘッドルームが送信された時点で測定されたパスロスと、現時点で測定されたパスロスとの変化量であり、異なるパスロスに対するパスロスの変化量ではない。
【０１０５】
また、移動局装置５は、単一のｐｅｒｉｏｄｉｃＰＨＲ−Ｔｉｍｅｒが用いられる。移動局装置５は、パワーヘッドルームの送信処理に対して単一のｐｅｒｉｏｄｉｃＰＨＲ−Ｔｉｍｅｒを用い、ｐｅｒｉｏｄｉｃＰＨＲ−Ｔｉｍｅｒが満了した場合に、パワーヘッドルームを送信するように制御する。
【０１０６】
例えば、ＰＵＣＣＨの送信電力の設定に用いられたパスロス（第二のパスロス）はＣＲＳから計算され、ＰＵＳＣＨの送信電力の設定に用いられたパスロス（第一のパスロス）はＣＳＩ−ＲＳから計算される。例えば、ＰＵＣＣＨの送信電力の設定に用いられたパスロス（第二のパスロス）はＣＳＩ−ＲＳから計算され、ＰＵＳＣＨの送信電力の設定に用いられたパスロス（第一のパスロス）はＣＲＳから計算される。例えば、ＰＵＣＣＨの送信電力の設定に用いられたパスロス（第二のパスロス）はＣＲＳから計算され、ＰＵＳＣＨの送信電力の設定に用いられたパスロス（第一のパスロス）はＣＲＳから計算される。例えば、ＰＵＣＣＨの送信電力の設定に用いられたパスロス（第二のパスロス）はＣＳＩ−ＲＳから計算され、ＰＵＳＣＨの送信電力の設定に用いられたパスロス（第一のパスロス）はＣＳＩ−ＲＳから計算される。なお、第一のパスロスと第二のパスロスが同じ下りリンク参照信号から計算されている場合は、ｄｌ−ＰａｔｈｌｏｓｓＣｈａｎｇｅを用いたパワーヘッドルームの報告処理の始動の判断処理は共通した一つの処理が行なわれる。
【０１０７】
ＰＵＳＣＨの送信電力の設定に用いられたパスロス（第一のパスロス）に対応するｄｌ−ＰａｔｈｌｏｓｓＣｈａｎｇｅをｄｌ−ＰａｔｈｌｏｓｓＣｈａｎｇｅ  １（第一のdl-PathlossChange）（第一の閾値）、ＰＵＣＣＨの送信電力の設定に用いられたパスロス（第二のパスロス）に対応するｄｌ−ＰａｔｈｌｏｓｓＣｈａｎｇｅをｄｌ−ＰａｔｈｌｏｓｓＣｈａｎｇｅ  ３（第二のdl-PathlossChange）（第二の閾値）とする。単一のｐｅｒｉｏｄｉｃＰＨＲ−ＴｉｍｅｒをｐｅｒｉｏｄｉｃＰＨＲ−Ｔｉｍｅｒ  ２０とする。単一のｐｒｏｈｉｂｉｔＰＨＲ−ＴｉｍｅｒをｐｒｏｈｉｂｉｔＰＨＲ−Ｔｉｍｅｒ  ４００とする。ｐｅｒｉｏｄｉｃＰＨＲ−Ｔｉｍｅｒ  ２０が満了した場合、パワーヘッドルームが送信待機状態となる。送信待機状態のパワーヘッドルームが送信された時点で、ｐｅｒｉｏｄｉｃＰＨＲ−Ｔｉｍｅｒ  ２０、ｐｒｏｈｉｂｉｔＰＨＲ−Ｔｉｍｅｒ  ４００はリセット（リスタート）され、再度計測が開始される。ｐｒｏｈｉｂｉｔＰＨＲ−Ｔｉｍｅｒ  ４００が計測中（タイマーが終了する前の間）の場合、ｄｌ−ＰａｔｈｌｏｓｓＣｈａｎｇｅを用いた閾値判断に基づくパワーヘッドルームの送信が禁止された状態となる。ｄｌ−ＰａｔｈｌｏｓｓＣｈａｎｇｅ  １は、ＰＵＳＣＨの送信電力の設定に用いられたパスロス（第一のパスロス）の変化量との閾値判断に用いられる。ｄｌ−ＰａｔｈｌｏｓｓＣｈａｎｇｅ  ３は、ＰＵＣＣＨの送信電力の設定に用いられたパスロス（第二のパスロス）の変化量との閾値判断に用いられる。移動局装置５にＰＵＣＣＨとＰＵＳＣＨの同時送信が構成されていない場合は、ｄｌ−ＰａｔｈｌｏｓｓＣｈａｎｇｅ  １を用いた処理が行なわれる。移動局装置５にＰＵＣＣＨとＰＵＳＣＨの同時送信が構成されていない場合は、ＰＵＳＣＨの送信電力の設定に用いられたパスロス（第一のパスロス）の変化量がｄｌ−ＰａｔｈｌｏｓｓＣｈａｎｇｅ  １の値よりも大きくなった場合にパワーヘッドルームの報告処理を始動すると判断される。移動局装置５にＰＵＣＣＨとＰＵＳＣＨの同時送信が構成されている場合は、ｄｌ−ＰａｔｈｌｏｓｓＣｈａｎｇｅ  １とｄｌ−ＰａｔｈｌｏｓｓＣｈａｎｇｅ  ３とを用いた処理が行なわれる。移動局装置５にＰＵＣＣＨとＰＵＳＣＨの同時送信が構成されている場合は、ＰＵＳＣＨの送信電力の設定に用いられたパスロス（第一のパスロス）の変化量がｄｌ−ＰａｔｈｌｏｓｓＣｈａｎｇｅ  １の値よりも大きくなった場合、またはＰＵＣＣＨの送信電力の設定に用いられたパスロス（第二のパスロス）の変化量がｄｌ−ＰａｔｈｌｏｓｓＣｈａｎｇｅ  ３の値よりも大きくなった場合にパワーヘッドルームの報告処理を始動すると判断される。なお、ｄｌ−ＰａｔｈｌｏｓｓＣｈａｎｇｅ  １とｄｌ−ＰａｔｈｌｏｓｓＣｈａｎｇｅ  ３は、同じ値が設定されてもよい。パワーヘッドルームの報告処理を始動すると判断され、パワーヘッドルームの送信待機状態となる。
【０１０８】
＜基地局装置３の全体構成＞
以下、図１、図２、図３を用いて、本実施形態に係る基地局装置３の構成について説明する。図１は、本発明の実施形態に係る基地局装置３の構成を示す概略ブロック図である。この図に示すように、基地局装置３は、受信処理部（第二の受信処理部）１０１、無線リソース制御部（第二の無線リソース制御部）１０３、制御部（第二の制御部）１０５、および、送信処理部１０７を含んで構成される。
【０１０９】
受信処理部１０１は、制御部１０５の指示に従い、受信アンテナ１０９により移動局装置５から受信した、ＰＵＣＣＨ、ＰＵＳＣＨの受信信号をＵＬ  ＲＳを用いて復調し、復号して、制御情報、情報データを抽出する。例えば、受信処理部１０１は、ＰＵＳＣＨからパワーヘッドルームの情報を抽出する。受信処理部１０１は、自装置が移動局装置５にＰＵＣＣＨのリソースを割り当てた上りリンクサブフレーム、ＵＬ  ＰＲＢに対してＵＣＩを抽出する処理を行なう。受信処理部１０１は、何れの上りリンクサブフレーム、何れのＵＬ  ＰＲＢに対してどのような処理を行なうかを制御部１０５から指示される。例えば、受信処理部１０１は、ＡＣＫ／ＮＡＣＫ用のＰＵＣＣＨ（PUCCH format 1a、PUCCH format 1b）の信号に対して時間領域での符号系列の乗算と合成、周波数領域での符号系列の乗算と合成を行なう検出処理を制御部１０５から指示される。また、受信処理部１０１は、ＰＵＣＣＨからＵＣＩを検出する処理に用いる周波数領域の符号系列および／または時間領域の符号系列を制御部１０５から指示される。受信処理部１０１は、抽出したＵＣＩを制御部１０５に出力し、情報データを上位層に出力する。受信処理部１０１は、抽出したＵＣＩを制御部１０５に出力し、情報データを上位層に出力する。
【０１１０】
また、受信処理部１０１は、制御部１０５の指示に従い、受信アンテナ１０９により移動局装置５から受信したＰＲＡＣＨの受信信号から、プリアンブル系列を検出（受信）する。また、受信処理部１０１は、プリアンブル系列の検出と共に、到来タイミング（受信タイミング）の推定も行なう。受信処理部１０１は、自装置がＰＲＡＣＨのリソースを割り当てた上りリンクサブフレーム、ＵＬ  ＰＲＢに対してプリアンブル系列を検出する処理を行なう。受信処理部１０１は、推定した到来タイミングに関する情報を制御部１０５に出力する。
【０１１１】
また、受信処理部１０１は、移動局装置５から受信したＳＲＳを用いて１個以上のＵＬ  ＰＲＢのチャネル品質を測定する。また、受信処理部１０１は、移動局装置５から受信したＳＲＳを用いて上りリンクの同期ずれを検出（算出、測定）する。受信処理部１０１は、何れの上りリンクサブフレーム、何れのＵＬ  ＰＲＢに対してどのような処理を行なうかを制御部１０５から指示される。受信処理部１０１は、測定したチャネル品質、検出した上りリンクの同期ずれに関する情報を制御部１０５に出力する。受信処理部１０１の詳細については、後述する。
【０１１２】
無線リソース制御部１０３は、ＰＵＣＣＨとＰＵＳＣＨの同時送信の構成（PUCCHとPUSCHの同時送信を行なうように指示するか、PUCCHとPUSCHの同時送信を行なわないように指示するかを示す情報）、ＣＳＩ−ＲＳの構成、ＰＤＣＣＨに対するリソースの割り当て、ＰＵＣＣＨに対するリソースの割り当て、ＰＤＳＣＨに対するＤＬ  ＰＲＢの割り当て、ＰＵＳＣＨに対するＵＬ  ＰＲＢの割り当て、ＰＲＡＣＨに対するリソースの割り当て、ＳＲＳに対するリソースの割り当て、各種チャネルの変調方式・符号化率・送信電力制御値・プリコーディング処理に用いる位相回転量（重み付け値）などを設定する。無線リソース制御部１０３は、パワーヘッドルームレポーティングに関連するパラメータ（periodicPHR-Timer、prohibitPHR-Timer、dl-PathlossChange）を設定する。無線リソース制御部１０３は、移動局装置５に対してパスロスの測定に用いる下りリンク参照信号（CRS、CSI-RS）、ＰＵＳＣＨの送信電力制御に用いるパスロスリファレンス（CRSまたはCSI-RS）、ＰＵＣＣＨの送信電力制御に用いるパスロスリファレンス（CRSまたはCSI-RS）を設定する。なお、無線リソース制御部１０３は、ＰＵＣＣＨに対する周波数領域の符号系列、時間領域の符号系列なども設定する。また、無線リソース制御部１０３は、設定したＰＵＣＣＨのリソースの割り当てを示す情報などを制御部１０５に出力する。無線リソース制御部１０３で設定された情報の一部は送信処理部１０７を介して移動局装置５に通知され、例えば、ＰＵＣＣＨとＰＵＳＣＨの同時送信の構成を示す情報、ＰＵＳＣＨの送信電力制御に用いるパスロスリファレンスを示す情報、ＰＵＣＣＨの送信電力制御に用いるパスロスリファレンスを示す情報、ＣＳＩ−ＲＳの構成に関する情報、パワーヘッドルームレポーティングに関連するパラメータの値を示す情報、ＰＵＳＣＨの送信電力に関連する一部のパラメータの値を示す情報、ＰＵＣＣＨの送信電力に関連する一部のパラメータの値を示す情報が移動局装置５に通知される。
【０１１３】
また、無線リソース制御部１０３は、受信処理部１０１においてＰＵＣＣＨを用いて取得され、制御部１０５を介して入力されたＵＣＩに基づいてＰＤＳＣＨの無線リソースの割り当てなどを設定する。例えば、無線リソース制御部１０３は、ＰＵＣＣＨを用いて取得されたＡＣＫ／ＮＡＣＫが入力された場合、ＡＣＫ／ＮＡＣＫでＮＡＣＫが示されたＰＤＳＣＨのリソースの割り当てを移動局装置５に対して行なう。
【０１１４】
無線リソース制御部１０３は、各種制御信号を制御部１０５に出力する。例えば、制御信号は、ＰＵＣＣＨとＰＵＳＣＨの同時送信の構成を示す制御信号、ＰＵＳＣＨのリソースの割り当てを示す制御信号や、プリコーディング処理に用いる位相回転量を示す制御信号などである。
【０１１５】
制御部１０５は、無線リソース制御部１０３から入力された制御信号に基づき、ＣＳＩ−ＲＳの設定、ＰＤＳＣＨに対するＤＬ  ＰＲＢの割り当て、ＰＤＣＣＨに対するリソースの割り当て、ＰＤＳＣＨに対する変調方式の設定、ＰＤＳＣＨおよびＰＤＣＣＨに対する符号化率の設定、ＰＤＳＣＨおよびＵＥ  ｓｐｅｃｉｆｉｃ  ＲＳに対するプリコーディング処理の設定などの制御を送信処理部１０７に対して行なう。また、制御部１０５は、無線リソース制御部１０３から入力された制御信号に基づき、ＰＤＣＣＨを用いて送信されるＤＣＩを生成し、送信処理部１０７に出力する。ＰＤＣＣＨを用いて送信されるＤＣＩは、下りリンクアサインメント、上りリンクグラントなどである。
【０１１６】
制御部１０５は、無線リソース制御部１０３から入力された制御信号に基づき、ＰＵＳＣＨに対するＵＬ  ＰＲＢの割り当て、ＰＵＣＣＨに対するリソースの割り当て、ＰＵＳＣＨおよびＰＵＣＣＨの変調方式の設定、ＰＵＳＣＨの符号化率の設定、ＰＵＣＣＨに対する検出処理、ＰＵＣＣＨに対する符号系列の設定、ＰＲＡＣＨに対するリソースの割り当て、ＳＲＳに対するリソースの割り当てなどの制御を受信処理部１０１に対して行なう。また、制御部１０５は、移動局装置５によってＰＵＣＣＨを用いて送信されたＵＣＩが受信処理部１０１より入力され、入力されたＵＣＩを無線リソース制御部１０３に出力する。
【０１１７】
また、制御部１０５は、受信処理部１０１より、検出されたプリアンブル系列の到来タイミングを示す情報、受信されたＳＲＳから検出された上りリンクの同期ずれを示す情報が入力され、上りリンクの送信タイミングの調整値（TA: Timing Advance、Timing Adjustment、 Timing Alignment）（TA value）を算出する。算出された上りリンクの送信タイミングの調整値を示す情報（TA command）は、送信処理部１０７を介して移動局装置５に通知される。
【０１１８】
送信処理部１０７は、制御部１０５から入力された制御信号に基づき、ＰＤＣＣＨ、ＰＤＳＣＨを用いて送信する信号を生成して、送信アンテナ１１１を介して送信する。送信処理部１０７は、無線リソース制御部１０３から入力された、ＰＵＣＣＨとＰＵＳＣＨの同時送信の構成を示す情報、ＣＳＩ−ＲＳの構成に関する情報、パワーヘッドルームレポーティングに関連するパラメータ（periodicPHR-Timer、prohibitPHR-Timer、dl-PathlossChange）を示す情報、パスロスの測定に用いる下りリンク参照信号（ＣＲＳ、ＣＳＩ−ＲＳ）を示す情報、ＰＵＳＣＨの送信電力制御に用いるパスロスリファレンスを示す情報、ＰＵＣＣＨの送信電力制御に用いるパスロスリファレンスを示す情報、ＰＵＳＣＨの送信電力に関連する一部のパラメータの値を示す情報、ＰＵＣＣＨの送信電力に関連する一部のパラメータの値を示す情報、上位層から入力された情報データ等をＰＤＳＣＨを用いて移動局装置５に対して送信し、制御部１０５から入力されたＤＣＩをＰＤＣＣＨを用いて移動局装置５に対して送信する。なお、説明の簡略化のため、以降、情報データは数種の制御に関する情報を含むものとする。送信処理部１０７の詳細については、後述する。
【０１１９】
＜基地局装置３の送信処理部１０７の構成＞
以下、基地局装置３の送信処理部１０７の詳細について説明する。図２は、本発明の実施形態に係る基地局装置３の送信処理部１０７の構成を示す概略ブロック図である。この図に示すように、送信処理部１０７は、複数の物理下りリンク共用チャネル処理部２０１−１〜２０１−Ｍ（以下、物理下りリンク共用チャネル処理部201-1〜201-Mを合わせて物理下りリンク共用チャネル処理部201と表す）、複数の物理下りリンク制御チャネル処理部２０３−１〜２０３−Ｍ（以下、物理下りリンク制御チャネル処理部203-1〜203-Mを合わせて物理下りリンク制御チャネル処理部203と表す）、下りリンクパイロットチャネル処理部２０５、プリコーディング処理部２３１、多重部２０７、ＩＦＦＴ（Inverse Fast Fourier Transform; 高速逆フーリエ変換）部２０９、ＧＩ（Guard Interval; ガードインターバル）挿入部２１１、Ｄ／Ａ（Digital/Analog converter; ディジタルアナログ変換）部２１３、送信ＲＦ（Radio Frequency; 無線周波数）部２１５、および、送信アンテナ１１１を含んで構成される。なお、各物理下りリンク共用チャネル処理部２０１、各物理下りリンク制御チャネル処理部２０３は、それぞれ、同様の構成および機能を有するので、その一つを代表して説明する。なお、説明の簡略化のため、送信アンテナ１１１は、複数のアンテナポートをまとめたものとする。
【０１２０】
また、この図に示すように、物理下りリンク共用チャネル処理部２０１は、それぞれ、ターボ符号部２１９、データ変調部２２１およびプリコーディング処理部２２９を備える。また、この図に示すように、物理下りリンク制御チャネル処理部２０３は、畳み込み符号部２２３、ＱＰＳＫ変調部２２５およびプリコーディング処理部２２７を備える。物理下りリンク共用チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化したデータを、制御部１０５から入力された変調方式、例えば、ＱＰＳＫ（四位相偏移変調; Quadrature Phase Shift Keying）、１６ＱＡＭ（16値直交振幅変調; 16 Quadrature Amplitude Modulation）、６４ＱＡＭ（64値直交振幅変調; 64 Quadrature Amplitude Modulation）のような変調方式で変調し、変調シンボルの信号系列を生成する。データ変調部２２１は、生成した信号系列を、プリコーディング処理部２２９に出力する。プリコーディング処理部２２９は、データ変調部２２１から入力された信号に対してプリコーディング処理（ビームフォーミング処理）を行ない、多重部２０７に出力する。ここで、プリコーディング処理は、移動局装置５が効率よく受信できるように（例えば、受信電力が最大になるように、干渉が最小になるように）、生成する信号に対して位相回転などを行なうことが好ましい。
【０１２１】
物理下りリンク制御チャネル処理部２０３は、制御部１０５から入力されたＤＣＩを、ＯＦＤＭ方式で伝送するためのベースバンド信号処理を行なう。畳み込み符号部２２３は、制御部１０５から入力された符号化率に基づき、ＤＣＩの誤り耐性を高めるための畳み込み符号化を行なう。ここで、ＤＣＩはビット単位で制御される。また、畳み込み符号部２２３は、制御部１０５から入力された符号化率に基づき、畳み込み符号化の処理を行なったビットに対して出力ビットの数を調整するためにレートマッチングも行なう。畳み込み符号部２２３は、符号化したＤＣＩをＱＰＳＫ変調部２２５に出力する。ＱＰＳＫ変調部２２５は、畳み込み符号部２２３が符号化したＤＣＩを、ＱＰＳＫ変調方式で変調し、変調した変調シンボルの信号系列を、プリコーディング処理部２２７に出力する。プリコーディング処理部２２７は、ＱＰＳＫ変調部２２５から入力された信号に対してプリコーディング処理を行ない、多重部２０７に出力する。なお、プリコーディング処理部２２７は、ＱＰＳＫ変調部２２５から入力された信号に対してプリコーディング処理を行なわず、多重部２０７に出力することができる。
【０１２２】
下りリンクパイロットチャネル処理部２０５は、移動局装置５において既知の信号である下りリンク参照信号（CRS、UE specific RS、CSI-RS）を生成し、プリコーディング処理部２３１に出力する。プリコーディング処理部２３１は、下りリンクパイロットチャネル処理部２０５より入力されたＣＲＳ、ＣＳＩ−ＲＳに対してはプリコーディング処理を行なわず、多重部２０７に出力する。プリコーディング処理部２３１は、下りリンクパイロットチャネル処理部２０５より入力されたＵＥ  ｓｐｅｃｉｆｉｃ  ＲＳに対してプリコーディング処理を行ない、多重部２０７に出力する。プリコーディング処理部２３１は、プリコーディング処理部２２９においてＰＤＳＣＨに行なわれる処理、および／またはプリコーディング処理部２２７においてＰＤＣＣＨに行なわれる処理と同様の処理をＵＥ  ｓｐｅｃｉｆｉｃ  ＲＳに対して行なう。そのため、移動局装置５においてプリコーディング処理が適用されたＰＤＳＣＨ、ＰＤＣＣＨの信号を復調するに際し、ＵＥ  ｓｐｅｃｉｆｉｃ  ＲＳは、下りリンクにおける伝搬路（伝送路）の変動とプリコーディング処理部２２９、プリコーディング処理部２２７による位相回転があわさった等化チャネルを推定することができる。すなわち、基地局装置３は、移動局装置５に対して、プリコーディング処理部２２９、プリコーディング処理部２２７によるプリコーディング処理の情報（位相回転量）を通知する必要が無く、移動局装置５はプリコーディング処理された（協調通信で送信された）信号を復調することができる。なお、ＵＥ  ｓｐｅｃｉｆｉｃ  ＲＳを用いて伝搬路補償などの復調処理が行なわれるＰＤＳＣＨにプリコーディング処理が用いられない場合などは、プリコーディング処理部２３１は、ＵＥ  ｓｐｅｃｉｆｉｃ  ＲＳに対してプリコーディング処理を行なわず、多重部２０７に出力する。
【０１２３】
多重部２０７は、下りリンクパイロットチャネル処理部２０５から入力された信号と、物理下りリンク共用チャネル処理部２０１各々から入力された信号と、物理下りリンク制御チャネル処理部２０３各々から入力された信号とを、制御部１０５からの指示に従って、下りリンクサブフレームに多重する。無線リソース制御部１０３によって設定されたＰＤＳＣＨに対するＤＬ  ＰＲＢの割り当て、ＰＤＣＣＨに対するリソースの割り当てに関する制御信号が制御部１０５に入力され、その制御信号に基づき、制御部１０５は多重部２０７の処理を制御する。
【０１２４】
なお、多重部２０７は、ＰＤＳＣＨとＰＤＣＣＨの多重を、基本的に図９に示したように時間多重で行なう。また、多重部２０７は、下りリンクパイロットチャネルと、その他のチャネル間の多重は時間・周波数多重で行なう。また、多重部２０７は、各移動局装置５宛てのＰＤＳＣＨの多重をＤＬ  ＰＲＢ  ｐａｉｒ単位で行ない、１つの移動局装置５に対して複数のＤＬ  ＰＲＢ  ｐａｉｒを用いてＰＤＳＣＨを多重することもある。多重部２０７は、多重化した信号を、ＩＦＦＴ部２０９に出力する。
【０１２５】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するＯＦＤＭシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【０１２６】
＜基地局装置３の受信処理部１０１の構成＞
以下、基地局装置３の受信処理部１０１の詳細について説明する。図３は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital converter; アナログディジタル変換）部３０３、シンボルタイミング検出部３０９、ＧＩ除去部３１１、ＦＦＴ部３１３、サブキャリアデマッピング部３１５、伝搬路推定部３１７、ＰＵＳＣＨ用の伝搬路等化部３１９、ＰＵＣＣＨ用の伝搬路等化部３２１、ＩＤＦＴ部３２３、データ復調部３２５、ターボ復号部３２７、物理上りリンク制御チャネル検出部３２９、プリアンブル検出部３３１、およびＳＲＳ処理部３３３を含んで構成される。
【０１２７】
受信ＲＦ部３０１は、受信アンテナ１０９で受信された信号を、適切に増幅し、中間周波数に変換し（ダウンコンバート）、不要な周波数成分を除去し、信号レベルが適切に維持されるように増幅レベルを制御し、受信された信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号をシンボルタイミング検出部３０９、ＧＩ除去部３１１およびプリアンブル検出部３３１に出力する。
【０１２８】
シンボルタイミング検出部３０９は、Ａ／Ｄ部３０３より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、Ａ／Ｄ部３０３より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部のポイント数と等しい。
【０１２９】
サブキャリアデマッピング部３１５は、制御部１０５から入力された制御信号に基づき、ＦＦＴ部３１３が復調した信号を、ＤＭ  ＲＳと、ＳＲＳと、ＰＵＳＣＨの信号と、ＰＵＣＣＨの信号とに分離する。サブキャリアデマッピング部３１５は、分離したＤＭ  ＲＳを伝搬路推定部３１７に出力し、分離したＳＲＳをＳＲＳ処理部３３３に出力し、分離したＰＵＳＣＨの信号をＰＵＳＣＨ用の伝搬路等化部３１９に出力し、分離したＰＵＣＣＨの信号をＰＵＣＣＨ用の伝搬路等化部３２１に出力する。
【０１３０】
伝搬路推定部３１７は、サブキャリアデマッピング部３１５が分離したＤＭ  ＲＳと既知の信号を用いて伝搬路の変動を推定する。伝搬路推定部３１７は、推定した伝搬路推定値を、ＰＵＳＣＨ用の伝搬路等化部３１９と、ＰＵＣＣＨ用の伝搬路等化部３２１に出力する。ＰＵＳＣＨ用の伝搬路等化部３１９は、サブキャリアデマッピング部３１５が分離したＰＵＳＣＨの信号の振幅および位相を、伝搬路推定部３１７から入力された伝搬路推定値に基づいて等化する。ここで、等化とは、信号が無線通信中に受けた伝搬路の変動を元に戻す処理のことを表す。ＰＵＳＣＨ用の伝搬路等化部３１９は、調整した信号をＩＤＦＴ部３２３に出力する。
【０１３１】
ＩＤＦＴ部３２３は、ＰＵＳＣＨ用の伝搬路等化部３１９から入力された信号を離散逆フーリエ変換し、データ復調部３２５に出力する。データ復調部３２５は、ＩＤＦＴ部３２３が変換したＰＵＳＣＨの信号の復調を行ない、復調したＰＵＳＣＨの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調されたＰＵＳＣＨの信号から、情報データを復号する。符号化率は、制御部１０５より入力される。
【０１３２】
ＰＵＣＣＨ用の伝搬路等化部３２１は、サブキャリアデマッピング部３１５で分離されたＰＵＣＣＨの信号の振幅および位相を、伝搬路推定部３１７から入力された伝搬路推定値に基づいて等化する。ＰＵＣＣＨ用の伝搬路等化部３２１は、等化した信号を物理上りリンク制御チャネル検出部３２９に出力する。
【０１３３】
物理上りリンク制御チャネル検出部３２９は、ＰＵＣＣＨ用の伝搬路等化部３２１から入力された信号を復調、復号し、ＵＣＩを検出する。物理上りリンク制御チャネル検出部３２９は、周波数領域、および／または周波数領域で符号多重された信号を分離する処理を行なう。物理上りリンク制御チャネル検出部３２９は、送信側で用いられた符号系列を用いて周波数領域、および／または時間領域で符号多重されたＰＵＣＣＨの信号からＡＣＫ／ＮＡＣＫ、ＳＲ、ＣＱＩを検出するための処理を行なう。具体的には、物理上りリンク制御チャネル検出部３２９は、周波数領域での符号系列を用いた検出処理、つまり周波数領域で符号多重された信号を分離する処理として、ＰＵＣＣＨのサブキャリア毎の信号に対して符号系列の各符号を乗算した後、各符号を乗算した信号を合成する。具体的には、物理上りリンク制御チャネル検出部３２９は、時間領域での符号系列を用いた検出処理、つまり時間領域での符号多重された信号を分離する処理として、ＰＵＣＣＨのＳＣ−ＦＤＭＡシンボル毎の信号に対して符号系列の各符号を乗算した後、各符号を乗算した信号を合成する。なお、物理上りリンク制御チャネル検出部３２９は、制御部１０５からの制御信号に基づき、ＰＵＣＣＨの信号に対する検出処理を設定する。
【０１３４】
ＳＲＳ処理部３３３は、サブキャリアデマッピング部３１５から入力されたＳＲＳを用いて、チャネル品質を測定し、ＵＬ  ＰＲＢのチャネル品質の測定結果を制御部１０５に出力する。ＳＲＳ処理部３３３は、どの上りリンクサブフレームの、どのＵＬ  ＰＲＢの信号に対して移動局装置５のチャネル品質の測定を行なうかが制御部１０５より指示される。また、ＳＲＳ処理部３３３は、サブキャリアデマッピング部３１５から入力されたＳＲＳを用いて、上りリンクの同期ずれを検出し、上りリンクの同期ずれを示す情報（同期ずれ情報）を制御部１０５に出力する。なお、ＳＲＳ処理部３３３は、時間領域の受信信号から上りリンクの同期ずれを検出する処理を行なうようにしてもよい。具体的な処理は、後述するプリアンブル検出部３３１で行なわれる処理と同等の処理を行なうようにしてもよい。
【０１３５】
プリアンブル検出部３３１は、Ａ／Ｄ部３０３より入力された信号に基づいて、ＰＲＡＣＨに相当する受信信号に対して送信されたプリアンブルを検出（受信）する処理を行なう。具体的には、プリアンブル検出部３３１は、ガードタイム内の様々なタイミングの受信信号に対して、送信される可能性のある、各プリアンブル系列を用いて生成したレプリカの信号との相関処理を行なう。例えば、プリアンブル検出部３３１は、相関値が予め設定された閾値よりも高かった場合、相関処理に用いられたレプリカの信号の生成に用いられたプリアンブル系列と同一の信号が、移動局装置５より送信されたと判断する。そして、プリアンブル検出部３３１は、最も相関値の高いタイミングをプリアンブル系列の到来タイミングと判断する。そして、プリアンブル検出部３３１は、検出したプリアンブル系列を示す情報と、到来タイミングを示す情報を少なくとも含むプリアンブル検出情報を生成し、制御部１０５に出力する。
【０１３６】
制御部１０５は、基地局装置３が、移動局装置５にＰＤＣＣＨを用いて送信した制御情報（DCI）、およびＰＤＳＣＨを用いて送信した制御情報に基づいて、サブキャリアデマッピング部３１５、データ復調部３２５、ターボ復号部３２７、伝搬路推定部３１７、および物理上りリンク制御チャネル検出部３２９の制御を行なう。また、制御部１０５は、基地局装置３が移動局装置５に送信した制御情報に基づき、各移動局装置５が送信した（送信した可能性のある）ＰＲＡＣＨ、ＰＵＳＣＨ、ＰＵＣＣＨ、ＳＲＳがどのリソース（上りリンクサブフレーム、UL PRB、周波数領域の符号系列、時間領域の符号系列、プリアンブル系列）により構成されているかを把握している。
【０１３７】
＜移動局装置５の全体構成＞
以下、図４、図５、図６を用いて、本実施形態に係る移動局装置５の構成について説明する。図４は、本発明の実施形態に係る移動局装置５の構成を示す概略ブロック図である。この図に示すように、移動局装置５は、受信処理部（第一の受信処理部）４０１、無線リソース制御部（第一の無線リソース制御部）４０３、制御部（第一の制御部）４０５、送信処理部４０７を含んで構成される。また、制御部４０５は、パスロス計算部４０５１、送信電力設定部４０５３、パワーヘッドルーム制御部４０５５およびパワーヘッドルーム生成部４０５７、を備える。
【０１３８】
受信処理部４０１は、基地局装置３から信号を受信し、制御部４０５の指示に従い、受信信号を復調、復号する。受信処理部４０１は、自装置宛てのＰＤＣＣＨの信号を検出した場合は、ＰＤＣＣＨの信号を復号して取得したＤＣＩを制御部４０５に出力する。例えば、受信処理部４０１は、ＰＤＣＣＨに含まれるＰＵＣＣＨのリソースに関する制御情報を制御部４０５に出力する。また、受信処理部４０１は、ＰＤＣＣＨに含まれるＤＣＩを制御部４０５に出力した後の制御部４０５の指示に基づき、自装置宛てのＰＤＳＣＨを復号して得た情報データを、制御部４０５を介して上位層に出力する。ＰＤＣＣＨに含まれるＤＣＩの中で下りリンクアサインメントがＰＤＳＣＨのリソースの割り当てを示す情報を含む。また、受信処理部４０１は、ＰＤＳＣＨを復号して得た基地局装置３の無線リソース制御部１０３で生成された制御情報を制御部４０５に出力し、また制御部４０５を介して自装置の無線リソース制御部４０３に出力する。例えば、基地局装置３の無線リソース制御部１０３で生成された制御情報は、ＰＵＣＣＨとＰＵＳＣＨの同時送信の構成を示す情報、ＣＳＩ−ＲＳの構成に関する情報、パスロスの測定に用いる下りリンク参照信号を示す情報、パワーヘッドルームレポーティングに関するパラメータ（例えば、第一のパスロスに対応するdl-PathlossChange、第二のパスロスに対応するdl-PathlossChange）の値を示す情報、ＰＵＳＣＨの送信電力制御に用いるパスロスリファレンスを示す情報、ＰＵＣＣＨの送信電力制御に用いるパスロスリファレンスを示す情報、ＰＵＳＣＨの送信電力に関連する一部のパラメータの値を示す情報、ＰＵＣＣＨの送信電力に関連する一部のパラメータの値を示す情報を含む。
【０１３９】
また、受信処理部４０１は、ＰＤＳＣＨに含まれる巡回冗長検査（Cyclic Redundancy Check: CRC）符号を制御部４０５に出力する。基地局装置３の説明では省略したが、基地局装置３の送信処理部１０７は情報データからＣＲＣ符号を生成し、情報データとＣＲＣ符号をＰＤＳＣＨで送信する。ＣＲＣ符号は、ＰＤＳＣＨに含まれるデータが誤っているか、誤っていないかを判断するために使われる。例えば、移動局装置５において予め決められた生成多項式を用いてデータから生成された情報と、基地局装置３において生成され、ＰＤＳＣＨで送信されたＣＲＣ符号とが同じ場合はデータが誤っていないと判断され、移動局装置５において予め決められた生成多項式を用いてデータから生成された情報と、基地局装置３において生成され、ＰＤＳＣＨで送信されたＣＲＣ符号とが異なる場合はデータが誤っていると判断される。
【０１４０】
また、受信処理部４０１は、下りリンクの受信品質（RSRP: Reference Signal Received Power; 参照信号受信電力）を測定し、測定結果を制御部４０５に出力する。受信処理部４０１は、制御部４０５からの指示に基づき、ＣＲＳ、またはＣＳＩ−ＲＳからＲＳＲＰを測定（計算）する。受信処理部４０１の詳細については後述する。
【０１４１】
制御部４０５は、パスロス計算部４０５１、送信電力設定部４０５３、パワーヘッドルーム制御部４０５５およびパワーヘッドルーム生成部４０５７を備える。制御部４０５は、ＰＤＳＣＨを用いて基地局装置３から送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。また、制御部４０５は、無線リソース制御部４０３からの指示に基づき、受信処理部４０１、送信処理部４０７を制御する。例えば、制御部４０５は、パスロスの測定に用いる下りリンク参照信号を示す情報に基づき、ＲＳＲＰを測定する下りリンク参照信号を受信処理部４０１に設定する。例えば、制御部４０５は、無線リソース制御部４０３から指示されたＰＵＳＣＨを用いてパワーヘッドルームの情報を含む信号を送信するように送信処理部４０７を制御する。例えば、制御部４０５は、ＰＵＳＣＨの送信電力制御に用いるパスロスリファレンスを示す情報に基づき、ＰＵＳＣＨの送信電力制御に用いるパスロスリファレンスを設定して、ＰＵＳＣＨの送信電力を設定して、送信処理部４０７に設定する。例えば、制御部４０５は、ＰＵＣＣＨの送信電力制御に用いるパスロスリファレンスを示す情報に基づき、ＰＵＣＣＨの送信電力制御に用いるパスロスリファレンスを設定して、ＰＵＣＣＨの送信電力を設定して、送信処理部４０７に設定する。例えば、制御部４０５は、ＰＵＣＣＨとＰＵＳＣＨの同時送信の構成を示す情報に基づき、ＰＵＣＣＨとＰＵＳＣＨの送信電力を設定して、送信処理部４０７に設定する。例えば、制御部４０５は、ＰＵＣＣＨとＰＵＳＣＨの同時送信の構成を示す情報に基づき、ＰＵＣＣＨとＰＵＳＣＨの同時送信を行なうか否かを設定して、送信処理部４０７を制御する。
【０１４２】
また、制御部４０５は、ＰＤＣＣＨを用いて基地局装置３から送信され、受信処理部４０１より入力されたＤＣＩに基づいて、受信処理部４０１、送信処理部４０７を制御する。具体的には、制御部４０５は検出された下りリンクアサインメントに基づき受信処理部４０１を制御し、検出された上りリンクグラントに基づき送信処理部４０７を制御する。また、制御部４０５は、予め決められた生成多項式を用いて受信処理部４０１より入力されたデータと受信処理部４０１より入力されたＣＲＣ符号を比較し、データが誤っているか否かを判断し、ＡＣＫ／ＮＡＣＫを生成する。また、制御部４０５は、無線リソース制御部４０３からの指示に基づき、ＳＲ、ＣＱＩを生成する。また、制御部４０５は、基地局装置３から通知された上りリンクの送信タイミングの調整値等に基づいて、送信処理部４０７の信号の送信タイミングを制御する。
【０１４３】
パスロス計算部４０５１は、受信処理部４０１より入力されたＲＳＲＰを用いてパスロスの計算を行なう。受信処理部４０１は、ＣＲＳに対するＲＳＲＰ、ＣＳＩ−ＲＳに対するＲＳＲＰを測定し、測定した各ＲＳＲＰをパスロス計算部４０５１に入力する。パスロス計算部４０５１は、ＣＲＳに対するＲＳＲＰを用いてパスロスの計算を行ない、ＣＳＩ−ＲＳに対するＲＳＲＰを用いてパスロスの計算を行なう。例えば、パスロスは、下りリンク参照信号の送信電力の値から平均化したＲＳＲＰの値を減算することによって計算される。例えば、平均化は、所定のフィルタ係数（filterCoefficent）を用いて、平均化処理を行なってきた値に（1-filterCoefficent）を乗算した値と、新たに測定した値にｆｉｌｔｅｒＣｏｅｆｆｉｃｅｎｔを乗算した値とを加算することによって行なわれる。なお、移動局装置５において用いられるフィルタ係数（filterCoefficent）の値は基地局装置３、ＲＲＨ４より設定される。パスロス計算部４０５１は、計算した、各パスロス（CRSに基づくパスロス、CSI-RSに基づくパスロス）の情報を送信電力設定部４０５３、パワーヘッドルーム制御部４０５５およびパワーヘッドルーム生成部４０５７に出力する。
【０１４４】
送信電力設定部４０５３は、上りリンクの送信電力の設定を行なう。送信電力設定部４０５３は、ＰＵＳＣＨ、ＰＵＣＣＨ、ＤＭ  ＲＳ、ＳＲＳ、ＰＲＡＣＨに対する送信電力を設定する。送信電力設定部４０５３は、パスロス計算部４０５１より入力されたパスロス、パスロスに乗算される係数、ＰＵＳＣＨに割り当てられるＵＬ  ＰＲＢの数（PUSCHのために割り当てられたリソースの帯域幅）に基づくパラメータ、予め基地局装置３、ＲＲＨ４より通知されたセル固有、および移動局装置固有のパラメータ、基地局装置３、ＲＲＨ４より通知された送信電力制御コマンドに基づくパラメータ等に基づいて、ＰＵＳＣＨの所望の送信電力の設定を行なう。送信電力設定部４０５３は、基地局装置３から通知されたＰＵＳＣＨの送信電力制御に用いるパスロスリファレンスを示す情報に基づき、パスロス計算部４０５１より入力されたパスロスの何れをＰＵＳＣＨの送信電力の設定に用いるかを選択する。送信電力設定部４０５３は、パスロス計算部４０５１より入力されたパスロス、ＰＵＣＣＨの信号構成に基づくパラメータ、ＰＵＣＣＨで送信される情報量に基づくパラメータ、予め基地局装置３、ＲＲＨ４より通知されたセル固有、および移動局装置固有のパラメータ、基地局装置３、ＲＲＨ４より通知された送信電力制御コマンドに基づくパラメータ等に基づいて、ＰＵＣＣＨの所望の送信電力の設定を行なう。送信電力設定部４０５３は、基地局装置３から通知されたＰＵＣＣＨの送信電力制御に用いるパスロスリファレンスを示す情報に基づき、パスロス計算部４０５１より入力されたパスロスの何れをＰＵＣＣＨの送信電力の設定に用いるかを選択する。
【０１４５】
送信電力設定部４０５３は、パスロス計算部４０５１より入力されたパスロス、パスロスに乗算される係数、ＳＲＳに割り当てられるＵＬ  ＰＲＢの数に基づくパラメータ、予め基地局装置３、ＲＲＨ４より通知されたセル固有、および移動局装置固有のパラメータ、予め基地局装置３、ＲＲＨ４より通知されたオフセット、基地局装置３、ＲＲＨ４より通知された送信電力制御コマンドに基づくパラメータ等に基づいて、ＳＲＳの所望の送信電力の設定を行なう。なお、送信電力設定部４０５３は、ＤＭ  ＲＳに対しては、ＤＭ  ＲＳが配置される物理チャネルと同様の送信電力の設定を行なう。
【０１４６】
なお、上記で説明した各種パラメータは、基地局装置３、ＲＲＨ４からシグナリングを用いて設定される構成でもよいし、仕様で一意に値が設定される構成でもよいし、その他の各種要因に応じて値が設定される構成でもよい。送信電力設定部４０５３は、上述したように、上りリンクサブフレーム毎に送信されるチャネル、信号に対して、パスロス計算部４０５１より入力された複数のパスロスの内、何れか１つのパスロスを用いて送信電力の設定を行なう。
【０１４７】
送信電力設定部４０５３は、設定した所望の送信電力値、または移動局装置５に予め構成された送信電力値（送信可能最大送信電力値）を用いるように送信処理部４０７を制御する。送信電力設定部４０５３は、移動局装置５に予め構成された送信電力値と、所望の送信電力値とを比較して小さい値を選択して、選択した送信電力値を用いるように送信処理部４０７を制御する。送信電力設定部４０５３は、無線リソース制御部４０３よりＰＵＣＣＨとＰＵＳＣＨの同時送信が指示された場合、移動局装置５に予め構成された送信電力値と、ＰＵＣＣＨの所望の送信電力値およびＰＵＳＣＨの所望の送信電力値の合計値とを比較して小さい値を選択して、選択した送信電力値を用いるように送信処理部４０７を制御する。ここで、移動局装置５に予め構成された送信電力値の方が、ＰＵＣＣＨの所望の送信電力値およびＰＵＳＣＨの所望の送信電力値の合計値よりも小さい場合、基本的にＰＵＣＣＨの送信電力値としては所望の送信電力値を設定し、ＰＵＳＣＨの送信電力値としては予め構成された送信電力値（送信可能最大送信電力値）から設定したＰＵＣＣＨの送信電力値を減算した値を設定する。
【０１４８】
送信電力設定部４０５３では、送信電力制御コマンドに基づくパラメータの設定は、２種類のモードが用いられる。一方のモード（Accumulation mode）は、通知された送信電力制御コマンドの値を積算していくモードである。もう一方のモード（Absolute mode）は、通知された複数の送信電力制御コマンドの値を積算することは行なわず、最新の送信電力制御コマンドの値のみを用いるモードである。例えば、ＰＵＳＣＨに対しては、ＲＲＣシグナリングを用いて、Ａｃｃｕｍｕｌａｔｉｏｎ  ｍｏｄｅ、またはＡｂｓｏｌｕｔｅ  ｍｏｄｅの何れかのモードが移動局装置５に設定され、ＰＵＣＣＨに対しては、Ａｃｃｕｍｕｌａｔｉｏｎ  ｍｏｄｅが移動局装置５に設定される。
【０１４９】
送信電力設定部４０５３は、パスロス計算部４０５１より入力されたパスロス毎に対して、独立な送信電力制御を実行する。具体的には、送信電力設定部４０５３は、複数の独立な送信電力設定処理を実行し、それぞれの送信電力設定処理において、異なるパスロスを用いる。異なるパスロスが用いられる送信電力設定処理に対して、独立なパラメータが基地局装置３、ＲＲＨ４より通知され、通知された独立なパラメータが用いられる。例えば、異なるパスロスが用いられる送信電力設定処理に対して、パスロスに乗算される係数、予め基地局装置３、ＲＲＨ４より通知されたセル固有、および移動局装置固有のパラメータ、基地局装置３、ＲＲＨ４より通知された送信電力制御コマンドが基地局装置３、ＲＲＨ４より通知され、用いられる。なお、異なるパスロスが用いられる送信電力設定処理に対する、独立なパラメータは、実際の値は同じであってもよい。なお、一部のパラメータが、異なるパスロスが用いられる送信電力設定処理に対して、共通に用いられる構成であってもよい。なお、一部の上りリンクの信号に対しては上りリンクサブフレーム毎に送信電力の設定に用いられ得るパスロスが切り替えられ得る構成であり、異なる一部の上りリンクの信号に対しては上りリンクサブフレーム毎に送信電力の設定に用いられ得るパスロスが切り替えられず、一方のパスロスのみが用いられる構成でもよい。例えば、ＰＵＳＣＨに対しては上りリンクサブフレーム毎にＣＲＳに基づくパスロス、ＣＳＩ−ＲＳに基づくパスロスが切り替えられ得る構成であり、ＰＵＣＣＨに対しては上りリンクサブフレーム毎のパスロスの切り替えが行なわれず、ＣＳＩ−ＲＳに基づくパスロスが用いられる構成でもよい。
【０１５０】
パワーヘッドルーム制御部４０５５は、パワーヘッドルームレポーティングの制御を行なう。パワーヘッドルーム制御部４０５５は、パワーヘッドルームレポーティングに関連するパラメータ（ｐｅｒｉｏｄｉｃＰＨＲ−Ｔｉｍｅｒ、ｐｒｏｈｉｂｉｔＰＨＲ−Ｔｉｍｅｒ、ｄｌ−ＰａｔｈｌｏｓｓＣｈａｎｇｅ）と、パスロス計算部４０５１から入力されたパスロスを用いて、パワーヘッドルームの送信を制御する。また、パワーヘッドルーム制御部４０５５は、基地局装置３、ＲＲＨ４より通知された情報に基づき、パスロス計算部４０５１から入力されたパスロスの何れのパスロスが、送信電力設定部４０５３においてＰＵＳＣＨの送信電力の設定に用いられたパスロス（第一のパスロス）、ＰＵＣＣＨの送信電力の設定に用いられたパスロス（第二のパスロス）かを把握する。また、パワーヘッドルーム制御部４０５５は、基地局装置３、ＲＲＨ４より通知された情報に基づき、ＰＵＳＣＨの送信電力制御に用いるパスロスリファレンスが再設定されたことを契機として、パワーヘッドルームの報告処理を始動する（Trigger）と判断してもよい。また、パワーヘッドルーム制御部４０５５は、基地局装置３、ＲＲＨ４より通知された情報に基づき、ＰＵＣＣＨとＰＵＳＣＨの同時送信が構成された場合にＰＵＣＣＨの送信電力制御に用いるパスロスリファレンスが再設定されたことを契機として、パワーヘッドルームの報告処理を始動すると判断してもよい。また、パワーヘッドルーム制御部４０５５は、基地局装置３、ＲＲＨ４より通知された情報に基づき、ＰＵＣＣＨとＰＵＳＣＨの同時送信が構成されていない場合にＰＵＣＣＨの送信電力制御に用いるパスロスリファレンスが再設定されたことを契機として、パワーヘッドルームの報告処理を始動すると判断しなくてもよい。
【０１５１】
パワーヘッドルーム制御部４０５５は、移動局装置５にＰＵＣＣＨとＰＵＳＣＨの同時送信が構成されていない場合は、第二のパスロスは考慮せず、第一のパスロスに対してｄｌ−ＰａｔｈｌｏｓｓＣｈａｎｇｅを用いたパワーヘッドルームの報告処理の始動（Trigger）の判断を行なう。パワーヘッドルーム制御部４０５５は、移動局装置５にＰＵＣＣＨとＰＵＳＣＨの同時送信が構成されている場合は、第一のパスロスと第二のパスロスに対してｄｌ−ＰａｔｈｌｏｓｓＣｈａｎｇｅを用いたパワーヘッドルームの報告処理の始動の判断を行なう。パワーヘッドルーム制御部４０５５は、パワーヘッドルームの報告処理を始動すると判断した場合、ＰＵＳＣＨを用いてパワーヘッドルームの情報を送信するように送信処理部４０７を制御する。パワーヘッドルーム制御部４０５５は、ＰＵＳＣＨを用いてパワーヘッドルームの情報を送信するように送信処理部４０７を制御する場合、パワーヘッドルーム生成部４０５７に対して、パワーヘッドルームの生成を指示し、制御する。
【０１５２】
パワーヘッドルーム制御部４０５５に対して、パワーヘッドルームレポーティングに関連するパラメータが複数設定される。第一のパスロスを用いたパワーヘッドルームレポーティングと、第二のパスロスを用いたパワーヘッドルームレポーティングとに、独立にパラメータが設定される。パワーヘッドルーム制御部４０５５において、異なるパスロスリファレンスに対して、異なるｄｌ−ＰａｔｈｌｏｓｓＣｈａｎｇｅが設定される。パワーヘッドルーム制御部４０５５において、第一のパスロスと第二のパスロスに対して、異なるｄｌ−ＰａｔｈｌｏｓｓＣｈａｎｇｅが設定される。なお、第一のパスロスと第二のパスロスに対する、それぞれのｄｌ−ＰａｔｈｌｏｓｓＣｈａｎｇｅは値が同じであってもよい。パワーヘッドルーム制御部４０５５は、第一のパスロスと第二のパスロスとに対して異なるｄｌ−ＰａｔｈｌｏｓｓＣｈａｎｇｅを用いて、パワーヘッドルームの報告処理のトリガーを判断する。パワーヘッドルーム制御部４０５５は、ｄｌ−ＰａｔｈｌｏｓｓＣｈａｎｇｅとパスロスの変化量との閾値判断を、ｄｌ−ＰａｔｈｌｏｓｓＣｈａｎｇｅが対応するパスロスに対して行なう。パワーヘッドルーム制御部４０５５は、移動局装置５にＰＵＣＣＨとＰＵＳＣＨの同時送信が構成されていない場合は、第二のパスロスは考慮せず、第一のパスロスに対してｄｌ−ＰａｔｈｌｏｓｓＣｈａｎｇｅを用いたパワーヘッドルームの報告処理の始動の判断を行なう。パワーヘッドルーム制御部４０５５は、移動局装置５にＰＵＣＣＨとＰＵＳＣＨの同時送信が構成されていない場合は、第一のパスロスの変化量がｄｌ−ＰａｔｈｌｏｓｓＣｈａｎｇｅの値より大きくなった場合にパワーヘッドルームの報告処理を始動すると判断する。パワーヘッドルーム制御部４０５５は、移動局装置５にＰＵＣＣＨとＰＵＳＣＨの同時送信が構成されている場合は、第一のパスロスと第二のパスロスに対してｄｌ−ＰａｔｈｌｏｓｓＣｈａｎｇｅを用いたパワーヘッドルームの報告処理の始動の判断を行なう。パワーヘッドルーム制御部４０５５は、移動局装置５にＰＵＣＣＨとＰＵＳＣＨの同時送信が構成されている場合は、第一のパスロスの変化量、または第二のパスロスの変化量がｄｌ−ＰａｔｈｌｏｓｓＣｈａｎｇｅの値より大きくなった場合にパワーヘッドルームの報告処理を始動すると判断する。パワーヘッドルーム制御部４０５５は、パワーヘッドルームの報告処理を始動すると判断した後に、最初にリソースが割り当てられたＰＵＳＣＨでパワーヘッドルームの送信を行なうように送信処理部４０７を制御する。
【０１５３】
パワーヘッドルーム制御部４０５５において、単一のｐｅｒｉｏｄｉｃＰＨＲ−Ｔｉｍｅｒが設定される。パワーヘッドルーム制御部４０５５は、ｐｅｒｉｏｄｉｃＰＨＲ−Ｔｉｍｅｒが満了した場合に、パワーヘッドルームの報告処理を始動するように判断する。パワーヘッドルーム制御部４０５５は、パワーヘッドルームの報告処理を始動すると判断した後に、最初にリソースが割り当てられたＰＵＳＣＨでパワーヘッドルームの送信を行なうように送信処理部４０７を制御する。
【０１５４】
なお、移動局装置５は、受信したＵＬ  ｇｒａｎｔからＰＵＳＣＨのリソースが割り当てられたことを認識し、パワーヘッドルーム制御部４０５５においてＰＵＳＣＨのリソースが割り当てられたとして関連処理を実行する。割り当てられたＰＵＳＣＨのリソースの帯域幅に関する情報は、送信電力設定部４０５３、パワーヘッドルーム生成部４０５７に入力される。
【０１５５】
パワーヘッドルーム生成部４０５７は、パワーヘッドルームの生成を行なう。パワーヘッドルームは、送信電力の余地に関する情報である。パワーヘッドルーム生成部４０５７は、パワーヘッドルームとして第一のタイプのレポート、または第二のタイプのレポートの生成を行なう。パワーヘッドルーム生成部４０５７は、ＰＵＣＣＨとＰＵＳＣＨの同時送信が構成されていない場合はパワーヘッドルームとして第一のタイプのレポートを生成し、ＰＵＣＣＨとＰＵＳＣＨの同時送信が構成されている場合はパワーヘッドルームとして第二のタイプのレポートを生成する。
【０１５６】
パワーヘッドルーム生成部４０５７は、名目上の移動局最大送信電力と、パスロス計算部４０５１より入力されたＰＵＳＣＨに対するパスロスと、パスロスに乗算される係数と、ＰＵＳＣＨに割り当てられるＵＬ  ＰＲＢの数（PUSCHのために割り当てられたリソースの帯域幅）に基づくパラメータと、予め基地局装置３、ＲＲＨ４より通知されたセル固有、および移動局装置固有のパラメータと、基地局装置３、ＲＲＨ４より通知されたＰＵＳＣＨに対する送信電力制御コマンドに基づくパラメータとに基づき、第一のタイプのレポートの生成を行なう。パワーヘッドルーム生成部４０５７において、第一のタイプのレポートの生成に用いられるパスロスは、ＰＵＳＣＨの送信電力制御に設定されたパスロスリファレンスのパスロスである。なお、上述以外のパラメータが追加され、第一のタイプのレポートの生成が行なわれてもよい。
【０１５７】
パワーヘッドルーム生成部４０５７は、パスロス計算部４０５１より入力されたパスロスと、パスロスに乗算される係数と、ＰＵＳＣＨに割り当てられるＵＬ  ＰＲＢの数（PUSCHのために割り当てられたリソースの帯域幅）に基づくパラメータと、予め基地局装置３、ＲＲＨ４より通知されたセル固有、および移動局装置固有のパラメータと、基地局装置３、ＲＲＨ４より通知された送信電力制御コマンドに基づくパラメータとに基づき、ＰＵＳＣＨに対する所望の送信電力を計算する。パワーヘッドルーム生成部４０５７は、名目上の移動局最大送信電力からＰＵＳＣＨに対する所望の送信電力を減算した値を第一のタイプのレポートの情報とする。パワーヘッドルームの生成において用いられるパスロスは、パワーヘッドルームの送信に用いられるＰＵＳＣＨの送信電力の設定に用いられるパスロスである。パワーヘッドルームの生成において用いられる、パスロスに乗算される係数と、予め基地局装置３、ＲＲＨ４より通知されたセル固有、および移動局装置固有のパラメータと、基地局装置３、ＲＲＨ４より通知された送信電力制御コマンドに基づくパラメータとは、パワーヘッドルームの生成において用いられるパスロスに対応するものが用いられる。パワーヘッドルームの生成において用いられる、ＰＵＳＣＨに割り当てられるＵＬ  ＰＲＢの数（PUSCHのために割り当てられたリソースの帯域幅）に基づくパラメータは、パワーヘッドルームの送信に用いられるＰＵＳＣＨに設定されたものである。パワーヘッドルーム生成部４０５７には、パワーヘッドルームの生成に必要な情報、指示が、パワーヘッドルーム制御部４０５５などの、その他の処理部から入力される。
【０１５８】
パワーヘッドルーム生成部４０５７は、名目上の移動局最大送信電力と、パスロス計算部４０５１より入力されたＰＵＳＣＨに対するパスロスおよびＰＵＣＣＨに対するパスロスと、パスロスに乗算される係数と、ＰＵＳＣＨに割り当てられるＵＬ  ＰＲＢの数（PUSCHのために割り当てられたリソースの帯域幅）に基づくパラメータと、ＰＵＣＣＨの信号構成に基づくパラメータと、ＰＵＣＣＨで送信される情報量に基づくパラメータと、予め基地局装置３、ＲＲＨ４より通知されたセル固有、および移動局装置固有のパラメータと、基地局装置３、ＲＲＨ４より通知されたＰＵＳＣＨに対する送信電力制御コマンドに基づくパラメータと、基地局装置３、ＲＲＨ４より通知されたＰＵＣＣＨに対する送信電力制御コマンドに基づくパラメータとに基づき、第二のタイプのレポートの生成を行なう。パワーヘッドルーム生成部４０５７において、第二のタイプのレポートの生成に用いられるＰＵＳＣＨに対するパスロスは、ＰＵＳＣＨの送信電力制御に設定されたパスロスリファレンスのパスロスである。パワーヘッドルーム生成部４０５７において、第二のタイプのレポートの生成に用いられるＰＵＣＣＨに対するパスロスは、ＰＵＣＣＨの送信電力制御に設定されたパスロスリファレンスのパスロスである。なお、上述以外のパラメータが追加され、第二のタイプのレポートの生成が行なわれてもよい。
【０１５９】
パワーヘッドルーム生成部４０５７は、パスロス計算部４０５１より入力されたＰＵＳＣＨに対するパスロスと、パスロスに乗算される係数と、ＰＵＳＣＨに割り当てられるＵＬ  ＰＲＢの数（PUSCHのために割り当てられたリソースの帯域幅）に基づくパラメータと、予め基地局装置３、ＲＲＨ４より通知されたセル固有、および移動局装置固有のパラメータと、基地局装置３、ＲＲＨ４より通知されたＰＵＳＣＨに対する送信電力制御コマンドに基づくパラメータとに基づき、ＰＵＳＣＨに対する所望の送信電力を計算する。パワーヘッドルーム生成部４０５７は、パスロス計算部４０５１より入力されたＰＵＣＣＨに対するパスロスと、ＰＵＣＣＨの信号構成に基づくパラメータと、ＰＵＣＣＨで送信される情報量に基づくパラメータと、予め基地局装置３、ＲＲＨ４より通知されたセル固有、および移動局装置固有のパラメータと、基地局装置３、ＲＲＨ４より通知されたＰＵＣＣＨに対する送信電力制御コマンドに基づくパラメータとに基づき、ＰＵＣＣＨに対する所望の送信電力を計算する。パワーヘッドルーム生成部４０５７は、名目上の移動局最大送信電力から、ＰＵＳＣＨに対する所望の送信電力値とＰＵＣＣＨに対する所望の送信電力値との合計値を減算した値を第一のタイプのレポートの情報とする。パワーヘッドルームの生成において用いられるＰＵＳＣＨに対するパスロスは、パワーヘッドルームの送信に用いられるＰＵＳＣＨの送信電力の設定に用いられるパスロスである。ＰＵＳＣＨおよびＰＵＣＣＨの両方に対して、パワーヘッドルームの生成において用いられる、パスロスに乗算される係数と、予め基地局装置３、ＲＲＨ４より通知されたセル固有、および移動局装置固有のパラメータと、基地局装置３、ＲＲＨ４より通知された送信電力制御コマンドに基づくパラメータとは、パワーヘッドルームの生成において用いられるパスロス（PUSCHの送信電力制御に設定されるパスロス、PUCCHの送信電力制御に設定されるパスロスのそれぞれに対応するパスロス）に対応するものが用いられる。パワーヘッドルームの生成において用いられる、ＰＵＳＣＨに割り当てられるＵＬ  ＰＲＢの数（PUSCHのために割り当てられたリソースの帯域幅）に基づくパラメータは、パワーヘッドルームの送信に用いられるＰＵＳＣＨに設定されたものである。パワーヘッドルーム生成部４０５７には、パワーヘッドルームの生成に必要な情報、指示が、パワーヘッドルーム制御部４０５５などの、その他の処理部から入力される。
【０１６０】
なお、送信電力に関連するパラメータとして、セル固有、および移動局装置固有のパラメータ、パスロスに乗算される係数、ＳＲＳに対して用いられるオフセットはＰＤＳＣＨを用いて基地局装置３より通知され、送信電力制御コマンドはＰＤＣＣＨを用いて基地局装置３より通知される。その他のパラメータは、受信信号から計算され、またはその他の情報に基づいて計算、設定される。ＰＵＳＣＨに対する送信電力制御コマンドは上りリンクグラントに含まれ、ＰＵＣＣＨに対する送信電力制御コマンドは下りリンクアサインメントに含まれる。なお、制御部４０５は、送信されるＵＣＩの種類に応じてＰＵＣＣＨの信号構成を制御しており、送信電力設定部４０５３で用いられるＰＵＣＣＨの信号構成を制御している。なお、基地局装置３より通知された、送信電力に関連する各種パラメータは無線リソース制御部４０３において適宜記憶され、記憶された値が送信電力設定部４０５３、パワーヘッドルーム生成部４０５７に入力される。
【０１６１】
なお、パワーヘッドルームとして第二のタイプのレポートが生成される場合、そのパワーヘッドルームの送信に用いられるＰＵＳＣＨが送信される上りリンクサブフレームにおいて、実際にはＰＵＣＣＨの送信が行なわれず、ＰＵＳＣＨのみが送信される場合、第二のタイプのレポートのＰＵＣＣＨに係る送信電力は仮想的な送信電力が用いられる。ＰＵＣＣＨの仮想的な送信電力は、ＰＵＣＣＨに対するパスロスと、予め基地局装置３、ＲＲＨ４より通知されたセル固有、および移動局装置固有のパラメータと、基地局装置３、ＲＲＨ４より通知されたＰＵＣＣＨに対する送信電力制御コマンドに基づくパラメータとに基づき計算される。パワーヘッドルームとして第二のタイプのレポートが生成される場合、そのパワーヘッドルームの送信に用いられるＰＵＳＣＨが送信される上りリンクサブフレームにおいて、実際にはＰＵＣＣＨの送信が行なわれず、ＰＵＳＣＨのみが送信される場合、パワーヘッドルーム生成部４０５７は、パスロス計算部４０５１より入力されたＰＵＣＣＨに対するパスロスと、予め基地局装置３、ＲＲＨ４より通知されたセル固有、および移動局装置固有のパラメータと、基地局装置３、ＲＲＨ４より通知されたＰＵＣＣＨに対する送信電力制御コマンドに基づくパラメータとに基づきＰＵＣＣＨに対する仮想的な送信電力を計算し、名目上の移動局最大送信電力から、ＰＵＳＣＨに対する所望の送信電力値とＰＵＣＣＨに対する仮想的な送信電力値との合計値を減算した値を第二のタイプのレポートの情報として生成する。
【０１６２】
無線リソース制御部４０３は、基地局装置３の無線リソース制御部１０３で生成され、基地局装置３より通知された制御情報を記憶して保持すると共に、制御部４０５を介して受信処理部４０１、送信処理部４０７の制御を行なう。つまり、無線リソース制御部４０３は、各種パラメータなどを保持するメモリの機能を備える。例えば、無線リソース制御部４０３は、ＰＵＳＣＨ、ＰＵＣＣＨ、ＳＲＳの送信電力に関連するパラメータを保持し、送信電力設定部４０５３、パワーヘッドルーム生成部４０５７において基地局装置３より通知されたパラメータを用いるように制御信号を制御部４０５に出力する。例えば、無線リソース制御部４０３は、パスロスの測定に用いる下りリンク参照信号の種類に関する情報を保持し、基地局装置３、ＲＲＨ４より通知された種類の下りリンク参照信号からパスロスの計算に用いる受信品質（RSRP）を測定するように制御信号を制御部４０５に出力する。例えば、無線リソース制御部４０３は、ＰＵＳＣＨの送信電力制御に用いるパスロスリファレンスを示す情報を保持し、送信電力設定部４０５３、パワーヘッドルーム制御部４０５５、パワーヘッドルーム生成部４０５７において基地局装置３より通知されたパスロスリファレンスのパスロスをＰＵＳＣＨに用いるように制御信号を制御部４０５に出力する。例えば、無線リソース制御部４０３は、ＰＵＣＣＨの送信電力制御に用いるパスロスリファレンスを示す情報を保持し、送信電力設定部４０５３において基地局装置３より通知されたパスロスリファレンスのパスロスをＰＵＣＣＨに用いるように制御信号を制御部４０５に出力する。例えば、無線リソース制御部４０３は、ＰＵＣＣＨとＰＵＳＣＨの同時送信の構成を示す情報を保持し、送信電力設定部４０５３、パワーヘッドルーム制御部４０５５、パワーヘッドルーム生成部４０５７において基地局装置３より通知されたＰＵＣＣＨとＰＵＳＣＨの同時送信の構成を用いるように制御信号を制御部４０５に出力する。
【０１６３】
送信処理部４０７は、制御部４０５の指示に従い、パワーヘッドルーム、情報データ、ＵＣＩを符号化および変調した信号をＰＵＳＣＨ、ＰＵＣＣＨのリソースを用いて、基地局装置３に送信アンテナ４１１を介してＤＭ  ＲＳと共に送信する。また、送信処理部４０７は、制御部４０５の指示に従い、ＳＲＳを送信する。また、送信処理部４０７は、制御部４０５の指示に従い、ＰＲＡＣＨのリソースを用いてプリアンブルを基地局装置３、ＲＲＨ４に送信する。また、送信処理部４０７は、制御部４０５の指示に従い、ＰＵＳＣＨ、ＰＵＣＣＨ、ＰＲＡＣＨ（説明は省略）、ＤＭ  ＲＳ、ＳＲＳの送信電力を設定する。送信処理部４０７の詳細については後述する。
【０１６４】
＜移動局装置５の受信処理部４０１＞
以下、移動局装置５の受信処理部４０１の詳細について説明する。図５は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、ＰＤＳＣＨ用の伝搬路補償部５１５、物理下りリンク共用チャネル復号部５１７、ＰＤＣＣＨ用の伝搬路補償部５１９、物理下りリンク制御チャネル復号部５２１、および下りリンク受信品質測定部５３１を含んで構成される。また、この図に示すように、物理下りリンク共用チャネル復号部５１７は、データ復調部５２３、および、ターボ復号部５２５、を備える。また、この図に示すように、物理下りリンク制御チャネル復号部５２１は、ＱＰＳＫ復調部５２７、およびビタビデコーダ部５２９、を備える。
【０１６５】
受信ＲＦ部５０１は、受信アンテナ４０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部５０１は、直交復調したアナログ信号を、Ａ／Ｄ部５０３に出力する。
【０１６６】
Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１６７】
多重分離部５１１は、制御部４０５から入力された制御信号に基づき、ＦＦＴ部５０９が復調した信号を、ＰＤＣＣＨの信号と、ＰＤＳＣＨの信号とに分離する。多重分離部５１１は、分離したＰＤＳＣＨの信号を、ＰＤＳＣＨ用の伝搬路補償部５１５に出力し、また、分離したＰＤＣＣＨの信号を、ＰＤＣＣＨ用の伝搬路補償部５１９に出力する。また、多重分離部５１１は、下りリンクパイロットチャネルが配置される下りリンクリソースエレメントを分離し、下りリンクパイロットチャネルの下りリンク参照信号（CRS、UE specific RS）を、伝搬路推定部５１３に出力する。また、多重分離部５１１は、下りリンクパイロットチャネルの下りリンク参照信号（CRS、CSI-RS）を下りリンク受信品質測定部５３１に出力する。なお、多重分離部５１１は、ＰＤＣＣＨの信号をＰＤＣＣ用の伝搬路補償部５１９に出力し、ＰＤＳＣＨの信号をＰＤＳＣＨ用の伝搬路補償部５１５に出力する。
【０１６８】
伝搬路推定部５１３は、多重分離部５１１が分離した下りリンクパイロットチャネルの下りリンク参照信号（CRS、UE specific RS）と既知の信号とを用いて伝搬路の変動を推定し、伝搬路の変動を補償するように、振幅および位相を調整するための伝搬路補償値を、ＰＤＳＣＨ用の伝搬路補償部５１５と、ＰＤＣＣＨ用の伝搬路補償部５１９に出力する。伝搬路推定部５１３は、ＣＲＳとＵＥ  ｓｐｅｃｉｆｉｃ  ＲＳをそれぞれ用いて独立に伝搬路の変動を推定し、伝搬路補償値を出力する。または、伝搬路推定部５１３は、基地局装置３からの指示に基づき、ＣＲＳ、またはＵＥ  ｓｐｅｃｉｆｉｃ  ＲＳを用いて伝搬路の変動を推定し、伝搬路補償値を出力する。なお、基地局装置３、ＲＲＨ４では、移動局装置５においてＵＥ  ｓｐｅｃｉｆｉｃ  ＲＳを用いて伝搬路の補償が行なわれる物理チャネル（PDSCH、E-PDCCH）に対しては、ＵＥ  ｓｐｅｃｉｆｉｃ  ＲＳに用いられる処理と共通のプリコーディング処理が実行される。
【０１６９】
ＰＤＳＣＨ用の伝搬路補償部５１５は、多重分離部５１１が分離したＰＤＳＣＨの信号の振幅および位相を、伝搬路推定部５１３から入力された伝搬路補償値に従って調整する。例えば、ＰＤＳＣＨ用の伝搬路補償部５１５は、協調通信を用いて送信されたＰＤＳＣＨの信号に対して伝搬路推定部５１３でＵＥ  ｓｐｅｃｉｆｉｃ  ＲＳに基づいて生成された伝搬路補償値に従って調整し、協調通信を用いずに送信されたＰＤＳＣＨの信号に対して伝搬路推定部５１３でＣＲＳに基づいて生成された伝搬路補償値に従って調整する。ＰＤＳＣＨ用の伝搬路補償部５１５は、伝搬路を調整した信号を物理下りリンク共用チャネル復号部５１７のデータ復調部５２３に出力する。なお、ＰＤＳＣＨ用の伝搬路補償部５１５は、協調通信を用いずに（プリコーディング処理が適用されずに）送信されたＰＤＳＣＨの信号に対して伝搬路推定部５１３でＵＥ  ｓｐｅｃｉｆｉｃ  ＲＳに基づいて生成された伝搬路補償値に従って調整することもできる。
【０１７０】
物理下りリンク共用チャネル復号部５１７は、制御部４０５からの指示に基づき、ＰＤＳＣＨの復調、復号を行ない、情報データを検出する。データ復調部５２３は、ＰＤＳＣＨ用の伝搬路補償部５１５から入力されたＰＤＳＣＨの信号の復調を行ない、復調したＰＤＳＣＨの信号をターボ復号部５２５に出力する。この復調は、基地局装置３のデータ変調部２２１で用いられる変調方式に対応した復調である。ターボ復号部５２５は、データ復調部５２３から入力され、復調されたＰＤＳＣＨの信号から情報データを復号し、制御部４０５を介して上位層に出力する。なお、ＰＤＳＣＨを用いて送信された、基地局装置３の無線リソース制御部１０３で生成された制御情報等も制御部４０５に出力され、制御部４０５を介して無線リソース制御部４０３にも出力される。なお、ＰＤＳＣＨに含まれるＣＲＣ符号も制御部４０５に出力される。
【０１７１】
ＰＤＣＣＨ用の伝搬路補償部５１９は、多重分離部５１１が分離したＰＤＣＣＨの信号の振幅および位相を、伝搬路推定部５１３から入力された伝搬路補償値に従って調整する。例えば、ＰＤＣＣＨ用の伝搬路補償部５１９は、ＰＤＣＣＨの信号に対して伝搬路推定部５１３でＣＲＳに基づいて生成された伝搬路補償値に従って調整し、協調通信を用いて送信されたＰＤＣＣＨ（E-PDCCH）の信号に対して伝搬路推定部５１３でＵＥ  ｓｐｅｃｉｆｉｃ  ＲＳに基づいて生成された伝搬路補償値に従って調整する。ＰＤＣＣＨ用の伝搬路補償部５１９は、調整した信号を物理下りリンク制御チャネル復号部５２１のＱＰＳＫ復調部５２７に出力する。なお、ＰＤＣＣＨ用の伝搬路補償部５１９は、協調通信を用いずに（プリコーディング処理が適用されずに）送信されたＰＤＣＣＨ（E-PDCCHを含む）の信号に対して伝搬路推定部５１３でＵＥ  ｓｐｅｃｉｆｉｃ  ＲＳに基づいて生成された伝搬路補償値に従って調整することもできる。
【０１７２】
物理下りリンク制御チャネル復号部５２１は、以下のように、ＰＤＣＣＨ用の伝搬路補償部５１９から入力された信号を復調、復号し、制御データを検出する。ＱＰＳＫ復調部５２７は、ＰＤＣＣＨの信号に対してＱＰＳＫ復調を行ない、ビタビデコーダ部５２９に出力する。ビタビデコーダ部５２９は、ＱＰＳＫ復調部５２７が復調した信号を復号し、復号したＤＣＩを制御部４０５に出力する。ここで、この信号はビット単位で表現され、ビタビデコーダ部５２９は、入力ビットに対してビタビデコーディング処理を行なうビットの数を調整するためにレートデマッチングも行なう。
【０１７３】
移動局装置５は、複数の符号化率を想定して、ＰＤＣＣＨに対して自装置宛てのＤＣＩを検出する処理を行なう。移動局装置５は、想定する符号化率毎に異なる復号処理をＰＤＣＣＨの信号に対して行ない、ＤＣＩと一緒にＰＤＣＣＨに付加されるＣＲＣ符号に誤りが検出されなかったＰＤＣＣＨに含まれるＤＣＩを取得する。このような処理をブラインドデコーディングと呼称する。なお、移動局装置５は、下りリンクシステム帯域の全てのリソースの信号に対してブラインドデコーディングを行なうのではなく、一部のリソースの信号に対してのみブラインドデコーディングを行なうようにしてもよい。ブラインドデコーディングが行なわれる一部のリソースの領域をＳｅａｒｃｈ  ｓｐａｃｅと呼称する。また、移動局装置５は、符号化率毎に異なるリソースに対してブラインドデコーディングを行なうようにしてもよい。
【０１７４】
なお、制御部４０５は、ビタビデコーダ部５２９より入力されたＤＣＩが誤りなく、自装置宛てのＤＣＩかを判定し、誤りなく、自装置宛てのＤＣＩと判定した場合、ＤＣＩに基づいて多重分離部５１１、データ復調部５２３、ターボ復号部５２５、および送信処理部４０７、を制御する。例えば、制御部４０５は、ＤＣＩが下りリンクアサインメントである場合、受信処理部４０１にＰＤＳＣＨの信号を復号するように制御する。なお、ＰＤＣＣＨにおいてもＰＤＳＣＨと同様にＣＲＣ符号が含まれており、制御部４０５はＣＲＣ符号を用いてＰＤＣＣＨのＤＣＩが誤っているか否かを判断する。
【０１７５】
下りリンク受信品質測定部５３１は、下りリンクパイロットチャネルの下りリンク参照信号（CRS、CSI-RS）を用いてセルの下りリンクの受信品質（RSRP）を測定し、測定した下りリンクの受信品質情報を制御部４０５に出力する。また、下りリンク受信品質測定部５３１は、移動局装置５において基地局装置３、ＲＲＨ４に通知するＣＱＩの生成のための、瞬時的なチャネル品質の測定も行なう。下りリンク受信品質測定部５３１は、制御部４０５を介して基地局装置３、ＲＲＨ４より、何れの種類の下りリンク参照信号（CRS、CSI-RS、CRSとCSI-RS）を用いてＲＳＲＰを測定するかを制御される。この制御は、パスロスの測定に用いる下りリンク参照信号を示す情報により制御される。例えば、下りリンク受信品質測定部５３１は、ＣＲＳを用いてＲＳＲＰの測定を行なう。例えば、下りリンク受信品質測定部５３１は、ＣＳＩ−ＲＳを用いてＲＳＲＰの測定を行なう。例えば、下りリンク受信品質測定部５３１は、ＣＲＳを用いてＲＳＲＰの測定を行ない、且つＣＳＩ−ＲＳを用いてＲＳＲＰの測定を行なう。または、下りリンク受信品質測定部５３１は、ＣＲＳを用いてＲＳＲＰの測定を常時行ない、基地局装置３、ＲＲＨ４より指示された場合、追加でＣＳＩ−ＲＳを用いてＲＳＲＰの測定を行なう。下りリンク受信品質測定部５３１は、測定したＲＳＲＰ等の情報を制御部４０５に出力する。
【０１７６】
＜移動局装置５の送信処理部４０７＞
図６は、本発明の実施形態に係る移動局装置５の送信処理部４０７の構成を示す概略ブロック図である。この図に示すように、送信処理部４０７は、ターボ符号部６１１、データ変調部６１３、ＤＦＴ部６１５、上りリンクパイロットチャネル処理部６１７、物理上りリンク制御チャネル処理部６１９、サブキャリアマッピング部６２１、ＩＦＦＴ部６２３、ＧＩ挿入部６２５、送信電力調整部６２７、ランダムアクセスチャネル処理部６２９、Ｄ／Ａ部６０５、送信ＲＦ部６０７、および、送信アンテナ４１１を含んで構成される。送信処理部４０７は、情報データ、ＵＣＩに対して符号化、変調を行ない、ＰＵＳＣＨ、ＰＵＣＣＨを用いて送信する信号を生成し、ＰＵＳＣＨ、ＰＵＣＣＨの送信電力を調整する。送信処理部４０７は、ＰＲＡＣＨを用いて送信する信号を生成し、ＰＲＡＣＨの送信電力を調整する。送信処理部４０７は、ＤＭ  ＲＳ、ＳＲＳを生成し、ＤＭ  ＲＳ、ＳＲＳの送信電力を調整する。
【０１７７】
ターボ符号部６１１は、入力された情報データを、制御部４０５から指示された符号化率で、データの誤り耐性を高めるためのターボ符号化を行ない、データ変調部６１３に出力する。データ変調部６１３は、ターボ符号部６１１が符号化した符号データを、制御部４０５から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。ＤＦＴ部６１５は、データ変調部６１３が出力した信号を離散フーリエ変換し、サブキャリアマッピング部６２１に出力する。
【０１７８】
物理上りリンク制御チャネル処理部６１９は、制御部４０５から入力されたＵＣＩを伝送するためのベースバンド信号処理を行なう。物理上りリンク制御チャネル処理部６１９に入力されるＵＣＩは、ＡＣＫ／ＮＡＣＫ、ＳＲ、ＣＱＩである。物理上りリンク制御チャネル処理部６１９は、ベースバンド信号処理を行ない、生成した信号をサブキャリアマッピング部６２１に出力する。物理上りリンク制御チャネル処理部６１９は、ＵＣＩの情報ビットを符号化して信号を生成する。
【０１７９】
また、物理上りリンク制御チャネル処理部６１９は、ＵＣＩから生成される信号に対して周波数領域の符号多重および／または時間領域の符号多重に関連する信号処理を行なう。物理上りリンク制御チャネル処理部６１９は、ＡＣＫ／ＮＡＣＫの情報ビット、またはＳＲの情報ビット、またはＣＱＩの情報ビットから生成されるＰＵＣＣＨの信号に対して周波数領域の符号多重を実現するために制御部４０５から指示された符号系列を乗算する。物理上りリンク制御チャネル処理部６１９は、ＡＣＫ／ＮＡＣＫの情報ビット、またはＳＲの情報ビットから生成されるＰＵＣＣＨの信号に対して時間領域の符号多重を実現するために制御部４０５から指示された符号系列を乗算する。
【０１８０】
上りリンクパイロットチャネル処理部６１７は、基地局装置３において既知の信号であるＳＲＳ、ＤＭ  ＲＳを制御部４０５からの指示に基づき生成し、サブキャリアマッピング部６２１に出力する。
【０１８１】
サブキャリアマッピング部６２１は、上りリンクパイロットチャネル処理部６１７から入力された信号と、ＤＦＴ部６１５から入力された信号と、物理上りリンク制御チャネル処理部６１９から入力された信号とを、制御部４０５からの指示に従ってサブキャリアに配置し、ＩＦＦＴ部６２３に出力する。
【０１８２】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、ＰＵＳＣＨを用いて送信する信号に対してＤＦＴ−Ｓｐｒｅａｄ−ＯＦＤＭ方式の変調を行なう。ＧＩ挿入部６２５は、ＩＦＦＴ部６２３から入力された信号に、ガードインターバルを付加し、送信電力調整部６２７に出力する。
【０１８３】
ランダムアクセスチャネル処理部６２９は、制御部４０５から指示されたプリアンブル系列を用いて、ＰＲＡＣＨで送信する信号を生成し、生成した信号を送信電力調整部６２７に出力する。
【０１８４】
送信電力調整部６２７は、ＧＩ挿入部６２５から入力された信号、またはランダムアクセスチャネル処理部６２９から入力された信号に対して、制御部４０５（送信電力設定部4053）からの制御信号に基づき送信電力を調整してＤ／Ａ部６０５に出力する。なお、送信電力調整部６２７では、ＰＵＳＣＨ、ＰＵＣＣＨ、ＤＭ  ＲＳ、ＳＲＳ、ＰＲＡＣＨの平均送信電力が上りリンクサブフレーム毎に制御される。
【０１８５】
Ｄ／Ａ部６０５は、送信電力調整部６２７から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１１を介して、基地局装置３に送信する。
【０１８６】
図７は、本発明の実施形態に係る移動局装置５のパワーヘッドルームの報告処理の始動（トリガー）を判断する処理の一例を示すフローチャートである。移動局装置５は、ＰＵＣＣＨとＰＵＳＣＨの同時送信が構成されているか否かを判定する（ステップＳ１０１）。移動局装置５は、ＰＵＣＣＨとＰＵＳＣＨの同時送信が構成されていると判定した場合（ステップＳ１０１：YES）、第一のパスロスと第二のパスロスに対してｄｌ−ＰａｔｈｌｏｓｓＣｈａｎｇｅを用いてパワーヘッドルームの報告処理の始動を判断する（ステップＳ１０２）。次に、移動局装置５は、第一のパスロスの変化量、または第二のパスロスの変化量がｄｌ−ＰａｔｈｌｏｓｓＣｈａｎｇｅの値より大きいか否かを判定する（ステップＳ１０３）。移動局装置５は、第一のパスロスの変化量、または第二のパスロスの変化量がｄｌ−ＰａｔｈｌｏｓｓＣｈａｎｇｅの値より大きいと判定した場合（ステップＳ１０３：YES）、パワーヘッドルームの報告処理を始動すると判断する（ステップＳ１０４）。移動局装置５は、第一のパスロスの変化量、または第二のパスロスの変化量がｄｌ−ＰａｔｈｌｏｓｓＣｈａｎｇｅの値より大きくないと判定した場合（ステップＳ１０３：NO）、パワーヘッドルームの報告処理を始動すると判断しない（ステップＳ１０５）。移動局装置５は、ＰＵＣＣＨとＰＵＳＣＨの同時送信が構成されていないと判定した場合（ステップＳ１０１：NO）、第一のパスロスに対してｄｌ−ＰａｔｈｌｏｓｓＣｈａｎｇｅを用いてパワーヘッドルームの報告処理の始動を判断する（ステップＳ１０６）。次に、移動局装置５は、第一のパスロスの変化量がｄｌ−ＰａｔｈｌｏｓｓＣｈａｎｇｅの値より大きいか否かを判定する（ステップＳ１０７）。移動局装置５は、第一のパスロスの変化量がｄｌ−ＰａｔｈｌｏｓｓＣｈａｎｇｅの値より大きいと判定した場合（ステップＳ１０７：YES）、パワーヘッドルームの報告処理を始動すると判断する（ステップＳ１０８）。移動局装置５は、第一のパスロスの変化量がｄｌ−ＰａｔｈｌｏｓｓＣｈａｎｇｅの値より大きくないと判定した場合（ステップＳ１０７：NO）、パワーヘッドルームの報告処理を始動すると判断しない（ステップＳ１０９）。移動局装置５は、パワーヘッドルームの報告処理を始動すると判断した後、新規にリソースが割り当てられたＰＵＳＣＨを用いてパワーヘッドルームの送信を行なう。
【０１８７】
以上のように、本発明の実施形態では、移動局装置５が、ＣＲＳ（第一の参照信号）とＣＳＩ−ＲＳ（第二の参照信号）とに基づき、複数のパスロスの計算を行ない、複数のパスロスの内、何れか１つのパスロスを用いてＰＵＳＣＨに対する送信電力を設定し、複数のパスロスの内、何れか１つのパスロスを用いてＰＵＣＣＨに対する送信電力を設定し、ＰＵＳＣＨのために割り当てられたリソースの帯域幅と、ＰＵＳＣＨの送信電力の設定に用いられたパスロスとを用いて第一のタイプのレポートを生成し、ＰＵＳＣＨのために割り当てられたリソースの帯域幅と、ＰＵＳＣＨの送信電力の設定に用いられたパスロスと、ＰＵＣＣＨの送信電力の設定に用いられたパスロスとを用いて第二のタイプのレポートを生成し、ＰＵＣＣＨとＰＵＳＣＨの同時送信が構成されていない場合は第一のパスロス（PUSCHの送信電力の設定に用いられたパスロス）の変化量がｄｌ−ＰａｔｈｌｏｓｓＣｈａｎｇｅより大きい場合にパワーヘッドルームの報告処理を始動すると判断し、ＰＵＣＣＨとＰＵＳＣＨの同時送信が構成されている場合は第一のパスロスの変化量、または第二のパスロス（PUCCHの送信電力の設定に用いられたパスロス）の変化量がｄｌ−ＰａｔｈｌｏｓｓＣｈａｎｇｅより大きい場合にパワーヘッドルームの報告処理を始動すると判断することにより、ＰＵＣＣＨとＰＵＳＣＨの同時送信が行なわれる場合に基地局装置３がＰＵＳＣＨに対する送信電力の制御の判断に用いることができる情報が移動局装置５から基地局装置３に通知される場合に、ＰＵＳＣＨ、またはＰＵＣＣＨの送信電力値の計算に用いられるパスロスの変化量が大きくなった場合に早急にＰＵＣＣＨとＰＵＳＣＨの同時送信に対するパワーヘッドルームに関する情報が基地局装置３、ＲＲＨ４に通知されるので、基地局装置３、ＲＲＨ４は移動局装置５に対して上りリンクのスケジューリング（PUSCHのリソース割り当て、変調方式の決定）を効率良く行なうことができつつ、ＰＵＣＣＨとＰＵＳＣＨの同時送信が行なわれず、ＰＵＣＣＨとＰＵＳＣＨの同時送信に対するパワーヘッドルームに関する情報が不必要な場合はＰＵＣＣＨに対しては考慮せず、ＰＵＳＣＨの送信電力値の計算に用いられるパスロスの変化量が大きくなった場合に早急にＰＵＳＣＨの送信に対するパワーヘッドルームに関する情報が基地局装置３、ＲＲＨ４に通知されるので、パワーヘッドルームレポーティングに関連するシグナリングのオーバヘッドの増大を防ぎつつ、基地局装置３、ＲＲＨ４は移動局装置５に対して上りリンクのスケジューリング（PUSCHのリソース割り当て、変調方式の決定）を効率良く行なうことができる。
【０１８８】
また、移動局装置５とは、移動する端末に限らず、固定端末に移動局装置５の機能を実装することなどにより本発明を実現しても良い。
【０１８９】
以上説明した本発明の特徴的な手段は、集積回路に機能を実装し、制御することによっても実現することができる。すなわち、本発明の集積回路は、基地局装置３、ＲＲＨ４と通信を行なう移動局装置５に実装される集積回路であって、あるセルにおいて基地局装置３、ＲＲＨ４から信号を受信する第一の受信処理部と、前記第一の受信処理部で受信された第一の参照信号と第二の参照信号とに基づき、複数のパスロスの計算を行なうパスロス計算部と、前記パスロス計算部で計算された複数の前記パスロスの内、何れか１つの前記パスロスを用いて物理上りリンク制御チャネルに対する送信電力を設定し、何れか１つの前記パスロスを用いて物理上りリンク共用チャネルに対する送信電力を設定する送信電力設定部と、前記物理上りリンク共用チャネルのために割り当てられたリソースの帯域幅と、前記物理上りリンク共用チャネルの送信電力の設定に用いられた第一のパスロスとを用いて、物理上りリンク共用チャネルのみの送信に対する送信電力の余地に関する情報であるパワーヘッドルームとして第一のタイプのレポートを生成し、前記物理上りリンク共用チャネルのために割り当てられたリソースの帯域幅と、前記物理上りリンク共用チャネルの送信電力の設定に用いられた第一のパスロスと、前記物理上りリンク制御チャネルの送信電力の設定に用いられた第二のパスロスとを用いて、物理上りリンク共用チャネルと物理上りリンク制御チャネルの同時送信に対する送信電力の余地に関する情報であるパワーヘッドルームとして第二のタイプのレポートを生成するパワーヘッドルーム生成部と、前記パワーヘッドルーム生成部で生成された前記パワーヘッドルームの送信を制御するパワーヘッドルーム制御部と、を有し、前記パワーヘッドルーム制御部は、自移動局装置に物理上りリンク共用チャネルと物理上りリンク制御チャネルの同時送信が構成されていない場合は前記第一のパスロスの変化量がｄｌ−ＰａｔｈｌｏｓｓＣｈａｎｇｅの値より大きい場合にパワーヘッドルームの報告処理を始動すると判断し、自移動局装置に物理上りリンク共用チャネルと物理上りリンク制御チャネルの同時送信が構成されている場合は前記第一のパスロスの変化量、または前記第二のパスロスの変化量がｄｌ−ＰａｔｈｌｏｓｓＣｈａｎｇｅの値より大きい場合にパワーヘッドルームの報告処理を始動すると判断することを特徴とする。
【０１９０】
このように、本発明の集積回路を用いた移動局装置５は、ＣＲＳ（第一の参照信号）とＣＳＩ−ＲＳ（第二の参照信号）とに基づき、複数のパスロスの計算を行ない、複数のパスロスの内、何れか１つのパスロスを用いてＰＵＳＣＨに対する送信電力を設定し、複数のパスロスの内、何れか１つのパスロスを用いてＰＵＣＣＨに対する送信電力を設定し、ＰＵＳＣＨのために割り当てられたリソースの帯域幅と、ＰＵＳＣＨの送信電力の設定に用いられたパスロスとを用いて第一のタイプのレポートを生成し、ＰＵＳＣＨのために割り当てられたリソースの帯域幅と、ＰＵＳＣＨの送信電力の設定に用いられたパスロスと、ＰＵＣＣＨの送信電力の設定に用いられたパスロスとを用いて第二のタイプのレポートを生成し、ＰＵＣＣＨとＰＵＳＣＨの同時送信が構成されていない場合は第一のパスロス（PUSCHの送信電力の設定に用いられたパスロス）の変化量がｄｌ−ＰａｔｈｌｏｓｓＣｈａｎｇｅより大きい場合にパワーヘッドルームの報告処理を始動すると判断し、ＰＵＣＣＨとＰＵＳＣＨの同時送信が構成されている場合は第一のパスロスの変化量、または第二のパスロス（PUCCHの送信電力の設定に用いられたパスロス）の変化量がｄｌ−ＰａｔｈｌｏｓｓＣｈａｎｇｅより大きい場合にパワーヘッドルームの報告処理を始動すると判断することにより、ＰＵＣＣＨとＰＵＳＣＨの同時送信が行なわれる場合に基地局装置３がＰＵＳＣＨに対する送信電力の制御の判断に用いることができる情報が移動局装置５から基地局装置３に通知される場合に、ＰＵＳＣＨ、またはＰＵＣＣＨの送信電力値の計算に用いられるパスロスの変化量が大きくなった場合に早急にＰＵＣＣＨとＰＵＳＣＨの同時送信に対するパワーヘッドルームに関する情報が基地局装置３、ＲＲＨ４に通知されるので、基地局装置３、ＲＲＨ４は移動局装置５に対して上りリンクのスケジューリング（PUSCHのリソース割り当て、変調方式の決定）を効率良く行なうことができつつ、ＰＵＣＣＨとＰＵＳＣＨの同時送信が行なわれず、ＰＵＣＣＨとＰＵＳＣＨの同時送信に対するパワーヘッドルームに関する情報が不必要な場合はＰＵＣＣＨに対しては考慮せず、ＰＵＳＣＨの送信電力値の計算に用いられるパスロスの変化量が大きくなった場合に早急にＰＵＳＣＨの送信に対するパワーヘッドルームに関する情報が基地局装置３、ＲＲＨ４に通知されるので、パワーヘッドルームレポーティングに関連するシグナリングのオーバヘッドの増大を防ぎつつ、基地局装置３、ＲＲＨ４は移動局装置５に対して上りリンクのスケジューリング（PUSCHのリソース割り当て、変調方式の決定）を効率良く行なうことができる。
【０１９１】
（第２の実施形態）
本発明の第２の実施形態は、第１の実施形態と比較して、複数のパスロスの測定に用いられる下りリンク参照信号が異なる。第２の実施形態では、複数のパスロスのそれぞれは、ＣＳＩ−ＲＳに基づき計算されるが、それぞれのパスロスは異なるアンテナポートに対応するＣＳＩ−ＲＳ（第一の参照信号、第二の参照信号）に基づき計算される。移動局装置５は、基地局装置３、ＲＲＨ４から、それぞれのパスロスの測定に用いられるＣＳＩ−ＲＳのアンテナポート（複数のアンテナポートを含む）が指定される。一部のＣＳＩ−ＲＳは基地局装置３のアンテナポートからのみ送信され、一部のＣＳＩ−ＲＳはＲＲＨ４のみから送信される。基地局装置３、ＲＲＨ４の指定により、移動局装置５では、一方のパスロスは基地局装置３のアンテナポートからのみ送信されるＣＳＩ−ＲＳに基づき計算され、もう一方のパスロスはＲＲＨ４のアンテナポートからのみ送信されるＣＳＩ−ＲＳに基づき計算される。
【０１９２】
移動局装置５は、異なるアンテナポートのＣＳＩ−ＲＳに基づき計算したパスロスの何れか一方を用いてＰＵＳＣＨの所望の送信電力の設定を行なう。例えば、ＰＵＳＣＨの受信先が基地局装置３である場合は、基地局装置３のアンテナポートのみから送信されるＣＳＩ−ＲＳに基づき計算されたパスロスがＰＵＳＣＨの所望の送信電力の設定に用いられ、ＰＵＳＣＨの受信先がＲＲＨ４である場合は、ＲＲＨ４のアンテナポートのみから送信されるＣＳＩ−ＲＳに基づき計算されたパスロスがＰＵＳＣＨの所望の送信電力の設定に用いられる。移動局装置５は、異なるアンテナポートに対応するＣＳＩ−ＲＳに基づき計算された複数のパスロスの内、何れかのパスロスがＰＵＳＣＨの送信電力制御に対して設定される。移動局装置５は、異なるアンテナポートに対応するＣＳＩ−ＲＳの何れかが、ＰＵＳＣＨの送信電力制御に用いるパスロスのパスロスリファレンスに設定される。
【０１９３】
移動局装置５は、異なるアンテナポートのＣＳＩ−ＲＳに基づき計算したパスロスの何れか一方を用いてＰＵＣＣＨの所望の送信電力の設定を行なう。例えば、ＰＵＣＣＨの受信先が基地局装置３である場合は、基地局装置３のアンテナポートのみから送信されるＣＳＩ−ＲＳに基づき計算されたパスロスがＰＵＣＣＨに用いられ、ＰＵＣＣＨの受信先がＲＲＨ４である場合は、ＲＲＨ４のアンテナポートのみから送信されるＣＳＩ−ＲＳに基づき計算されたパスロスがＰＵＣＣＨに用いられる。移動局装置５は、異なるアンテナポートに対応するＣＳＩ−ＲＳに基づき計算された複数のパスロスの内、何れかのパスロスがＰＵＣＣＨの送信電力制御に対して設定される。移動局装置５は、異なるアンテナポートに対応するＣＳＩ−ＲＳの何れかが、ＰＵＣＣＨの送信電力制御に用いるパスロスのパスロスリファレンスに設定される。
【０１９４】
例えば、移動局装置５は、ＰＵＳＣＨの送信電力制御に用いるパスロス（第一のパスロス）のパスロスリファレンスとして、あるアンテナポートに対応するＣＳＩ−ＲＳが設定される。例えば、移動局装置５は、ＰＵＣＣＨの送信電力制御に用いるパスロス（第二のパスロス）のパスロスリファレンスとして、あるアンテナポートに対応するＣＳＩ−ＲＳが設定される。例えば、第一のパスロスの測定に用いられるＣＳＩ−ＲＳと、第二のパスロスの測定に用いられるＣＳＩ−ＲＳとは、異なるアンテナポートに対応する。このような場合にも、移動局装置５は、ＰＵＣＣＨとＰＵＳＣＨの同時送信が構成されている場合は、第一のパスロスと第二のパスロスとに対してｄｌ−ＰａｔｈｌｏｓｓＣｈａｎｇｅを用いてパワーヘッドルームの報告処理のトリガーを判断する処理を行ない、ＰＵＣＣＨとＰＵＳＣＨの同時送信が構成されていない場合は、第一のパスロスに対してｄｌ−ＰａｔｈｌｏｓｓＣｈａｎｇｅを用いてパワーヘッドルームの報告処理のトリガーを判断する処理を行なう。
【０１９５】
第２の実施形態では、第一のパスロスと第二のパスロスのそれぞれのパスロスが異なるアンテナポートに対応するＣＳＩ−ＲＳに基づき計算される場合（それぞれのパスロスリファレンスが異なるアンテナポートに対応するCSI-RSの場合）においても、移動局装置５が、ＰＵＣＣＨとＰＵＳＣＨの同時送信の構成（PUCCHとPUSCHの同時送信を行なう、PUCCHとPUSCHの同時送信を行なわない）に応じてｄｌ−ＰａｔｈｌｏｓｓＣｈａｎｇｅを用いてパワーヘッドルームの報告処理のトリガーを判断する処理を適用するパスロス（第一のパスロス、または第一のパスロスと第二のパスロス）を制御することにより、第１の実施形態と同様の効果を得ることができる。パワーヘッドルームの通知が有効な場合にはパワーヘッドルームの通知が即座に行なわれて上りリンクのスケジューリングを効率良く行なうことができ、且つシグナリングオーバヘッドの増大を防ぐことができる。
【０１９６】
なお、実質的に異なるアンテナポートに対応するＣＳＩ−ＲＳは、１つのＣＳＩ−ＲＳの構成の中のアンテナポートを用いた、明示的に番号の異なるアンテナポートの表現により移動局装置５に示されるのではなく、異なるＣＳＩ−ＲＳのコンフィギュレーションにより移動局装置５に示されてもよい。例えば、複数のＣＳＩ−ＲＳの構成（CSI-RS-Config-r10）が、移動局装置５に通知される。各ＣＳＩ−ＲＳの構成において、ＣＳＩ−ＲＳに設定されるアンテナポートの数が同じでもよいし、異なってもよい。つまり、各ＣＳＩ−ＲＳの構成におけるアンテナポートの番号は同じ番号が用いられてもよい。例えば、各ＣＳＩ−ＲＳの構成において、ＣＳＩ−ＲＳが配置される下りリンクサブフレームが異なる。例えば、各ＣＳＩ−ＲＳの構成において、ＣＳＩ−ＲＳが配置される周波数領域が異なる。
【０１９７】
例えば、あるＣＳＩ−ＲＳの構成は、実質的には、基地局装置３のアンテナポートからのみ送信されるＣＳＩ−ＲＳの構成である。例えば、あるＣＳＩ−ＲＳの構成は、実質的には、ＲＲＨ４のアンテナポートからのみ送信されるＣＳＩ−ＲＳの構成である。移動局装置５に対しては、複数のＣＳＩ−ＲＳの構成が通知されるだけで、明示的に基地局装置３のアンテナポートからのみ送信されるＣＳＩ−ＲＳの構成なのか、ＲＲＨ４のアンテナポートからのみ送信されるＣＳＩ−ＲＳの構成なのかは通知されなくてもよい。
【０１９８】
移動局装置５は、異なる構成のＣＳＩ−ＲＳに基づき計算したパスロスの何れか一方を用いてＰＵＳＣＨの所望の送信電力の設定を行なう。例えば、ＰＵＳＣＨの受信先が基地局装置３である場合は、基地局装置３のアンテナポートのみから送信されるＣＳＩ−ＲＳに基づき計算されたパスロスがＰＵＳＣＨに用いられ、ＰＵＳＣＨの受信先がＲＲＨ４である場合は、ＲＲＨ４のアンテナポートのみから送信されるＣＳＩ−ＲＳに基づき計算されたパスロスがＰＵＳＣＨに用いられる。移動局装置５は、異なる構成のＣＳＩ−ＲＳに基づき計算された複数のパスロスの内、何れかのパスロスがＰＵＳＣＨの送信電力制御に対して設定される。移動局装置５は、異なる構成のＣＳＩ−ＲＳの何れかが、ＰＵＳＣＨの送信電力制御に用いるパスロスのパスロスリファレンスに設定される。なお、移動局装置５においては、何れの構成のＣＳＩ−ＲＳに基づき計算したパスロスをＰＵＳＣＨの所望の送信電力の設定に用いるかが基地局装置３、ＲＲＨ４により指示されるだけで、ＰＵＳＣＨの受信先が基地局装置３なのか、ＲＲＨ４なのかが明示的に通知されなくてもよい。
【０１９９】
移動局装置５は、異なる構成のＣＳＩ−ＲＳに基づき計算したパスロスの何れか一方を用いてＰＵＣＣＨの所望の送信電力の設定を行なう。例えば、ＰＵＣＣＨの受信先が基地局装置３である場合は、基地局装置３のアンテナポートのみから送信されるＣＳＩ−ＲＳに基づき計算されたパスロスがＰＵＣＣＨに用いられ、ＰＵＣＣＨの受信先がＲＲＨ４である場合は、ＲＲＨ４のアンテナポートのみから送信されるＣＳＩ−ＲＳに基づき計算されたパスロスがＰＵＣＣＨに用いられる。移動局装置５は、異なる構成のＣＳＩ−ＲＳに基づき計算された複数のパスロスの内、何れかのパスロスがＰＵＣＣＨの送信電力制御に対して設定される。移動局装置５は、異なる構成のＣＳＩ−ＲＳの何れかが、ＰＵＣＣＨの送信電力制御に用いるパスロスのパスロスリファレンスに設定される。なお、移動局装置５においては、何れの構成のＣＳＩ−ＲＳに基づき計算したパスロスをＰＵＣＣＨの所望の送信電力の設定に用いるかが基地局装置３、ＲＲＨ４により指示されるだけで、ＰＵＣＣＨの受信先が基地局装置３なのか、ＲＲＨ４なのかが明示的に通知されなくてもよい。
【０２００】
例えば、移動局装置５は、ＰＵＳＣＨの送信電力制御に用いるパスロス（第一のパスロス）のパスロスリファレンスとして、第一のＣＳＩ−ＲＳの構成のＣＳＩ−ＲＳが設定される。例えば、移動局装置５は、ＰＵＣＣＨの送信電力制御に用いるパスロス（第二のパスロス）のパスロスリファレンスとして、第二のＣＳＩ−ＲＳの構成のＣＳＩ−ＲＳが設定される。例えば、第一のパスロスの測定に用いられるＣＳＩ−ＲＳの構成と、第二のパスロスの測定に用いられるＣＳＩ−ＲＳの構成とは、異なるＣＳＩ−ＲＳの構成である。このような場合にも、移動局装置５は、ＰＵＣＣＨとＰＵＳＣＨの同時送信が構成されている場合は、第一のパスロスと第二のパスロスとに対してｄｌ−ＰａｔｈｌｏｓｓＣｈａｎｇｅを用いてパワーヘッドルームの報告処理のトリガーを判断する処理を行ない、ＰＵＣＣＨとＰＵＳＣＨの同時送信が構成されていない場合は、第一のパスロスに対してｄｌ−ＰａｔｈｌｏｓｓＣｈａｎｇｅを用いてパワーヘッドルームの報告処理のトリガーを判断する処理を行なう。
【０２０１】
第一のパスロスと第二のパスロスのそれぞれのパスロスが異なる構成のＣＳＩ−ＲＳに基づき計算される場合においても、ＰＵＣＣＨとＰＵＳＣＨの同時送信の構成（ＰＵＣＣＨとＰＵＳＣＨの同時送信を行なう、ＰＵＣＣＨとＰＵＳＣＨの同時送信を行なわない）に応じてｄｌ−ＰａｔｈｌｏｓｓＣｈａｎｇｅを用いてパワーヘッドルームの報告処理のトリガーを判断する処理を適用するパスロス（第一のパスロス、または第一のパスロスと第二のパスロス）を制御することにより、第１の実施形態と同様の効果を得ることができる。パワーヘッドルームの通知が有効な場合にはパワーヘッドルームの通知が即座に行なわれて上りリンクのスケジューリングを効率良く行なうことができ、且つシグナリングオーバヘッドの増大を防ぐことができる。
【０２０２】
また、基地局装置３とＲＲＨ４とで異なる周波数帯域が用いられ、異なるＲＲＨ４間で協調通信が用いられてもよい。例えば、移動局装置５は、それぞれのＲＲＨ４で信号が受信されるのに適した送信電力で上りリンクの信号を送信する。
【０２０３】
また、基地局装置３により構成されるセルとＲＲＨ４により構成されるセルとが異なる周波数帯域である場合、ＲＲＨ４から構成されるセルにおいて、ＣＲＳは構成されず、ＣＳＩ−ＲＳしか構成されなくてもよい。例えば、この場合、移動局装置５は、ＲＲＨ４により構成されるセルに対して、ＣＲＳに基づきパスロスを計算し、計算したパスロスを用いて上りリンクの送信電力値を計算する処理を初期状態（デフォルト状態）とするのではなく、ＣＳＩ−ＲＳに基づきパスロスを計算し、計算したパスロスを用いて上りリンクの送信電力値を計算する処理を初期状態（デフォルト状態）としてもよい。基地局装置５が、移動局装置５に対して協調通信に用いるＲＲＨ４の追加が必要と判断した場合、そのＲＲＨ４により構成されるセルに対するＣＳＩ−ＲＳの構成を移動局装置５に通知し、移動局装置５のパスロスリファレンスの追加変更（再設定、再構成）を行なう。
【０２０４】
異なるＲＲＨ４のそれぞれに異なるＣＳＩ−ＲＳの構成が適用されてもよい。例えば、異なるＲＲＨ４の異なるＣＳＩ−ＲＳの構成において、ＣＳＩ−ＲＳが配置される下りリンクサブフレームが異なってもよい。例えば、異なるＲＲＨ４の異なるＣＳＩ−ＲＳの構成において、ＣＳＩ−ＲＳが配置される周波数領域が異なってもよい。例えば、異なるＲＲＨ４の異なるＣＳＩ−ＲＳの構成において、ＣＳＩ−ＲＳのアンテナポートの数が異なってもよい。協調通信が適用される、それぞれのＲＲＨ４に対するＣＳＩ−ＲＳの構成に関する情報がＲＲＣシグナリングを用いて、基地局装置３から移動局装置５に通知される。移動局装置５は、通知されたＣＳＩ−ＲＳの構成に基づき、それぞれのＲＲＨ４が送信するＣＳＩ−ＲＳを受信して、それぞれのＲＲＨ４に対するパスロスを測定し、測定したパスロスを用いて上りリンクの信号の送信電力を設定する。これにより、移動局装置５は、信号の受信先である、それぞれのＲＲＨ４に対して適した送信電力を設定することができる。このように、信号の受信先に適した送信電力を設定するようにすることにより、信号の要求品質を満足しつつ、他の信号に与える干渉を抑え、通信システムの効率を向上させることができる。
【０２０５】
例えば、あるＣＳＩ−ＲＳの構成は、実質的には、第一のＲＲＨ４のアンテナポートからのみ送信されるＣＳＩ−ＲＳの構成である。例えば、あるＣＳＩ−ＲＳの構成は、実質的には、第二のＲＲＨ４のアンテナポートからのみ送信されるＣＳＩ−ＲＳの構成である。移動局装置５に対しては、複数のＣＳＩ−ＲＳの構成が通知されるだけで、明示的に何れのＲＲＨ４のアンテナポートからのみ送信されるＣＳＩ−ＲＳの構成なのかは通知されなくてもよい。
【０２０６】
移動局装置５は、異なる構成のＣＳＩ−ＲＳに基づき計算したパスロスの何れか一方を用いてＰＵＳＣＨの所望の送信電力の設定を行なう。例えば、ＰＵＳＣＨの受信先が第一のＲＲＨ４である場合は、第一のＲＲＨ４のアンテナポートから送信されるＣＳＩ−ＲＳに基づき計算されたパスロスがＰＵＳＣＨに用いられ、ＰＵＳＣＨの受信先が第二のＲＲＨ４である場合は、第二のＲＲＨ４のアンテナポートから送信されるＣＳＩ−ＲＳに基づき計算されたパスロスがＰＵＳＣＨに用いられる。移動局装置５は、異なる構成のＣＳＩ−ＲＳに基づき計算された複数のパスロスの内、何れかのパスロスがＰＵＳＣＨの送信電力制御に対して設定される。移動局装置５は、異なる構成のＣＳＩ−ＲＳの何れかが、ＰＵＳＣＨの送信電力制御に用いるパスロスのパスロスリファレンスに設定される。なお、移動局装置５においては、何れの構成のＣＳＩ−ＲＳに基づき計算したパスロスをＰＵＳＣＨの所望の送信電力の設定に用いるかが基地局装置３、ＲＲＨ４により指示されるだけで、ＰＵＳＣＨの受信先が何れのＲＲＨ４なのかが明示的に通知されなくてもよい。
【０２０７】
移動局装置５は、異なる構成のＣＳＩ−ＲＳに基づき計算したパスロスの何れか一方を用いてＰＵＣＣＨの所望の送信電力の設定を行なう。例えば、ＰＵＣＣＨの受信先が第一のＲＲＨ４である場合は、第一のＲＲＨ４のアンテナポートから送信されるＣＳＩ−ＲＳに基づき計算されたパスロスがＰＵＣＣＨに用いられ、ＰＵＣＣＨの受信先が第二のＲＲＨ４である場合は、第二のＲＲＨ４のアンテナポートから送信されるＣＳＩ−ＲＳに基づき計算されたパスロスがＰＵＣＣＨに用いられる。移動局装置５は、異なる構成のＣＳＩ−ＲＳに基づき計算された複数のパスロスの内、何れかのパスロスがＰＵＣＣＨの送信電力制御に対して設定される。移動局装置５は、異なる構成のＣＳＩ−ＲＳの何れかが、ＰＵＣＣＨの送信電力制御に用いるパスロスのパスロスリファレンスに設定される。なお、移動局装置５においては、何れの構成のＣＳＩ−ＲＳに基づき計算したパスロスをＰＵＣＣＨの所望の送信電力の設定に用いるかが基地局装置３、ＲＲＨ４により指示されるだけで、ＰＵＣＣＨの受信先が何れのＲＲＨ４なのかが明示的に通知されなくてもよい。
【０２０８】
本発明の実施形態に記載の動作をプログラムで実現してもよい。本発明に関わる移動局装置５および基地局装置３で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２０９】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置５および基地局装置３の一部、または全部を典型的には集積回路であるＬＳＩとして実現してもよい。移動局装置５および基地局装置３の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。移動局装置５および基地局装置３の各機能ブロックは、複数の回路により実現してもよい。
【０２１０】
情報および信号が、種々の異なるあらゆる技術および方法を用いて示され得る。例えば上記説明を通して参照され得るチップ、シンボル、ビット、信号、情報、コマンド、命令、およびデータは、電圧、電流、電磁波、磁場または磁性粒子、光学場または光粒子、またはこれらの組み合わせによって示され得る。
【０２１１】
本明細書の開示に関連して述べられた種々の例示的な論理ブロック、処理部、およびアルゴリズムステップが、電子的なハードウェア、コンピュータソフトウェア、または両者の組み合わせとして実装され得る。ハードウェアとソフトウェアとのこの同義性を明瞭に示すために、種々の例示的な要素、ブロック、モジュール、回路、およびステップが、概してその機能性に関して述べられてきた。そのような機能性がハードウェアとして実装されるかソフトウェアとして実装されるかは、個々のアプリケーション、およびシステム全体に課された設計の制約に依存する。当業者は、各具体的なアプリケーションにつき種々の方法で、述べられた機能性を実装し得るが、そのような実装の決定は、この開示の範囲から逸脱するものとして解釈されるべきではない。
【０２１２】
本明細書の開示に関連して述べられた種々の例示的な論理ブロック、処理部は、本明細書で述べられた機能を実行するように設計された汎用用途プロセッサ、デジタルシグナルプロセッサ（DSP）、特定用途向け集積回路（ASIC）、フィールドプログラマブルゲートアレイシグナル（FPGA）、またはその他のプログラマブル論理デバイス、ディスクリートゲートまたはトランジスタロジック、ディスクリートハードウェア部品、またはこれらを組み合わせたものによって、実装または実行され得る。汎用用途プロセッサは、マイクロプロセッサであっても良いが、代わりにプロセッサは従来型のプロセッサ、コントローラ、マイクロコントローラ、またはステートマシンであっても良い。プロセッサはまた、コンピューティングデバイスを組み合わせたものとして実装されても良い。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２１３】
本明細書の開示に関連して述べられた方法またはアルゴリズムのステップは、ハードウェア、プロセッサによって実行されるソフトウェアモジュール、またはこれら２つを組み合わせたものによって、直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または本分野で既知のあらゆる形態の記録媒体内に存在し得る。典型的な記録媒体は、プロセッサが情報を記録媒体から読み出すことが出来、また記録媒体に情報を書き込むことができるように、プロセッサに結合され得る。別の方法では、記録媒体はプロセッサに一体化されても良い。プロセッサと記録媒体は、ＡＳＩＣ内にあっても良い。ＡＳＩＣは、移動局装置（ユーザ端末）内にあり得る。あるいは、プロセッサおよび記録媒体は、ディスクリート要素として移動局装置５内にあっても良い。
【０２１４】
１つまたはそれ以上の典型的なデザインにおいて、述べられた機能は、ハードウェア、ソフトウェア、ファームウェア、またはこれらを組み合わせたもので実装され得る。もしソフトウェアによって実装されるのであれば、機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。記録媒体は、汎用または特殊用途のコンピュータによってアクセスされることが可能な市販のいずれの媒体であって良い。一例であってこれに限定するものではないものとして、このようなコンピュータ読み取り可能な媒体は、ＲＡＭ、ＲＯＭ、ＥＥＰＲＯＭ、ＣＤＲＯＭまたはその他の光ディスク媒体、磁気ディスク媒体またはその他の磁気記録媒体、または汎用または特殊用途のコンピュータまたは汎用または特殊用途のプロセッサによりアクセス可能とされ且つ命令またはデータ構造の形で所望のプログラムコード手段を持ち運びまたは保持するために使用可能な媒体を含むことができる。また、あらゆる接続が、適切にコンピュータ読み取り可能な媒体と呼ばれる。例えば、もしソフトウェアが同軸ケーブル、光ファイバケーブル、ツイストペア、デジタル加入者回線（DSL）、または赤外、無線、またマイクロ波のような無線技術を用いて、ウェブサイト、サーバ、またはその他の遠隔ソースから送信される場合には、これらの同軸ケーブル、光ファイバケーブル、ツイストペア、ＤＳＬ、または赤外、無線、またマイクロ波のような無線技術が、媒体の定義に含まれる。本明細書で使用されるディスク（disk、disc）は、コンパクトディスク（CD）、レーザーディスク（登録商標）、光学ディスク、デジタルバーサタイルディスク（DVD）、フロッピー（登録商標）ディスク、ブルーレイディスク、を含み、ディスク（disk）は、一般的に、磁気的にデータを再生する一方で、ディスク（disc）はレーザによって光学的にデータを再生する。上記のものを組み合わせたものもまた、コンピュータ読み取り可能な媒体に含まれるべきである。
【０２１５】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０２１６】
３  基地局装置
４（Ａ〜Ｃ）  ＲＲＨ
５（Ａ〜Ｃ）  移動局装置
１０１  受信処理部
１０３  無線リソース制御部
１０５  制御部
１０７  送信処理部
１０９  受信アンテナ
１１１  送信アンテナ
２０１、２０１−１〜２０１−Ｍ  物理下りリンク共用チャネル処理部
２０３、２０３−１〜２０３−Ｍ  物理下りリンク制御チャネル処理部
２０５  下りリンクパイロットチャネル処理部
２０７  多重部
２０９  ＩＦＦＴ部
２１１  ＧＩ挿入部
２１３  Ｄ／Ａ部
２１５  送信ＲＦ部
２１９  ターボ符号部
２２１  データ変調部
２２３  畳み込み符号部
２２５  ＱＰＳＫ変調部
２２７  プリコーディング処理部（PDCCH用）
２２９  プリコーディング処理部（PDSCH用）
２３１  プリコーディング処理部（下りリンクパイロットチャネル用）
３０１  受信ＲＦ部
３０３  Ａ／Ｄ部
３０９  シンボルタイミング検出部
３１１  ＧＩ除去部
３１３  ＦＦＴ部
３１５  サブキャリアデマッピング部
３１７  伝搬路推定部
３１９  伝搬路等化部（PUSCH用）
３２１  伝搬路等化部（PUCCH用）
３２３  ＩＤＦＴ部
３２５  データ復調部
３２７  ターボ復号部
３２９  物理上りリンク制御チャネル検出部
３３１  プリアンブル検出部
３３３  ＳＲＳ処理部
４０１  受信処理部
４０３  無線リソース制御部
４０５  制御部
４０７  送信処理部
４０９  受信アンテナ
４１１  送信アンテナ
５０１  受信ＲＦ部
５０３  Ａ／Ｄ部
５０５  シンボルタイミング検出部
５０７  ＧＩ除去部
５０９  ＦＦＴ部
５１１  多重分離部
５１３  伝搬路推定部
５１５  伝搬路補償部（PDSCH用）
５１７  物理下りリンク共用チャネル復号部
５１９  伝搬路補償部（PDCCH用）
５２１  物理下りリンク制御チャネル復号部
５２３  データ復調部
５２５  ターボ復号部
５２７  ＱＰＳＫ復調部
５２９  ビタビデコーダ部
５３１  下りリンク受信品質測定部
６０５  Ｄ／Ａ部
６０７  送信ＲＦ部
６１１  ターボ符号部
６１３  データ変調部
６１５  ＤＦＴ部
６１７  上りリンクパイロットチャネル処理部
６１９  物理上りリンク制御チャネル処理部
６２１  サブキャリアマッピング部
６２３  ＩＦＦＴ部
６２５  ＧＩ挿入部
６２７  送信電力調整部
６２９  ランダムアクセスチャネル処理部
４０５１  パスロス計算部
４０５３  送信電力設定部
４０５５  パワーヘッドルーム制御部
４０５７  パワーヘッドルーム生成部
【図１】
2013118617.tif 000003
【図２】
2013118617.tif 000004
【図３】
2013118617.tif 000005
【図４】
2013118617.tif 000006
【図５】
2013118617.tif 000007
【図６】
2013118617.tif 000008
【図７】
2013118617.tif 000009
【図８】
2013118617.tif 000010
【図９】
2013118617.tif 000011
【図１０】
2013118617.tif 000012
【図１１】
2013118617.tif 000013
【図１２】
2013118617.tif 000014